(57)【要約】  ダウンリンク一時ブロックフロー（ＴＢＦ）が少なくとも１つの移動局のために確立されそれぞれのダウンリンクペイロードを送信するために使用される場合の、アクセスグラントチャネル（ＡＧＣＨ）のキャパシティを改善するための基地局サブシステム（ＢＳＳ）及び方法がここで説明される。加えて、ダウンリンクＴＢＦを確立するために要する情報が移動局へ送信され、当該ダウンリンクＴＢＦ上で移動局が自身のそれぞれのダウンリンクペイロードを受信する場合の、ＡＧＣＨキャパシティを改善するための移動局（ＭＳ）及び方法がここで説明される。【選択図】図３Ａ
2015512596.tif 000002
【特許請求の範囲】
【請求項１】
複数の移動局とインタラクションし及びアクセスグラントチャネル（ＡＧＣＨ）のキャパシティを改善するための手続を実行するように構成される基地局サブシステム（ＢＳＳ）であって、
プロセッサと、
プロセッサにより実行可能な命令を記憶するメモリと、
を備え、
前記プロセッサは、前記メモリとインタフェースし、プロセッサにより実行可能な前記命令を実行して、
前記複数の移動局へ複数の代替ＩＤを割り当てる動作と、
前記代替ＩＤのうちの各々１つを、前記移動局のうちの対応する各々１つへ送信する動作と、
を可能とし、
前記代替ＩＤのうちの１つが前記移動局のうちの１つに割り当てられ、
各代替ＩＤは、セル別の基準で割り当てられ、セル内で一意であり、
各代替ＩＤについて、対応する準備タイマが開始され、各代替ＩＤは対応する前記準備タイマが稼動している間に有効性を維持され、
前記プロセッサは、
割り当てる前記動作及び送信する前記動作の後、ダウンリンク一時ブロックフロー（ＴＢＦ）の確立が必要とされる前記複数の移動局のうちの少なくとも１つがアイドルモードにあり、少なくとも１つの対応する前記準備タイマが依然として稼動中である場合に、前記複数の移動局のうちの前記少なくとも１つへ前記ＡＧＣＨ上で即時割り当てメッセージを送信する動作、
を可能とし、
前記即時割り当てメッセージは、（１）前記複数の移動局のうちの前記少なくとも１つについての前記少なくとも１つの代替ＩＤと、（２）前記複数の移動局のうちの前記少なくとも１つによりそのそれぞれのダウンリンクＴＢＦを確立する際に使用すべき動的無線パラメータの少なくとも一部と、を含む、
ＢＳＳ。
【請求項２】
前記プロセッサは、さらに、プロセッサにより実行可能な前記命令を実行して、各移動局についてＴＢＦが継続中である間、パケット関連制御チャネル（ＰＡＣＣＨ）シグナリングを用いることにより、各移動局へ各代替ＩＤを送信する、請求項１のＢＳＳ。
【請求項３】
前記プロセッサは、さらに、プロセッサにより実行可能な前記命令を実行して、前記複数の移動局へ新たなシステム情報（ＳＩ）をブロードキャストし、前記新たなＳＩは、前記複数の移動局のうちの前記少なくとも１つによりそのそれぞれのダウンリンクＴＢＦを確立する際に使用すべき静的無線パラメータ、を含む、請求項１のＢＳＳ。
【請求項４】
前記即時割り当てメッセージは、前記複数の移動局のうちの前記少なくとも１つによりそのそれぞれのダウンリンクＴＢＦを確立する際に使用すべき静的無線パラメータ、をさらに含む、請求項１のＢＳＳ。
【請求項５】
前記プロセッサは、さらに、プロセッサにより実行可能な前記命令を実行して、前記即時割り当てメッセージを送信した後に、補足メッセージを送信し、前記補足メッセージは、前記複数の移動局のうちの前記少なくとも１つへパケット関連制御チャネル（ＰＡＣＣＨ）上で送信され、前記補足メッセージは、前記複数の移動局のうちの前記少なくとも１つによりそのそれぞれのダウンリンクＴＢＦを確立する際に使用すべき前記動的無線パラメータの残りの部分を含む、請求項１のＢＳＳ。
【請求項６】
前記プロセッサは、さらに、プロセッサにより実行可能な前記命令を実行して、前記即時割り当てメッセージを送信した後に、補足メッセージを送信し、前記補足メッセージは、前記複数の移動局のうちの前記少なくとも１つへパケット関連制御チャネル（ＰＡＣＣＨ）上で送信され、前記補足メッセージは、（１）追加的な静的無線パラメータと、（２）前記動的無線パラメータの残りの部分と、を含み、前記追加的な静的無線パラメータ及び前記動的無線パラメータの前記残りの部分は、前記複数の移動局のうちの前記少なくとも１つによりそのそれぞれのダウンリンクＴＢＦを確立する際に使用される、請求項１のＢＳＳ。
【請求項７】
前記プロセッサは、さらに、プロセッサにより実行可能な前記命令を実行して、前記即時割り当てメッセージを送信した後に、補足メッセージを送信し、前記補足メッセージは、前記複数の移動局のうちの前記少なくとも１つへパケット関連制御チャネル（ＰＡＣＣＨ）上で送信され、前記補足メッセージは、追加的な静的無線パラメータを含み、前記追加的な静的無線パラメータは、前記複数の移動局のうちの前記少なくとも１つによりそのそれぞれのダウンリンクＴＢＦを確立する際に使用される、請求項１のＢＳＳ。
【請求項８】
前記プロセッサは、さらに、プロセッサにより実行可能な前記命令を実行して、前記複数の移動局のうちの前記少なくとも１つへ、確立された前記ダウンリンクＴＢＦのうちの前記少なくとも１つの上でダウンリンクペイロードデータを送信する、請求項１のＢＳＳ。
【請求項９】
複数の移動局とインタラクションする基地局サブシステム（ＢＳＳ）により実装される、アクセスグラントチャネル（ＡＧＣＨ）のキャパシティを改善する手続を実行するための方法であって、
前記複数の移動局へ複数の代替ＩＤを割り当てるステップと、
前記代替ＩＤのうちの１つが前記移動局のうちの１つに割り当てられることと、
各代替ＩＤは、セル別の基準で割り当てられ、セル内で一意であることと、
各代替ＩＤについて、対応する準備タイマが開始され、各代替ＩＤは対応する前記準備タイマが稼動している間に有効性を維持されることと、
前記代替ＩＤのうちの各々１つを、前記移動局のうちの対応する各々１つへ送信するステップと、
割り当てる前記ステップ及び送信する前記ステップの後、ダウンリンク一時ブロックフロー（ＴＢＦ）の確立が必要とされる前記複数の移動局のうちの少なくとも１つがアイドルモードにあり、少なくとも１つの対応する前記準備タイマが依然として稼動中である場合に、前記複数の移動局のうちの前記少なくとも１つへ前記ＡＧＣＨ上で即時割り当てメッセージを送信するステップと、
前記即時割り当てメッセージは、（１）前記複数の移動局のうちの前記少なくとも１つについての前記少なくとも１つの代替ＩＤと、（２）前記複数の移動局のうちの前記少なくとも１つによりそのそれぞれのダウンリンクＴＢＦを確立する際に使用すべき動的無線パラメータの少なくとも一部と、を含むことと、
を含む方法。
【請求項１０】
送信する前記ステップは、さらに、各移動局についてＴＢＦが継続中である間、パケット関連制御チャネル（ＰＡＣＣＨ）シグナリングを用いて、各移動局へ各代替ＩＤを送信すること、を含む、請求項９の方法。
【請求項１１】
前記複数の移動局へ新たなシステム情報（ＳＩ）をブロードキャストするステップ、をさらに含み、前記新たなＳＩは、前記複数の移動局のうちの前記少なくとも１つによりそのそれぞれのダウンリンクＴＢＦを確立する際に使用すべき静的無線パラメータ、を含む、請求項９の方法。
【請求項１２】
前記即時割り当てメッセージは、前記複数の移動局のうちの前記少なくとも１つによりそのそれぞれのダウンリンクＴＢＦを確立する際に使用すべき静的無線パラメータ、をさらに含む、請求項９の方法。
【請求項１３】
前記即時割り当てメッセージを送信した後に、前記複数の移動局のうちの前記少なくとも１つへ、パケット関連制御チャネル（ＰＡＣＣＨ）上で補足メッセージを送信するステップ、をさらに含み、前記補足メッセージは、前記複数の移動局のうちの前記少なくとも１つによりそのそれぞれのダウンリンクＴＢＦを確立する際に使用すべき前記動的無線パラメータの残りの部分を含む、請求項９の方法。
【請求項１４】
前記即時割り当てメッセージを送信した後に、前記複数の移動局のうちの前記少なくとも１つへ、パケット関連制御チャネル（ＰＡＣＣＨ）上で補足メッセージを送信するステップ、をさらに含み、前記補足メッセージは、（１）追加的な静的無線パラメータと、（２）前記動的無線パラメータの残りの部分と、を含み、前記追加的な静的無線パラメータ及び前記動的無線パラメータの前記残りの部分は、前記複数の移動局のうちの前記少なくとも１つによりそのそれぞれのダウンリンクＴＢＦを確立する際に使用される、請求項９の方法。
【請求項１５】
前記即時割り当てメッセージを送信した後に、前記複数の移動局のうちの前記少なくとも１つへ、パケット関連制御チャネル（ＰＡＣＣＨ）上で補足メッセージを送信するステップ、をさらに含み、前記補足メッセージは、追加的な静的無線パラメータを含み、前記追加的な静的無線パラメータは、前記複数の移動局のうちの前記少なくとも１つによりそのそれぞれのダウンリンクＴＢＦを確立する際に使用される、請求項９の方法。
【請求項１６】
前記複数の移動局のうちの前記少なくとも１つへ、確立された前記ダウンリンクＴＢＦのうちの前記少なくとも１つの上でダウンリンクペイロードデータを送信するステップ、をさらに含む、請求項９の方法。
【請求項１７】
基地局サブシステム（ＢＳＳ）とインタラクションし及びアクセスグラントチャネル（ＡＧＣＨ）のキャパシティを改善するように構成される移動局であって、
プロセッサと、
プロセッサにより実行可能な命令を記憶するメモリと、
を備え、
前記プロセッサは、前記メモリとインタフェースし、プロセッサにより実行可能な前記命令を実行して、
パケット関連制御チャネル（ＰＡＣＣＨ）シグナリング上で、前記ＢＳＳから代替ＩＤを受信する動作と、
アイドルモードにある間に、ダウンリンクＴＢＦを確立する必要がある場合に、前記ＢＳＳから送信される、前記ＡＧＣＨ上の即時割り当てメッセージを受信する動作と、
を可能とし、
前記即時割り当てメッセージは、（１）前記代替ＩＤと、（２）前記ダウンリンクＴＢＦを確立する際に使用すべき動的無線パラメータの少なくとも一部と、を含む、
移動局。
【請求項１８】
前記プロセッサは、さらに、プロセッサにより実行可能な前記命令を実行して、アイドルモードにある間に前記ＢＳＳから新たなシステム情報（ＳＩ）を受信し、前記新たなＳＩは、前記ダウンリンクＴＢＦを確立する際に使用すべき静的無線パラメータ、を含む、請求項１７の移動局。
【請求項１９】
前記即時割り当てメッセージは、前記ダウンリンクＴＢＦを確立する際に使用すべき静的無線パラメータ、をさらに含む、請求項１７の移動局。
【請求項２０】
前記プロセッサは、さらに、プロセッサにより実行可能な前記命令を実行して、前記即時割り当てメッセージを受信した後に、補足メッセージを受信し、前記補足メッセージは、前記ＢＳＳからパケット関連制御チャネル（ＰＡＣＣＨ）上で受信され、前記補足メッセージは、前記ダウンリンクＴＢＦを確立する際に使用すべき前記動的無線パラメータの残りの部分を含む、請求項１７の移動局。
【請求項２１】
前記プロセッサは、さらに、プロセッサにより実行可能な前記命令を実行して、前記即時割り当てメッセージを受信した後に、補足メッセージを受信し、前記補足メッセージは、前記ＢＳＳからパケット関連制御チャネル（ＰＡＣＣＨ）上で受信され、前記補足メッセージは、（１）追加的な静的無線パラメータと、（２）前記動的無線パラメータの残りの部分と、を含み、前記追加的な静的無線パラメータ及び前記動的無線パラメータの前記残りの部分は、前記ダウンリンクＴＢＦを確立する際に使用される、請求項１７の移動局。
【請求項２２】
前記プロセッサは、さらに、プロセッサにより実行可能な前記命令を実行して、前記即時割り当てメッセージを受信した後に、補足メッセージを受信し、前記補足メッセージは、前記ＢＳＳからパケット関連制御チャネル（ＰＡＣＣＨ）上で受信され、前記補足メッセージは、追加的な静的無線パラメータを含み、前記追加的な静的無線パラメータは、前記ダウンリンクＴＢＦを確立する際に使用される、請求項１７の移動局。
【請求項２３】
前記プロセッサは、さらに、プロセッサにより実行可能な前記命令を実行して、前記ダウンリンクＴＢＦを確立する、請求項１７の移動局。
【請求項２４】
前記プロセッサは、さらに、プロセッサにより実行可能な前記命令を実行して、確立された前記ダウンリンクＴＢＦ上でダウンリンクペイロードデータを受信する、請求項２３の移動局。
【請求項２５】
基地局サブシステムとインタラクションする移動局により実装される、アクセスグラントチャネル（ＡＧＣＨ）のキャパシティを改善するための方法であって、
パケット関連制御チャネル（ＰＡＣＣＨ）シグナリング上で、前記ＢＳＳから代替ＩＤを受信するステップと
アイドルモードにある間に、ダウンリンクＴＢＦを確立する必要がある場合に、前記ＢＳＳから送信される、前記ＡＧＣＨ上の即時割り当てメッセージを受信するステップと、
を含み、
前記即時割り当てメッセージは、前記ダウンリンクＴＢＦを確立する際に使用すべき動的無線パラメータの少なくとも一部（１３６）を含む、
方法。
【請求項２６】
アイドルモードにある間に前記ＢＳＳから新たなシステム情報（ＳＩ）を受信するステップ、をさらに含み、前記新たなＳＩは、前記ダウンリンクＴＢＦを確立する際に使用すべき静的無線パラメータ、を含む、請求項２５の方法。
【請求項２７】
前記即時割り当てメッセージは、前記ダウンリンクＴＢＦを確立する際に使用すべき静的無線パラメータ、をさらに含む、請求項２５の方法。
【請求項２８】
前記即時割り当てメッセージを受信した後に、前記ＢＳＳから補足メッセージを受信するステップ、をさらに含み、前記補足メッセージは、パケット関連制御チャネル（ＰＡＣＣＨ）上で受信され、前記補足メッセージは、前記ダウンリンクＴＢＦを確立する際に使用すべき前記動的無線パラメータの残りの部分を含む、請求項２５の方法。
【請求項２９】
前記即時割り当てメッセージを受信した後に、前記ＢＳＳから補足メッセージを受信するステップ、をさらに含み、前記補足メッセージは、パケット関連制御チャネル（ＰＡＣＣＨ）上で受信され、前記補足メッセージは、（１）追加的な静的無線パラメータと、（２）前記動的無線パラメータの残りの部分と、を含み、前記追加的な静的無線パラメータ及び前記動的無線パラメータの前記残りの部分は、前記ダウンリンクＴＢＦを確立する際に使用される、請求項２５の方法。
【請求項３０】
前記即時割り当てメッセージを受信した後に、前記ＢＳＳから補足メッセージを受信するステップ、をさらに含み、前記補足メッセージは、パケット関連制御チャネル（ＰＡＣＣＨ）上で受信され、前記補足メッセージは、追加的な静的無線パラメータを含み、前記追加的な静的無線パラメータは、前記ダウンリンクＴＢＦを確立する際に使用される、請求項２５の方法。
【請求項３１】
前記ダウンリンクＴＢＦを確立するステップ（３１０ｃ）、をさらに含む、請求項２５の方法。
【請求項３２】
確立された前記ダウンリンクＴＢＦ上でダウンリンクペイロードデータを受信するステップ、をさらに含む、請求項３１の方法。
【発明の詳細な説明】
【技術分野】
【０００１】
［優先権の主張］
本出願は、２０１２年４月５日に提出された米国仮出願第６１／６２０，６９６号の利益を主張する。さらに、本出願は、２０１１年９月１６日に提出された米国仮出願第６１／５３５，５０９号及び２０１２年４月５日に提出された米国仮出願第６１／６２０，６９６号の利益を主張する現在係属中の２０１２年９月１３日に提出された米国特許出願第１３／６１３，１２２号の一部継続出願である。さらに、本出願は、２０１１年９月１６日に提出された米国仮出願第６１／５３５，５０９号及び２０１２年４月５日に提出された米国仮出願第６１／６２０，６９６号の利益を主張する現在係属中の２０１２年９月１３日に提出された米国特許出願第１３／６１３，１０７号の一部継続出願である。これら文書の内容は、参照によりここに取り入れられる。
【０００２】
［技術分野］
本発明は、ダウンリンク一時ブロックフロー（ＴＢＦ）が少なくとも１つの移動局のために確立されそれぞれのダウンリンクペイロードを送信するために使用される場合の、アクセスグラントチャネル（ＡＧＣＨ）のキャパシティを改善するための基地局サブシステム（ＢＳＳ）及び方法に関する。加えて、本発明は、ダウンリンクＴＢＦを確立するために要する情報が移動局へ送信され、当該ダウンリンクＴＢＦ上で移動局が自身のそれぞれのダウンリンクペイロードを受信する場合の、ＡＧＣＨキャパシティを改善するための移動局（ＭＳ）及び方法に関する。
【背景技術】
【０００３】
無線通信分野において基地局から移動局（例えば、スマートフォン）へのダウンリンク送信の結果として、共通制御チャネル（ＣＣＣＨ）の輻輳がなお一層増加するであろうと予想される。ＣＣＣＨ輻輳の問題及び他の問題を解決するための多様なソリューションが、本発明の主題である。
【０００４】
［略語］
ここで以下の略語が定義され、その少なくともいくつかが本発明の以下の説明の中で言及される。
ＡＧＣＨ    Access  Grant  Channel
ＡＲＦＣＮ  Absolute  Radio  Frequency  Channel  Number
ＡＴＩ      Additional  TBF  Information
ＢＣＣＨ    Broadcast  Control  Channel  
ＢＳＳ      Base  Station  Subsystem
ＣＣＣＨ    Common  Control  Channel
ＣＳ        Circuit  Switched
ＤＲＸ      Discontinuous  Reception
ＥＧＰＲＳ  Enhanced  General  Packet  Radio  Service
ＥＰＣＲ    Enhanced  Packet  Channel  Request
ｅＴＦＩ    Enhanced  Temporary  Flow  Identity  
ｅＵＳＦ    Enhanced  Uplink  State  Flag
ＦＮ        Frame  Number
ＩＡ        Incoming  Access
ＩＥ        Information  Element
ＬＡＰ      Low  Access  Priority
ＬＬＣ      Logical  Link  Control
ＭＡＣ      Media  Access  Control
Ｍ２Ｍ      Machine-to-Machine
ＯＳＡＰ    Optimized  System  Access  Procedure
ＰＡＣＣＨ  Packet  Associated  Control  Channel
ＰＣＨ      Paging  Channel
ＰＤＵ      Packet  Data  Unit
ＰＦＣ      Packet  Flow  Context
ＰＲＲ      Packet  Resource  Request
ＰＵＡ      Packet  Uplink  Assignment
ＰＵＡＮ    Packet  Uplink  Ack/Nack
ＲＦ        Radio  Frequency
ＲＬＣ      Radio  Link  Control
ＳＩ        System  Information
ＴＢＦ      Temporary  Block  Flow
ＴＣＨ      Traffic  Channel
ＴＤＭＡ    Time  Division  Multiple  Access
ＴＬＬＩ    Temporary  Logical  Link  Identity
ＴＯＩ      Temporary  OSAP  Identity
ＴＳＣ      Training  Sequence  Code  
【発明の概要】
【０００５】
本出願の独立項において、ＡＧＣＨ上のキャパシティを改善することにより上述したＣＣＣＨ輻輳の問題を解決する基地局サブシステム（ＢＳＳ）、移動端末（ＭＳ）及び方法が記述される。ＢＳＳ、ＭＳ及び方法の有利な実施形態は、本出願の従属項に記述されてきている。
【０００６】
１つの観点において、本発明は、複数のＭＳとインタラクションし及びＡＧＣＨのキャパシティを改善するための手続（例えば、最適化されたシステムアクセス手続）を実行するように構成されるＢＳＳを提供する。当該ＢＳＳは、プロセッサと、プロセッサにより実行可能な命令を記憶するメモリと、を備え、上記プロセッサは、上記メモリとインタフェースし、プロセッサにより実行可能な上記命令を実行して、割り当て動作、第１の送信動作及び第２の送信動作を可能とする。上記割り当て動作は、複数の移動局へ複数の代替ＩＤを割り当てることを含み、上記代替ＩＤのうちの１つが上記移動局のうちの１つに割り当てられ、各代替ＩＤは、セル別の基準で割り当てられ、セル内で一意であり、各代替ＩＤについて、対応する準備タイマが開始され、各代替ＩＤは対応する上記準備タイマが稼動している間に有効性を維持される。上記第１の送信動作は、上記代替ＩＤのうちの各々１つを、上記移動局のうちの対応する各々１つへ送信すること、を含む。上記割り当て動作及び上記第１の送信動作の後、ダウンリンクＴＢＦの確立が必要とされる上記複数の移動局のうちの少なくとも１つがアイドルモードにあり、少なくとも１つの対応する上記準備タイマが依然として稼動中である場合に、上記第２の送信動作が実行され、それは、上記複数の移動局のうちの上記少なくとも１つへ上記ＡＧＣＨ上で即時割り当てメッセージを送信すること、を含む。上記即時割り当てメッセージは、（１）上記複数の移動局のうちの上記少なくとも１つについての上記少なくとも１つの代替ＩＤと、（２）上記複数の移動局のうちの上記少なくとも１つによりそのそれぞれのダウンリンクＴＢＦを確立する際に使用すべき動的無線パラメータの少なくとも一部と、を含む。上記ＢＳＳは、上記移動局のうちの上記少なくとも１つの各々について、そのそれぞれのダウンリンクペイロードを当該移動局へ送信する必要がある都度、ダウンリンクＴＢＦを確立する必要がある。本発明は、ＭＳがアイドルモードにある間に新たなＢＳＳが当該ＭＳへ（まずセル固有の基準のＭＳのロケーションを識別するためのページング手続の実行を要することなく）ダウンリンクＴＢＦを割り当てることができることから、従来技術に対して有利である。ここでのダウンリンクＴＢＦの割り当て手続は、上記第２の送信動作において１つの即時割り当てメッセージを送信すること、を含み、当該送信動作によって、レガシーの即時割り当てメッセージを用いることで宛て先指定可能なＭＳの多重度（multiplicity）を有意に上回る多重度のＭＳを宛て先指定する（address）ことができる。
【０００７】
他の観点において、本発明は、複数のＭＳとインタラクションするＢＳＳにより実装される、ＡＧＣＨのキャパシティを改善する手続（例えば、最適化されたシステムアクセス手続）を実行するための方法を提供する。当該方法は、割り当てステップと、第１の送信ステップと、第２の送信ステップと、を含む。割り当てステップは、上記複数の移動局へ複数の代替ＩＤを割り当てること、を含み、上記代替ＩＤのうちの１つが上記移動局のうちの１つに割り当てられ、各代替ＩＤは、セル別の基準で割り当てられ、セル内で一意であり、各代替ＩＤについて、対応する準備タイマが開始され、各代替ＩＤは対応する上記準備タイマが稼動している間に有効性を維持される。第１の送信ステップは、上記代替ＩＤのうちの各々１つを、上記移動局のうちの対応する各々１つへ送信すること、を含む。上記割り当てステップ及び上記第１の送信ステップの後、ダウンリンクＴＢＦの確立が必要とされる上記複数の移動局のうちの少なくとも１つがアイドルモードにあり、少なくとも１つの対応する上記準備タイマが依然として稼動中である場合に、上記複数の移動局のうちの上記少なくとも１つへ上記ＡＧＣＨ上で即時割り当てメッセージを送信する上記第２の送信ステップ、が実行される。上記即時割り当てメッセージは、（１）上記複数の移動局のうちの上記少なくとも１つについての上記少なくとも１つの代替ＩＤと、（２）上記複数の移動局のうちの上記少なくとも１つによりそのそれぞれのダウンリンクＴＢＦを確立する際に使用すべき動的無線パラメータの少なくとも一部と、を含む。本発明は、ＭＳがアイドルモードにある間に新たなＢＳＳが当該ＭＳへ（まずセル固有の基準のＭＳのロケーションを識別するためのページング手続の実行を要することなく）ダウンリンクＴＢＦを割り当てることができることから、従来技術に対して有利である。ここでのダウンリンクＴＢＦの割り当て手続は、上記第２の送信動作において１つの即時割り当てメッセージを送信すること、を含み、当該送信動作によって、レガシーの即時割り当てメッセージを用いることで宛て先指定可能なＭＳの多重度を有意に上回る多重度のＭＳを宛て先指定することができる。
【０００８】
他の観点において、本発明は、ＢＳＳとインタラクションし及びＡＧＣＨのキャパシティを改善するように構成されるＭＳを提供する。当該ＭＳは、プロセッサと、プロセッサにより実行可能な命令を記憶するメモリと、を備え、上記プロセッサは、上記メモリとインタフェースし、プロセッサにより実行可能な上記命令を実行して、第１の受信動作及び第２の受信動作を可能とする。上記第１の受信動作は、ＰＡＣＣＨシグナリング上で、上記ＢＳＳから代替ＩＤを受信すること、を含む。上記第２の受信動作は、上記ＭＳがアイドルモードにある間に実行され、ダウンリンクＴＢＦを確立する必要がある場合に、上記ＢＳＳから送信される、上記ＡＧＣＨ上の即時割り当てメッセージを受信すること、を含む。上記即時割り当てメッセージは、（１）上記代替ＩＤと、（２）上記ダウンリンクＴＢＦを確立する際に使用すべき動的無線パラメータの少なくとも一部と、を含む。本発明は、ＭＳが第１及び第２の受信動作を実行することで、ダウンリンクＴＢＦの確立において経験する遅延をより少なく、従ってＢＳＳにおいて利用可能となるダウンリンクペイロードの受信おいて経験する遅延をより少なくし得ることから、従来技術に対して有利である。これは、１つには、ＢＳＳが、レガシーの即時割り当てメッセージを用いることで宛て先指定可能なＭＳの多重度を有意に上回る多重度のＭＳを即時割り当てメッセージで宛て先指定することができることから可能となる。
【０００９】
他の観点において、本発明は、ＢＳＳとインタラクションするＭＳにより実装される、ＡＧＣＨのキャパシティを改善するための方法を提供する。当該方法は、第１の受信ステップ及び第２の受信ステップを含む。第１の受信ステップは、ＰＡＣＣＨシグナリング上で、上記ＢＳＳから代替ＩＤを受信すること、を含む。第２の受信ステップは、上記ＭＳがアイドルモードにある間に実行され、ダウンリンクＴＢＦを確立する必要がある場合に、上記ＢＳＳから送信される、上記ＡＧＣＨ上の即時割り当てメッセージを受信すること、を含む。上記即時割り当てメッセージは、（１）上記代替ＩＤと、（２）上記ダウンリンクＴＢＦを確立する際に使用すべき動的無線パラメータの少なくとも一部と、を含む。本発明は、ＭＳが第１及び第２の受信動作を実行することで、ダウンリンクＴＢＦの確立において経験する遅延をより少なく、従ってＢＳＳにおいて利用可能となるダウンリンクペイロードの受信おいて経験する遅延をより少なくし得ることから、従来技術に対して有利である。これは、１つには、ＢＳＳが、レガシーの即時割り当てメッセージを用いることで宛て先指定可能なＭＳの多重度を有意に上回る多重度のＭＳを即時割り当てメッセージで宛て先指定することができることから可能となる。
【００１０】
本発明の追加的な観点が、１つには詳細な説明、図面及び後続するいずれかの請求項において説明され、１つには詳細な説明から導かれるであろう。あるいは、本発明の追加的な観点は、本発明の実践によって学習され得る。これまでの一般的な説明及び以下の詳細な説明は、単に例示的かつ説明的なものであって、開示された通りに本発明を制限するものではないことが理解されるべきである。
【図面の簡単な説明】
【００１１】
本発明のより完全な理解は、次の添付図面と併せて以下の詳細な説明を参照することにより得られ得る。
【００１２】
【図１Ａ】本発明の第１の実施形態に従ってＡＧＣＨのキャパシティを改善するためにＢＳＳと複数のＭＳとの間で生じる無線シグナリングの説明を助けるために使用される図である。
【図１Ｂ】本発明の第１の実施形態に従ってＡＧＣＨのキャパシティを改善するためにＢＳＳと複数のＭＳとの間で生じる無線シグナリングの説明を助けるために使用される図である。
【図１Ｃ】本発明の第１の実施形態に従ってＡＧＣＨのキャパシティを改善するためにＢＳＳと複数のＭＳとの間で生じる無線シグナリングの説明を助けるために使用される図である。
【図１Ｄ】本発明の第１の実施形態に従ってＡＧＣＨのキャパシティを改善するためにＢＳＳと複数のＭＳとの間で生じる無線シグナリングの説明を助けるために使用される図である。
【図１Ｅ】本発明の第１の実施形態に従ってＡＧＣＨのキャパシティを改善するためにＢＳＳと複数のＭＳとの間で生じる無線シグナリングの説明を助けるために使用される図である。
【図２Ａ】本発明の第２の実施形態に従ってＡＧＣＨのキャパシティを改善するためにＢＳＳと複数のＭＳとの間で生じる無線シグナリングの説明を助けるために使用される図である。
【図２Ｂ】本発明の第２の実施形態に従ってＡＧＣＨのキャパシティを改善するためにＢＳＳと複数のＭＳとの間で生じる無線シグナリングの説明を助けるために使用される図である。
【図２Ｃ】本発明の第２の実施形態に従ってＡＧＣＨのキャパシティを改善するためにＢＳＳと複数のＭＳとの間で生じる無線シグナリングの説明を助けるために使用される図である。
【図３Ａ】本発明の第３の実施形態に従ってＡＧＣＨのキャパシティを改善するためにＢＳＳと複数のＭＳとの間で生じる無線シグナリングの説明を助けるために使用される図である。
【図３Ｂ】本発明の第３の実施形態に従ってＡＧＣＨのキャパシティを改善するためにＢＳＳと複数のＭＳとの間で生じる無線シグナリングの説明を助けるために使用される図である。
【図３Ｃ】本発明の第３の実施形態に従ってＡＧＣＨのキャパシティを改善するためにＢＳＳと複数のＭＳとの間で生じる無線シグナリングの説明を助けるために使用される図である。
【図４Ａ】本発明の多様な実施形態に従ってＡＧＣＨのキャパシティを改善するためにＢＳＳと複数のＭＳとの間で生じる無線シグナリングの説明を助けるために使用される、上述した米国仮出願第６１／６２０，６９６号における開示に関連付けられる図である。
【図４Ｂ】本発明の多様な実施形態に従ってＡＧＣＨのキャパシティを改善するためにＢＳＳと複数のＭＳとの間で生じる無線シグナリングの説明を助けるために使用される、上述した米国仮出願第６１／６２０，６９６号における開示に関連付けられる図である。
【図４Ｃ】本発明の多様な実施形態に従ってＡＧＣＨのキャパシティを改善するためにＢＳＳと複数のＭＳとの間で生じる無線シグナリングの説明を助けるために使用される、上述した米国仮出願第６１／６２０，６９６号における開示に関連付けられる図である。
【図５Ａ】本発明の多様な実施形態に従ってＡＧＣＨのキャパシティを改善するためにＢＳＳと複数のＭＳとの間で生じる無線シグナリングの説明をさらに助けるために使用される、本発明者らにより提示された“Detailed  OSAP  Signalling  Procedure”（3GPP  TSG-GERAN  #54，GP-120624，Sanya，China，May  14-18，2012）というタイトルの記事に関連付けられる図である。
【図５Ｂ】本発明の多様な実施形態に従ってＡＧＣＨのキャパシティを改善するためにＢＳＳと複数のＭＳとの間で生じる無線シグナリングの説明をさらに助けるために使用される、本発明者らにより提示された“Detailed  OSAP  Signalling  Procedure”（3GPP  TSG-GERAN  #54，GP-120624，Sanya，China，May  14-18，2012）というタイトルの記事に関連付けられる図である。
【図５Ｃ】本発明の多様な実施形態に従ってＡＧＣＨのキャパシティを改善するためにＢＳＳと複数のＭＳとの間で生じる無線シグナリングの説明をさらに助けるために使用される、本発明者らにより提示された“Detailed  OSAP  Signalling  Procedure”（3GPP  TSG-GERAN  #54，GP-120624，Sanya，China，May  14-18，2012）というタイトルの記事に関連付けられる図である。
【発明を実施するための形態】
【００１３】
図１Ａを参照すると、本発明の第１の実施形態に従ってＡＧＣＨ１０６のキャパシティを改善するためにＢＳＳ１０２と複数のＭＳ１０４１、１０４２、１０４３、１０４４、…１０４ｎとの間で生じる基本的な無線シグナリングを例示する図がある。図示したように、ＢＳＳ１０２は、ＭＳ１０４１、１０４２、１０４３、１０４４、…１０４ｎへ、ＢＣＣＨ１２２上で新たなＳＩ１２０をブロードキャストする（ステップ１）。新たなＳＩ１２０は、パケット無線リソース１３４の予め決定されるセット（即ち、静的な無線パラメータ１３４）を含み、それらパケット無線リソースは、ＭＳ１０４１、１０４２、１０４３、１０４４、…１０４ｎの任意の１つがＳＤＴ１３０ａ又はＩＭＴ１３０ｂによりトリガされてアップリンクＴＢＦ１２８を確立する都度、ＭＳ１０４１、１０４２、１０４３、１０４４、…１０４ｎにより使用されることになる（注：新たなＳＩ１２０は、ＢＳＳ１２０がＡＧＣＨのキャパシティを改善するために最適化されたシステムアクセス手続を実行するように構成されていることを示す）。ＢＳＳ１０２は、その時にＳＤＴ１３０ａ又はＩＭＴ１３０ｂを送信することを望んでいてアップリンクＴＢＦ１２８を確立することを要求している（例えば）１つ以上のＭＳ１０４１及び１０４３から、ＲＡＣＨ１２６上で１つ以上のアクセス要求１２４を受信する（ステップ２）。（注：ＭＳは、ＢＳＳ１０２がＡＧＣＨのキャパシティを改善するために最適化されたシステムアクセス手続を実行するように構成されている場合にのみ、アクセス要求１２４を送信するであろう）。アクセス要求１２４の受信に応じて、ＢＳＳ１０２は、要求側のＭＳ１０４１及び１０４３へＡＧＣＨ１０６上で即時割り当てメッセージ１３２を送信する（ステップ３）。即時割り当てメッセージ１３２は、前回送信された静的無線パラメータ１３４と共に、対応するアップリンクＴＢＦ１２８を確立し及び対応するＳＤＴ１３０ａ又はＩＭＴ１３０ｂを送信する（ステップ４）ために要求側のＭＳ１０４１及び１０４３により使用されるべき動的無線パラメータの少なくとも一部１３６を含む。許容されるアクセス時間インターバルの期間中にＢＳＳ１０２へ１つの（例えば）ＭＳ１０４１のみがアクセス要求１２４を送信する場合、ＢＳＳ１０２は、個別のＭＳ１０４１へ動的無線パラメータ１３６の完全なセットを含むレガシーの即時割り当てメッセージを送信することを選択し得る。それにより、アップリンクＴＢＦ１２８を確立し及びＳＤＴ１３０ａ又はＩＭＴ１３０ｂを送信することができる。あるいは、ＢＳＳ１０２は、個別のＭＳ１０４１へ即時割り当てメッセージ１３２を送信することもでき、それにより、アップリンクＴＢＦ１２８を確立し及びＳＤＴ１３０ａ又はＩＭＴ１３０ｂを送信することができる。望ましいのであれば、ＢＳＳ１０２は、アップリンクＴＢＦ１２８を確立するためにＭＳ１０４１及び１０４３により必要とされる動的無線パラメータの全てを、即時割り当てメッセージ１３２内に含めなくてもよい。このケースでは、ＢＳＳ１０２は、即時割り当てメッセージ１３２により宛て先指定された要求側のＭＳ１０４１及び１０４３へ、ＰＡＣＣＨ１４０上のメッセージ１３８において、動的無線パラメータの残りの部分１３６´を送信するであろう（ステップ５）。さらに、ＢＳＳ１０２は、即時割り当てメッセージ１３２により宛て先指定された要求側のＭＳ１０４１及び１０４３へ、ＰＡＣＣＨ１４０上のメッセージ１３８（又は残りの動的無線パラメータ１３６´が送信されないならば他の何らかのＰＡＣＣＨメッセージ）において、追加的な静的無線パラメータ１３４´を送信し得る（ステップ５）。そして、要求側のＭＳ１０４１及び１０４３は、上記静的無線パラメータ１３４（及び、送信されたならば追加的な静的無線パラメータ１３４´）、（即時割り当てメッセージ１３２内に含まれる）動的無線パラメータ１３６の上記一部、並びに（メッセージ１３８において送信されたならば）動的無線パラメータの残りの部分１３６´を用いて、対応するアップリンクＴＢＦを確立して、対応するＳＤＴ１３０ａ又はＩＭＴ１３０ｂを送信するであろう（ステップ６）。いずれにしろ、本処理は、本発明のように複数の（例えば）ＭＳ１０４１及び１０４３へ即時割り当てメッセージ１３２を送信するように構成されるよりもむしろ旧来のＢＳＳは一度に１つのＭＳにのみ（必要とされる静的及び動的無線パラメータを含む）即時割り当てメッセージを送信するように構成されていたことから、従来技術に対する際立った改善であり、同時に、ＡＧＣＨ１０６のキャパシティが改善される。本発明の第１の実施形態の多様な特徴及び利点について、より詳細な議論が次に提供される。
【００１４】
ここで検討される第１の実施形態の上述した基本的なコンセプトは、ＳＤＴ１３０ａ又はＩＭＴ１３０ｂによりＭＳのアクセス要求１２４がトリガされる都度使用されるべきパケット無線リソースの予め決定されるセット１３４（即ち、デフォルトの無線リソース１３４、静的無線パラメータ１３４）をネットワークが識別することを可能とすることである。これらデフォルトの無線リソース１３４は、それらを新たなＳＩ１２０として含むことにより識別され、当該新たなＳＩ１２０は、ＭＳのＳＤＴ送信又はＩＭＴ送信にとって適切な無線リソースを割当てるためのレガシーのパケットアクセス手続を用いる際にネットワークが共通的に割り当てる１つ以上の静的無線パラメータ１３４のセットを指し示すことができる。この新たなＳＩ１２０は、静的無線パラメータ１３４を有し、静的無線パラメータ１３４の各セットは、（現在はレガシーの即時割り当てメッセージ内に含まれ得る）以下の情報エレメント（ＩＥ）についての関連付けられるパラメータ値と共に、（ＡＧＣＨ１０６上の拡張即時割り当てメッセージ１３２により参照される）対応する無線割り当てＩＤ（ＲＡＩＤ：Radio  Assignment  Identity）値を含む。
・ページモード（Page  Mode）
・パケットチャネル記述（Packet  Channel  Description）
・モバイルアロケーション（Mobile  Allocation）
・開始時間（Starting  Time）
・ＩＡ残余オクテット（IA  Rest  Octets）
【００１５】
ＳＩ１２０の一部としての静的無線パラメータ１３４の送信をサポートするネットワークは、従って、これらパラメータの少なくとも１つの完全なセットを含むべきである。それら静的無線パラメータ１３４をＳＩ１２０を介して受信するＭＳ１０４１、１０４２、１０４３、１０４４、…１０４ｎには、ＳＤＴ又はＩＭＴ送信のためのシステムアクセスを試行する際にＡＧＣＨ１０６上でその同じ情報を送信しなくてよい。このようにして、本パケット無線リソース事前割当て手続は、即時割り当てメッセージ１３２を、要求側のＭＳ１０４１及び１０４３によりアップリンクＴＢＦ１２８を確立する際に必要とされる（静的無線パラメータ１３４ではなく）動的無線パラメータ１３６（例えば、タイミングアドバンス及びＴＦＩ）のみを含むように修正することで、ＡＧＣＨのキャパシティを効率的に解放する。修正された即時割り当てメッセージ１３２（例えば、拡張即時割り当て（ＥＩＡ）メッセージ１３２）は、単一のＭＳしか宛て先指定できないレガシーの即時割り当てメッセージと比較すると、ＥＩＡメッセージ１３２の任意の所与のインスタンスによってより多くのＭＳ１０４１、１０４２、１０４３、１０４４、…１０４ｎを宛て先指定することを可能とする。
【００１６】
（例えばＳＩ２１を用いる）ＳＩ１２０への静的無線パラメータ１３４の挿入は、ＳＤＴ１３０ａ又はＩＭＴ１３０がアクセス試行をトリガしたことを示すために（例えば）ＭＳ１０４１によりアクセス要求１２４内で送信されるはずの新たなトレーニングシーケンス（ＴＳ）、を含む新たなＲＡＣＨバーストの受信を、ＢＳＳ１０２がサポートすることを示す。アクセス要求１２４は、レガシーのＥＧＰＲＳパケットチャネル要求メッセージの通りに１１ビット長であり、但し異なるコードポイントを使用し、そのためここでは、（例えば）表１に示すように符号化され得る拡張パケットチャネル要求メッセージ１２４として言及される：
【００１７】
【表１】
2015512596.tif 000003
【００１８】
表１に示した例示的な拡張パケットチャネル要求メッセージ１２４は、対応する多量のアクセス試行が予想される任意の追加的なサービスのために５つの追加的なコードポイントを定義することを許容し、従って、それらを、ここで説明される拡張パケットチャネル要求１２４−拡張即時割り当てメッセージ１３２シグナリング交換を用いてより良好にサポートすることができる（即ち、新たなコードポイントをＳＤＴ１３０ａ及びＩＭＴ１３０ｂとは別のサービスをサポートするために定義することができる）。加えて、本シグナリング方式は、１フェーズのアクセス試行の文脈の範囲内での使用に限定されず、２つのアクセス試行のために使用されることもできる。表１に１フェーズのアクセスのケースが示されている理由は、それがＳＤＴ１３０ａ及びＩＭＴ１３０ｂの送信のサポートにおいて最も少ない量の制御プレーンシグナリングを使用することを可能とするからである。
【００１９】
拡張パケットチャネル要求メッセージ１２４の送信をサポートする（レガシーＭＳではない）ＭＳ１０４１、１０４２、１０４３、１０４４、…１０４ｎは、当然ながら、こうしたアクセス要求１２４を行う前に、ＳＩ１２０の一部として送信される静的無線パラメータ１３４を読み取ることができなければならない。ＭＳ１０４１、１０４２、１０４３、１０４４、…１０４ｎが静的無線パラメータ１３４の情報をリフレッシュする（即ち、再読み取りする）ことが期待されるレートは、名目上は、３０秒ごとに１回である（即ち、レガシーＳＩを再読み取りするためのレガシーの周期性の通り）。注：（静的無線パラメータ１３４への包含が提案される）ページモード情報は、頻繁には変化しないものと期待され、そのため静的無線パラメータ１３４についての（従って、ページモードについての）名目上の３０秒のリフレッシュレートを許容することが受け入れ可能であると考えられる。留意すべきこととして、静的無線パラメータ１３４の情報はＩＡ残余オクテットを含み、ＩＡ残余オクテットは、現在定義されているところでは、ＵＳＦ、ＴＦＩ及び要求リファレンス情報を含み、要求リファレンス情報は、まさにそれ自体の性質によって動的である。このようにして、全ての動的な情報を除く新たなＩＡ残余オクテットを定義することができ、あるいは依然としてレガシーのＩＡ残余オクテットを使用することができ、その際ＭＳ１０４１、１０４２、１０４３、１０４４、…１０４ｎは何が設定されているかに関わらず全ての動的な情報を単純に無視するであろう。
【００２０】
ＲＡＣＨ１２６上でのＢＳＳ１０２による拡張パケットチャネル要求メッセージ１２４の受信は、（例えば）対応するＭＳ１０４１がＡＧＣＨ１０６上での拡張即時割り当てメッセージ１３２の受信をサポートすることを示す。ＢＳＳ１０２は、従って、メッセージ自体により宛て先指定される各ＭＳ（例えば）１０４１及びＭＳ１０４３について以下の動的無線パラメータ１３６の１つのインスタンスを含む拡張即時割り当てメッセージ１３２を送信することにより、アクセス要求１２４へ応答し得る：
・静的無線パラメータ１３４の適用可能なセットに対応するＲＡＩＤ（２ビット−ＳＩ１２０内に４セットまでの静的無線パラメータ１３４を含めることを可能とする）
・エコーされる拡張パケットチャネル要求コードポイント（１１ビット）−注１参照
・割り当てられたｅＴＦＩ（８ビット）−注２及び３参照
・割り当てられたｅＵＳＦ（８ビット）−注２及び３参照
・タイミングアドバンス（８ビット）−注４参照
・ＦＮ情報（１６ビット）−注５参照
【００２１】
注１：静的無線パラメータ１３４の一部としてＩＡ残余オクテットＩＥが送信される場合に、本情報が提供されると、本情報は、１１ビットのアクセス要求コードポイント値をオーバーライドする。
【００２２】
注２：これは、ＲＡＩＤにより示される静的無線パラメータ１３４のセットがＲＬＣ／ＭＡＣ拡張群をサポートするＭＳ１０４１、１０４２、１０４３、１０４４、…１０４ｎについてのみ使用されることを前提とする（即ち、８ビットのＴＦＩ値及びＵＳＦ値をサポートするＲＬＣ／ＭＡＣプロトコルを有することは、これらパケット無線リソース上で後方互換性がサポートされないであろうことを意味する）。
【００２３】
注３：ＢＳＳ１０２が、（例えば）ＭＳ１０４１へ拡張即時割り当てメッセージ１３２を送信した後に、割り当てられたパケット無線リソースへとＭＳ１０４１が移動するまで待機し、そしてＭＳ１０４１へｅＵＳＦ情報１３６´を含む新たなＰＡＣＣＨメッセージ１３８を送信する場合には、拡張即時割り当てメッセージ１３２の外にｅＵＳＦ情報を残すことを容認し得るであろう。言い換えれば、ｅＵＳＦ情報１３６が拡張即時割り当てメッセージ１３２に無い場合、（例えば）ＭＳ１０４１は、割り当てられたパケット無線リソース上で何らかのアップリンク送信を行い得る前に、ＰＡＣＣＨ１４０上で送信される新たなＲＬＣ／ＭＡＣ制御メッセージ１３８においてｅＵＳＦ情報１３６´の受信を待ち受けるであろう。同様に、拡張即時割り当てメッセージ１３２は、ｅＴＦＩ値（８ビット）の代わりにレガシーのＴＦＩ値（５ビット）を含むことができ、そのケースでは、（例えば）ＭＳ１０４１は、ＰＡＣＣＨ１４０上で送信される新たなＲＬＣ／ＭＡＣ制御メッセージ１３８においてｅＴＦＩ割り当て１３６´を受信するまで、レガシーＴＦＩ値を使用するであろう。拡張即時割り当てメッセージ１３２と共に送信される動的無線パラメータ１３６を補足するためにＰＡＣＣＨシグナリングが使用される場合にはいつでも、（例えば）ＭＳ１０４１は、レガシーの１フェーズ（又は２フェース）のアクセス手続の通りの完全な競合解決を処理し得る前に、そのＲＬＣ／ＭＡＣ制御メッセージ１３８を受信しなければならない。
【００２４】
注４：ＢＳＳ１０２が、（例えば）ＭＳ１０４１へ拡張即時割り当てメッセージ１３２を送信した後に、割り当てられたパケット無線リソースへとＭＳ１０４１が移動するまで待機し、そしてＭＳ１０４１へＰＡＣＣＨ１４０上でタイミングアドバンス情報１３６´を含むＲＬＣ／ＭＡＣ制御メッセージ１３８を送信する場合には、拡張即時割り当てメッセージ１３２の外にタイミングアドバンス情報１３６を残すことを容認し得るであろう。言い換えれば、タイミングアドバンス情報が拡張即時割り当てメッセージ１３２に無い場合、（例えば）ＭＳ１０４１は、割り当てられたパケット無線リソース上で何らかのアップリンク送信を行い得る前に、ＰＡＣＣＨ１４０上での当該情報の受信を待ち受けるであろう。
【００２５】
注５：拡張パケットチャネル要求メッセージ１２４（表１参照）内に８ビットの“ランダムビット”フィールドを含めることで、拡張即時割り当てメッセージ１３２に何らかのＦＮ関連情報を含めるという必要性が排除され得る（即ち、２つ以上のＭＳ１０４１、１０４２、１０４３、１０４４、…１０４ｎの間のアクセスの衝突のケースについて、全てのあり得る曖昧さは、競合解決が完了した際に除去されるであろう。しかし、８ビットの“ランダムビット”フィールドを有することで、拡張パケットチャネル要求メッセージ１２４（ＲＡＣＨ１２６）−拡張即時割り当てメッセージ１３２（ＡＧＣＨ１０６）の交換の後に依然として複数のＭＳ１０４１、１０４２、１０４３、１０４４、…１０４ｎが競合状態にある確率が容認し得るほど低いことが、十分保証されるものと見ることができる。その代わりに、ＦＮ（フレーム番号）のある部分をレガシーの要求リファレンスＩＥ内で搬送することができ、それはＴ１´などとして含まれ得る（図１Ｂ参照）。レガシーの要求リファレンス情報エレメントの目的は、ＲＡＣＨ１２６上で送信されるアクセス要求メッセージ１２４において使用されるランダムアクセス情報と、アクセス要求１２４が受信されたフレーム番号（ＦＮ）の４２４３２を法とする剰余と、を提供することである。このケースでは、図１Ｂに示したレガシーの要求リファレンス情報エレメントは、次のように符号化されることになる。
・ＲＡ、ランダムアクセス情報（オクテット２）。これは、未フォーマットの８ビットフィールドである。典型的には、本フィールドの内容は、図１Ｃに示したチャネル要求メッセージと同じように符号化される。
・Ｔ１´（オクテット２）。Ｔ１´フィールドは、（ＦＮ／１３２６）ｍｏｄ３２のバイナリ表現として符号化される。
・Ｔ３（オクテット３及び４）。Ｔ３フィールドは、ＦＮｍｏｄ５１のバイナリ表現として符号化される。オクテット２のビット３が最上位ビットであり、オクテット３のビット６が最下位ビットである。
・Ｔ２（オクテット４）。Ｔ２フィールドは、ＦＮｍｏｄ２６のバイナリ表現として符号化される。注：フレーム番号ＦＮの４２４３２を法とする剰余を、５１×（（Ｔ３−Ｔ２）ｍｏｄ２６）＋Ｔ３＋５１×２６×Ｔ１´として計算することができる。
【００２６】
留意すべきこととして、拡張ＲＡ（５ビットフィールド）をレガシーの即時割り当て（ＩＡ）メッセージのＩＡ残余オクテットＩＥ内に含めることができ、その内容は、３ＧＰＰ  ＴＳ４４．０６０（その内容は参照によりここに取り入れられる）において定義されているＥＧＰＲＳ  ＰＡＣＫＥＴ  ＣＨＡＮＮＥＬ  ＲＥＱＵＥＳＴメッセージの下位５ビットからなる。それが含められるのは、１１ビットのアクセス要求メッセージ１２４のケースのためであり、なぜなら、図１Ｂにおける要求リファレンスＩＥの（レガシーＩＡメッセージ内にも含まれる）ＲＡフィールドは、８ビットの情報しか提供せず、そのため全１１ビットのアクセス要求メッセージは、拡張ＲＡ  ＩＥにより提供される補足情報を用いてのみ（例えば）ＭＳ１０４１へエコーされ得るためである。上述した動的無線パラメータ１３６は、次の図２に示したように、拡張即時割り当てメッセージ１３２のＥＩＡ残余オクテットＩＥ内で搬送され得る：
【００２７】
【表２】
2015512596.tif 000004
【００２８】
ＥＩＡ残余オクテット（EIA  Rest  Octets）ＩＥの長さとＬ２疑似レングス（L2  Pseudo  Length）ＩＥとの和は、２２に等しい（表２参照）。Ｌ２疑似レングスは、ＥＩＡメッセージ１３２内に現れる、ＥＩＡ残余オクテット情報エレメント及びＬ２疑似レングス情報エレメント（即ち、２オクテット）を除く全ての情報エレメントの長さの和である。これにより、ＥＩＡ残余オクテットのために２０オクテットの空白が残されており、それを可変的な数のＭＳ１０４１、１０４２、１０４３、１０４４、…１０４ｎについての動的無線パラメータ１３６を次のように提供するために使用することができる：
【００２９】
［ＥＩＡキャパシティゲイン  ケース１］
このケースでは、ＥＩＡ残余オクテットＩＥにより宛て先指定される各ＭＳ１０４１、１０４２、１０４３、１０４４、…１０４ｎについて、上述した動的無線パラメータ１３６の全てが含められる。これは、宛て先指定されたＭＳ１０４１、１０４２、１０４３、１０４４、…１０４ｎごとに６オクテット＋５ビットへと解釈され、従って拡張即時割り当てメッセージ１３２の各インスタンスにより３個の別々のＭＳを宛て先指定することが可能であり、（１つのＭＳについての無線リソースを提供する）レガシーの即時割り当てメッセージの使用と比較した場合、ＡＧＣＨ１０６のキャパシティにおける３倍の増加をもたらす。
【００３０】
［ＥＩＡキャパシティゲイン  ケース２］
このケースでは、ＥＩＡ残余オクテットＩＥにより宛て先指定される各ＭＳ１０４１、１０４２、１０４３、１０４４、…１０４ｎについて、次のように、上述した動的無線パラメータ１３６のサブセットのみが含められる。
・ＳＤＴ無線パラメータ１３４の適用可能なセットに対応するＲＡＩＤ（２ビット）
・エコーされる拡張パケットチャネル要求コードポイント（１１ビット）
・割り当てられたｅＴＦＩ（８ビット）
【００３１】
これは、宛て先指定されたＭＳ１０４１、１０４２、１０４３、１０４４、…１０４ｎごとに２オクテット＋５ビットへと解釈され、拡張即時割り当てメッセージ１３２の各インスタンスにより６個の別々のＭＳを宛て先指定することが可能であり、（１つのＭＳについての無線リソースを提供する）レガシーの即時割り当てメッセージの使用と比較した場合、ＡＧＣＨ１０６のキャパシティにおける６倍の増加をもたらす。
【００３２】
［ＥＩＡキャパシティゲイン  ケース３］
このケースでは、ＥＩＡ残余オクテットＩＥにより宛て先指定される各ＭＳ１０４１、１０４２、１０４３、１０４４、…１０４ｎについて、次のように、上述した動的無線パラメータ１３６のサブセットのみが含められる。
・ＳＤＴ無線パラメータ１３４の適用可能なセットに対応するＲＡＩＤ（２ビット）
・エコーされる拡張パケットチャネル要求コードポイント（１１ビット）
・割り当てられたレガシーＴＦＩ（５ビット）
【００３３】
これは、宛て先指定されたＭＳ１０４１、１０４２、１０４３、１０４４、…１０４ｎごとに２オクテット＋２ビットへと解釈され、拡張即時割り当てメッセージ１３２の各インスタンスにより８個の別々のＭＳを宛て先指定することが可能であり、（１つのＭＳについての無線リソースを提供する）レガシーの即時割り当てメッセージの使用と比較した場合、ＡＧＣＨ１０６のキャパシティにおける８倍の増加をもたらす。
【００３４】
［ＥＩＡキャパシティゲイン  ケース４］
このケースでは、ＥＩＡ残余オクテットＩＥにより宛て先指定される各ＭＳ１０４１、１０４２、１０４３、１０４４、…１０４ｎについて、次のように、上述した動的無線パラメータ１３６のサブセットのみが含められる。
・ＳＤＴ無線パラメータ１３４の適用可能なセットに対応するＲＡＩＤ（２ビット）
・エコーされる拡張パケットチャネル要求コードポイント（１１ビット）
・割り当てられたレガシーＴＦＩ（５ビット）
【００３５】
ｅＴＦＩ（８ビット）の単一のインスタンスもまた、拡張即時割り当てメッセージ１３２に含められ、宛て先指定される１番目のＭＳは、そのインスタンスを自身に割り当てられたｅＴＦＩ値と見なすであろう。宛て先指定される２番目のＭＳは、ｅＴＦＩ＋１を自身に割り当てられたｅＴＦＩ値と見なし、宛て先指定される３番目のＭＳは、ｅＴＦＩ＋２を自身に割り当てられたｅＴＦＩ値と見なす、などとなるであろう。
【００３６】
これは、宛て先指定されたＭＳごとに１オクテット＋５ビット、＋８ビットのｅＴＦＩ値の１つのインスタンス、へと解釈され、拡張即時割り当てメッセージ１３２の各インスタンスにより１１個の別々のＭＳを宛て先指定することが可能であり、（１つのＭＳについての無線リソースを提供する）レガシーの即時割り当てメッセージの使用と比較した場合、ＡＧＣＨ１０６のキャパシティにおける１１倍の増加をもたらす。
【００３７】
留意すべきこととして、以下の競合解決では、ＢＳＳ１０２は、静的無線パラメータ１３４の１つ以上の追加的なセット１３４´をＭＳ１０４１、１０４２、１０４３、１０４４、…１０４ｎへ送信するために、ＰＡＣＣＨシグナリング１３８を使用することを選択し得る。そして、ＢＳＳ１０２は、当該ＭＳ１０４１、１０４２、１０４３、１０４４、…１０４ｎへ送信する後続の拡張即時割り当てメッセージ内でＲＡＩＤを用いて、それら静的無線パラメータ１３４´を参照することができる。これにより、従って、ＢＳＳ１０２が
あるＭＳのクラス（例えば、据え置き型ＭＳなど）を対象とし得るＭＳ固有の静的無線パラメータ１３４´を維持することが可能となり、静的無線パラメータ１３４を伝達するために使用されるＳＩ１２０の帯域幅の量を最小化することが可能となり得る。例えば、ＭＳ１０４１、１０４２、１０４３、１０４４、…１０４ｎの特定のサブセットについて必要に応じて静的無線パラメータの情報を補足するためにＰＡＣＣＨ１４０が使用される場合には、静的無線パラメータ１３４の単一のセットのみを、ＳＩ１２０の一部として含めればよい。
【００３８】
図１Ｄを参照すると、本発明の第１の実施形態に従って、複数のＭＳ１０４１、１０４２、１０４３、１０４４、…１０４ｎとインタラクションし、ＡＧＣＨ１０６のキャパシティを改善する手続を実行するように構成されるＢＳＳ１０２、により実装される例示的な方法１００ｄのフローチャートがある。ＢＳＳ１０２は、プロセッサ１１０と、プロセッサにより実行可能な命令を記憶するメモリ１１２と、を含み、プロセッサ１１０は、メモリ１１２とインタフェースし、プロセッサにより実行可能な当該命令を実行して、次に議論するような方法１００ｄのステップ群を遂行する。ステップ１０２ｄにおいて、ＢＳＳ１０２は、ＭＳ１０４１、１０４２、１０４３、１０４４、…１０４ｎへＢＣＣＨ１２２上で新たなＳＩ１２０をブロードキャストする。新たなＳＩ１２０は、パケット無線リソースの予め決定されるセット１３４（即ち、静的無線パラメータ１３４）を含み、これらパラメータは、ＭＳ１０４１、１０４２、１０４３、１０４４、…１０４ｎの任意の１つがＳＤＴ１３０ａ又はＩＭＴ１３０ｂによりトリガされてアップリンクＴＢＦ１２８を確立する都度、ＭＳ１０４１、１０４２、１０４３、１０４４、…１０４ｎにより使用されることになる。ステップ１０４ｄにおいて、ＢＳＳ１０２は、その時にＳＤＴ１３０ａ又はＩＭＴ１３０ｂを送信することを望んでいてアップリンクＴＢＦ１２８を確立することを要求している（例えば）１つ以上のＭＳ１０４１及び１０４３から、（許容される（即ち制限される）アクセス時間インターバルの範囲内で）ＲＡＣＨ１２６上で１つ以上のアクセス要求１２４を受信する。アクセス要求１２４の受信に応じて、ＢＳＳ１０２は、ステップ２０６ｄにおいて、要求側のＭＳ１０４１及び１０４３のために、ＡＧＣＨ１０６上で即時割り当てメッセージ１３２を送信する。即時割り当てメッセージ１３２は、対応するアップリンクＴＢＦ１２８を確立し及び対応するＳＤＴ１３０ａ又はＩＭＴ１３０ｂを送信する際に（例えば）要求側のＭＳ１０４１及び１０４３により静的無線パラメータ１３４と共に使用されるべき動的無線パラメータの少なくとも一部１３６を含む。結局、ＢＳＳ１０２は、ステップ１０６ｄの期間中に送信された即時割り当てメッセージ１３２に動的無線パラメータの全てを含んではおらず、それらパラメータは要求側のＭＳ１０４１及び１０４３によりアップリンクＴＢＦ１２８を確立するために必要とされるものであり、そこで、ＢＳＳ１０２は、ステップ１０８ｄにおいて、要求側のＭＳ１０４１及び１０４３へ、ＰＡＣＣＨ１４０上のメッセージ１３８において動的無線パラメータの残りの部分１３６´を送信し得る。望ましいのであれば、ＢＳＳ１０２は、ステップ１１０ｄにおいて、ＭＳ１０４１及び１０４３へ、ＰＡＣＣＨ１４０上のメッセージ１３８（又は残りの動的無線パラメータ１３６´が送信されないならば他の何らかのＰＡＣＣＨメッセージ）において追加的な静的無線パラメータ１３４´を送信し得る。そして、ＭＳ１０４１及び１０４３は、静的無線パラメータ１３４（及び、送信されたならば追加的な静的無線パラメータ１３４´）、（即時割り当てメッセージ１３２内に含まれる）動的無線パラメータの一部１���６、並びに（メッセージ１３８において送信されたならば）動的無線パラメータの残りの部分１３６´を用いて、対応するアップリンクＴＢＦ１２８を確立して、対応するＳＤＴ１３０ａ又はＩＭＴ１３０ｂを送信するであろう。
【００３９】
図１Ｅを参照すると、本発明の第１の実施形態に従って、ＢＳＳ１０２とインタラクションし及びＡＧＣＨ１０６のキャパシティを改善するように構成される（例えば）ＭＳ１０４１により実装される例示的な方法１００ｅのフローチャートがある。ＭＳ１０４１は、プロセッサ１１６と、プロセッサにより実行可能な命令を記憶するメモリ１１８と、を含み、プロセッサ１１６は、メモリ１１８とインタフェースし、プロセッサにより実行可能な当該命令を実行して、次に議論するような方法１００ｅのステップ群を遂行する。ステップ１０２ｅにおいて、ＭＳ１０４１は、ＢＳＳ１０２からＢＣＣＨ１２２上で新たなＳＩ１２０を受信する。新たなＳＩ１２０は、ＭＳ１０４１がＳＤＴ１３０ａ又はＩＭＴ１３０ｂによりトリガされてアップリンクＴＢＦ１２８を確立する際にＭＳ１０４１により使用されるべきパケット無線リソースの予め決定されるセット１３４（即ち、静的無線パラメータ１３４）を含む。ステップ１０４ｅにおいて、ＭＳ１０４１は、ＳＤＴ１３０ａ又はＩＭＴ１３０ｂによりトリガされたアップリンクＴＢＦ１２８の確立を要求する際に、ＲＡＣＨ１２６上でアクセス要求１２４を送信する。ステップ１０６ｅにおいて、ＭＳ１０４１は、ＢＳＳ１０２からＡＧＣＨ１０６上で即時割り当てメッセージ１３２を受信する。即時割り当てメッセージ１３２は、静的無線パラメータ１３４と共に、対応するアップリンクＴＢＦ１２８を確立して対応するＳＤＴ１３０ａ又はＩＭＴ１３０ｂを送信する際にＭＳ１０４１により使用されるべき動的無線パラメータの少なくとも一部１３６を含む。結局、ＢＳＳ１０２は、即時割り当てメッセージ１３２に動的無線パラメータの全てを含んではおらず、それらパラメータはＭＳ１０４１によりアップリンクＴＢＦ１２８を確立するために必要とされるものであり、そこで、ＭＳ１０４１は、ステップ１０８ｅにおいて、ＰＡＣＣＨ１４０上のメッセージ１３８において動的無線パラメータの残りの部分１３６´をＢＳＳ１０２から受信するであろう。さらに、ＭＳ１０４１は、ステップ１１０ｅにおいて、ＢＳＳ１０２から、ＰＡＣＣＨ１４０上のメッセージ１３８（又は残りの動的無線パラメータ１３６´が送信されないならば他の何らかのＰＡＣＣＨメッセージ）において追加的な静的無線パラメータ１３４´を受信し得る。ステップ１１２ｅにおいて、ＭＳ１０４１は、静的無線パラメータ１３４（及び、送信されたならば追加的な静的無線パラメータ１３４´）、（即時割り当てメッセージ１３２内に含まれる）動的無線パラメータの一部１３６、並びに（メッセージ１３８において送信されたならば）動的無線パラメータの残りの部分１３６´を用いて、アップリンクＴＢＦ１２８を確立して、ＳＤＴ１３０ａ又はＩＭＴ１３０ｂを送信するであろう。
【００４０】
図２Ａを参照すると、本発明の第２の実施形態に従ってＡＧＣＨ１０６のキャパシティを改善するためにＢＳＳ１０２と複数のＭＳ１０４１、１０４２、１０４３、１０４４、…１０４ｎ（複数のＭＳ１０４が示されている）との間で生じる基本的な無線シグナリングを例示する図がある。図示したように、ＢＳＳ１０２は、ＭＳ１０４１、１０４２、１０４３、１０４４、…１０４ｎへ、ＢＣＣＨ１２２上で新たなＳＩ１２０をブロードキャストする（ステップ１）。新たなＳＩ１２０は、ＢＳＳ１０２がＡＧＣＨ１０６のキャパシティを改善するための最適化されたシステムアクセス手続を実行するように構成されていることを、ＭＳ１０４１、１０４２、１０４３、１０４４、…１０４ｎへ示すインジケータ３０２を含む。新たなＳＩ１２０の内容は、レガシーＳＩ１３メッセージ又は即時割り当てメッセージ１３２のいずれかにより適切な静的無線パラメータ１３４が提供される場合には、この単一のインジケータ３０２を提供することに限定され得る。ＢＳＳ１０２は、その時にＳＤＴ１３０ａ又はＩＭＴ１３０ｂを送信することを望んでいてアップリンクＴＢＦ１２８を確立することを要求している（例えば）１つ以上のＭＳ１０４１及び１０４３から、ＲＡＣＨ１２６上で１つ以上のアクセス要求１２４を受信する（ステップ２）。（注：ＭＳは、ＢＳＳ１０２がＡＧＣＨのキャパシティを改善するために最適化されたシステムアクセス手続を実行するように構成されている場合にのみ、アクセス要求１２４を送信するであろう）。アクセス要求１２４の受信に応じて、ＢＳＳ１０２は、要求側のＭＳ１０４１及び１０４３へＡＧＣＨ１０６上で即時割り当てメッセージ１３２を送信する（ステップ３）。即時割り当てメッセージ１３２は、パケット無線リソースの予め決定されるセット１３４（即ち、静的無線パラメータ１３４−第１の実施形態において説明したものと同じ）、及び、動的無線パラメータの少なくとも一部１３６（第１の実施形態において説明したものと同じ）を含み、その双方は、対応するアップリンクＴＢＦ１２８を確立して対応するＳＤＴ１３０ａ又はＩＭＴ１３０ｂを送信する際に要求側のＭＳ１０４１及び１０４３により使用されることになる（ステップ４）。許容されるアクセス時間インターバルの期間中にＢＳＳ１０２へ１つの（例えば）ＭＳ１０４１のみがアクセス要求１２４を送信する場合、ＢＳＳ１０２は、個別のＭＳ１０４１へ静的無線パラメータ１３４及び動的無線パラメータ１３６を含むレガシーの即時割り当てメッセージを送信することを選択し得る。それにより、アップリンクＴＢＦ１２８を確立し及びＳＤＴ１３０ａ又はＩＭＴ１３０ｂを送信することができる。あるいは、ＢＳＳ１０２は、個別のＭＳ１０４１へ即時割り当てメッセージ１３２を送信することもでき、それにより、アップリンクＴＢＦ１２８を確立し及びＳＤＴ１３０ａ又はＩＭＴ１３０ｂを送信することができる。
【００４１】
望ましいのであれば、ＢＳＳ１０２は、アップリンクＴＢＦ１２８を確立するために要求側のＭＳ１０４１及び１０４３により必要とされる動的無線パラメータの全てを、即時割り当てメッセージ１３２内に含めなくてもよい。このケースでは、ＢＳＳ１０２は、即時割り当てメッセージ１３２により宛て先指定された要求側のＭＳ１０４１及び１０４３へ、ＰＡＣＣＨ１４０上のメッセージ１３８において、動的無線パラメータの残りの部分１３６´を送信するであろう（ステップ５）。さらに、ＢＳＳ１０２は、要求側のＭＳ１０４１及び１０４３へ、ＰＡＣＣＨ１４０上のメッセージ１３８（又は残りの動的無線パラメータ１３６´が送信されないならば他の何らかのメッセージ）において、追加的な静的無線パラメータ１３４´を送信し得る（ステップ５）。そして、要求側のＭＳ１０４１及び１０４３は、上記静的無線パラメータ１３４（及び、送信されたならば追加的な静的無線パラメータ１３４´）、（即時割り当てメッセージ１３２内に含まれる）動的無線パラメータ１３６の上記一部、並びに（メッセージ１３８において送信されたならば）動的無線パラメータの残りの部分１３６´を用いて、対応するアップリンクＴＢＦを確立して、対応するＳＤＴ１３０ａ又はＩＭＴ１３０ｂを送信するであろう（ステップ６）。いずれにしろ、本処理は、本発明のように複数の（例えば）ＭＳ１０４１及び１０４３へ即時割り当てメッセージ１３２を送信するように構成されるよりもむしろ旧来のＢＳＳは一度に１つのＭＳにのみ即時割り当てメッセージを送信するように構成されていたことから、従来技術に対する際立った改善であり、同時に、ＡＧＣＨ１０６のキャパシティが改善される。
【００４２】
図２Ｂを参照すると、本発明の第２の実施形態に従って、複数のＭＳ１０４１、１０４２、１０４３、１０４４、…１０４ｎとインタラクションし、ＡＧＣＨ１０６のキャパシティを改善する手続を実行するように構成されるＢＳＳ１０２、により実装される例示的な方法２００ｂのフローチャートがある。ＢＳＳ１０２は、プロセッサ１１０と、プロセッサにより実行可能な命令を記憶するメモリ１１２と、を含み、プロセッサ１１０は、メモリ１１２とインタフェースし、プロセッサにより実行可能な当該命令を実行して、次に議論するような方法２００ｂのステップ群を遂行する。ステップ２０２ｂにおいて、ＢＳＳ１０２は、ＭＳ１０４１、１０４２、１０４３、１０４４、…１０４ｎへＢＣＣＨ１２２上で新たなＳＩ１２０をブロードキャストする。新たなＳＩ１２０は、ＢＳＳ１０２がＡＧＣＨ１０６のキャパシティを改善するための手続を実行するように構成されていることを、ＭＳ１０４１、１０４２、１０４３、１０４４、…１０４ｎへ示すインジケータ３０２を含む。ステップ２０４ｂにおいて、ＢＳＳ１０２は、その時にＳＤＴ１３０ａ又はＩＭＴ１３０ｂを送信することを望んでいてアップリンクＴＢＦ１２８を確立することを要求している（例えば）１つ以上のＭＳ１０４１及び１０４３から、（許容される（即ち制限される）アクセス時間インターバルの範囲内で）ＲＡＣＨ１２６上で１つ以上のアクセス要求１２４を受信する。アクセス要求１２４の受信に応じて、ＢＳＳ１０２は、ステップ２０６ｂにおいて、要求側のＭＳ１０４１及び１０４３のために、ＡＧＣＨ１０６上で即時割り当てメッセージ１３２を送信する。即時割り当てメッセージ１３２は、パケット無線リソースの予め決定されるセット１３４（即ち、静的無線パラメータ１３４−第１の実施形態において説明したものと同じ）、及び、動的無線パラメータの少なくとも一部１３６（第１の実施形態において説明したものと同じ）を含み、その双方は、対応するアップリンクＴＢＦ１２８を確立して対応するＳＤＴ１３０ａ又はＩＭＴ１３０ｂを送信する際に要求側のＭＳ１０４１及び１０４３により使用されることになる。結局、ＢＳＳ１０２は、即時割り当てメッセージ１３２に動的無線パラメータの全てを含んではおらず、それらパラメータは要求側のＭＳ１０４１及び１０４３によりアップリンクＴＢＦ１２８を確立するために必要とされるものであり、そこで、ＢＳＳ１０２は、ステップ２０８ｂにおいて、要求側のＭＳ１０４１及び１０４３へ、ＰＡＣＣＨ１４０上のメッセージ１３８において動的無線パラメータの残りの部分１３６´を送信するであろう。望ましいのであれば、ＢＳＳ１０２は、ステップ２１０ｂにおいて、要求側のＭＳ１０４１及び１０４３へ、ＰＡＣＣＨ１４０上のメッセージ１３８（又は残りの動的無線パラメータ１３６´が送信されないならば他の何らかのメッセージ）において追加的な静的無線パラメータ１３４´を送信し得る。そして、要求側のＭＳ１０４１及び１０４３は、静的無線パラメータ１３４（及び、送信されたならば追加的な静的無線パラメータ１３４´）、（即時割り当てメッセージ１３２内に含まれる）動的無線パラメータの一部１３６、並びに（メッセージ１３８にお���て送信されたならば）動的無線パラメータの残りの部分１３６´を用いて、対応するアップリンクＴＢＦ１２８を確立して、対応するＳＤＴ１３０ａ又はＩＭＴ１３０ｂを送信するであろう。
【００４３】
図２Ｃを参照すると、本発明の第２の実施形態に従って、ＢＳＳ１０２とインタラクションし及びＡＧＣＨ１０６のキャパシティを改善するように構成される（例えば）ＭＳ１０４１により実装される例示的な方法２００ｃのフローチャートがある。ＭＳ１０４１は、プロセッサ１１６と、プロセッサにより実行可能な命令を記憶するメモリ１１８と、を含み、プロセッサ１１６は、メモリ１１８とインタフェースし、プロセッサにより実行可能な当該命令を実行して、次に議論するような方法２００ｃのステップ群を遂行する。ステップ２０２ｃにおいて、ＭＳ１０４１は、ＢＳＳ１０２からＢＣＣＨ１２２上で新たなＳＩ１２０を受信する。新たなＳＩ１２０は、ＢＳＳ１０２がＡＧＣＨ１０６のキャパシティを改善するための手続を実行するように構成されていることを、ＭＳ１０４１、１０４２、１０４３、１０４４、…１０４ｎへ示すインジケータ３０２を含む。ステップ２０４ｃにおいて、ＭＳ１０４１は、ＳＤＴ１３０ａ又はＩＭＴ１３０ｂによりトリガされたアップリンクＴＢＦ１２８の確立を要求する際に、ＲＡＣＨ１２６上でアクセス要求１２４を送信する。ステップ２０６ｃにおいて、ＭＳ１０４１は、ＢＳＳ１０２からＡＧＣＨ１０６上で即時割り当てメッセージ１３２を受信する。即時割り当てメッセージ１３２は、パケット無線リソースの予め決定されるセット１３４（即ち、静的無線パラメータ１３４−第１の実施形態において説明したものと同じ）、及び、動的無線パラメータの少なくとも一部１３６（第１の実施形態において説明したものと同じ）を含み、その双方は、対応するアップリンクＴＢＦ１２８を確立して対応するＳＤＴ１３０ａ又はＩＭＴ１３０ｂを送信する際に要求側のＭＳ１０４１及び１０４３により使用されることになる。結局、ＢＳＳ１０２は、即時割り当てメッセージ１３２に動的無線パラメータの全てを含んではおらず、それらパラメータはＭＳ１０４１によりアップリンクＴＢＦ１２８を確立するために必要とされるものであり、そこで、ＭＳ１０４１は、ステップ２０８ｃにおいて、ＰＡＣＣＨ１４０上のメッセージ１３８において動的無線パラメータの残りの部分１３６´をＢＳＳ１０２から受信するであろう。さらに、ＭＳ１０４１は、ステップ２１０ｃにおいて、ＢＳＳ１０２から、ＰＡＣＣＨ１４０上のメッセージ１３８（又は残りの動的無線パラメータ１３６´が送信されないならば他の何らかのメッセージ）において追加的な静的無線パラメータ１３４´を受信し得る。ステップ２１２ｃにおいて、ＭＳ１０４１は、静的無線パラメータ１３４（及び、送信されたならば追加的な静的無線パラメータ１３４´）、（即時割り当てメッセージ１３２内に含まれる）動的無線パラメータの一部１３６、並びに（メッセージ１３８において送信されたならば）動的無線パラメータの残りの部分１３６´を用いて、アップリンクＴＢＦ１２８を確立して、ＳＤＴ１３０ａ又はＩＭＴ１３０ｂを送信するであろう。
【００４４】
図３Ａを参照すると、本発明の第３の実施形態に従ってＡＧＣＨ１０６のキャパシティを改善するためにＢＳＳ１０２と複数のＭＳ１０４１、１０４２、１０４３、１０４４、…１０４ｎ（複数のＭＳ１０４が示されている）との間で生じる基本的な無線シグナリングを例示する図がある。図示したように、ＢＳＳ１０２は、ＭＳ１０４１、１０４２、１０４３、１０４４、…１０４ｎへ、代替ＩＤ（alternative  identities）３０２１、３０２２、３０２３、３０２４、…３０２ｎ（一時ＯＳＡＰ  ＩＤ３０２１、３０２２、３０２３、３０２４、…３０２ｎ）を割り当てる（ステップ１）。より具体的には、ＭＳ１０４１には代替ＩＤ３０２１が割り当てられ、ＭＳ１０４２には代替ＩＤ３０２２が割り当てられ、ＭＳ１０４３には代替ＩＤ３０２３が割り当てられ、ＭＳ１０４４には代替ＩＤ３０２４が割り当てられ、及びＭＳ１０４ｎには代替ＩＤ３０２ｎが割り当てられる。ＢＳＳ１０２は、各代替ＩＤ３０２１、３０２２、３０２３、３０２４、…３０２ｎが特定のセル３０３の範囲内で一意となるように、セル別の基準で各代替ＩＤ３０２１、３０２２、３０２３、３０２４、…３０２ｎを各ＭＳ１０４１、１０４２、１０４３、１０４４、…１０４ｎへ割り当てる。この例では、ＭＳ１０４１、１０４２、１０４３、１０４４、…１０４ｎは、同じセル３０３の範囲内に全て位置する。加えて、ＢＳＳ１０２は、代替ＩＤ３０２１、３０２２、３０２３、３０２４、…３０２ｎをＭＳ１０４１、１０４２、１０４３、１０４４、…１０４ｎへ割り当てる際に、各ＭＳ１０４１、１０４２、１０４３、１０４４、…１０４ｎについて対応する準備タイマ（ready  timer）３０４１、３０４２、３０４３、３０４４、…３０４ｎを開始する（これらは、ＭＳとＳＧＳＮとにより維持されるレガシーのＲＥＡＤＹタイマの残りの部分を反映し、即ちレガシーのＲＥＡＤＹタイマを管理するための手続は不変に維持される）。各代替ＩＤ３０２１、３０２２、３０２３、３０２４、…３０２ｎは、対応する準備タイマ３０４１、３０４２、３０４３、３０４４、…３０４ｎが稼動している間に有効性を維持される。
【００４５】
ＢＳＳ１０２は、代替ＩＤ３０２１、３０２２、３０２３、３０２４、…３０２ｎをＭＳ１０４１、１０４２、１０４３、１０４４、…１０４ｎへ送信する（ステップ２）。より具体的には、ＢＳＳ１０２は、各ＭＳ１０４１、１０４２、１０４３、１０４４、…１０４ｎについてＴＢＦが継続中（ongoing）である間、ＰＡＣＣＨシグナリング１４０を利用して、各ＭＳ１０４１、１０４２、１０４３、１０４４、…１０４ｎへ各代替ＩＤ３０２１、３０２２、３０２３、３０２４、…３０２ｎを送信する。ＢＳＳ１０２は、複数の代替ＩＤ３０２１、３０２２、３０２３、３０２４、…３０２ｎを複数のＭＳ１０４１、１０４２、１０４３、１０４４、…１０４ｎへ、当該複数のＭＳ１０４１、１０４２、１０４３、１０４４、…１０４ｎが各々継続中のＴＢＦを有している限り、同じＰＡＣＣＨシグナリング１４０を用いて同時に送信し得る。あるいは、ＢＳＳ１０２は、ＭＳ１０４１、１０４２、１０４３、１０４４、…１０４ｎのうちの、ある１つの進行中のＴＢＦを偶然有する１つ以上へ、代替ＩＤ３０２１、３０２２、３０２３、３０２４、…３０２ｎのうちの１つ以上を異なる時間に異なるＰＡＣＣＨシグナリング１４０を用いて送信してもよい（このシナリオが示されている）。
【００４６】
ステップ１及び２の後、ＢＳＳ１０２は、アイドルモードにあり且つその対応する準備タイマ３０４１、３０４２、３０４３、３０４４、…３０４ｎ（例えば、準備タイマ３０４１及び３０４３）が依然として稼動していることから依然として有効な代替ＩＤ３０２１、３０２２、３０２３、３０２４、…３０２ｎ（例えば、代替ＩＤ３０２１及び３０２３）を伴うＭＳ１０４１、１０４２、１０４３、１０４４、…１０４ｎのうちの少なくとも１つ（例えば、ＭＳ１０４１及び１０４３）のためのダウンリンクペイロード３０６（例えば、ダウリンクペイロード３０６１及び３０６３）を受信すると、ＭＳ１０４１、１０４２、１０４３、１０４４、…１０４ｎのうちの当該少なくとも１つ（例えば、ＭＳ１０４１及び１０４３）へＡＧＣＨ１０６上で即時割り当てメッセージ１３２を送信することにより、ダウンリンクＴＢＦの確立を開始するであろう（ステップ３）。ＢＳＳ１０２は、１つよりも多くのＭＳ１０４１、１０４２、１０４３、１０４４、…１０４ｎへ１つの即時割り当てメッセージ１３２を送信することができ、これはＡＧＣＨ１０６のキャパシティを改善させる。なぜなら、過去のＢＳＳは、１つの即時割り当てメッセージを１つのＭＳのみへ送信する必要があったためである。即時割り当てメッセージ１３２は、（１）ＭＳ１０４１及び１０４３についての代替ＩＤ３０２１及び３０２３と、（２）ＭＳ１０４１及び１０４３によりそのそれぞれのダウンリンクペイロード３０６１及び３０６３を受信するためにそのそれぞれのダウンリンクＴＢＦ３０８１及び３０８３を確立する際に使用すべき動的無線パラメータの少なくとも一部１３６と、を含む。ＭＳ１０４１及び１０４３は、そのそれぞれのダウンリンクペイロード３０６１及び３０６３を受信する目的でそのそれぞれのダウンリンクＴＢＦＭＳ３０８１及び３０８３を確立するために、静的無線パラメータ１３４及び１３４´、並びに（必要ならば）動的無線パラメータの残りの部分１３６´をも要する。次に、ＢＳＳ１０２がＭＳ１０４１及び１０４３へいかにして静的無線パラメータ１３４及び１３４´、並びに（必要ならば）動的無線パラメータの残りの部分１３６´を送信し得るかのいくつかの例示的な手法を説明する。
【００４７】
例えば、ＢＳＳ１０２は、ＭＳ１０４１、１０４２、１０４３、１０４４、…１０４ｎへ、それらＭＳがアイドルモードにある間に、ＢＣＣＨ１２２上で新たなＳＩ１２０をブロードキャストし得る（ステップ４）。新たなＳＩ１２０は、ＭＳ１０４１、１０４２、１０４３、１０４４、…１０４ｎがダウンリンクＴＢＦの確立を経験する都度使用すべき静的無線パラメータ１３４を含み得る。留意すべきこととして、ＢＳＳ１０２は、望ましいのであれば、上述したステップ１、２及び／又は３より前の任意の時点で、新たなＳＩ１２０をＭＳ１０４１、１０４２、１０４３、１０４４、…１０４ｎへブロードキャストしてもよい。代替的に、ＢＳＳ１０２は、新たなＳＩ１２０をＭＳ１０４１、１０４２、１０４３、１０４４、…１０４ｎへブロードキャストする代わりに、ＭＳ１０４１及び１０４３へ静的無線パラメータ１３４を送信するために異なるシグナリングを使用し得る。例えば、ＢＳＳ１０２は、ＭＳ１０４１及び１０４３へ送信される即時割り当てメッセージ１３２内に、動的無線パラメータ１３６と共に静的無線パラメータ１３４を含めることができる。
【００４８】
望ましいのであれば、ＢＳＳ１０２は、ＭＳ１０４１及び１０４３によりそれらのダウンリンクＴＢＦ３０８１及び３０８３を確立するために必要とされる動的無線パラメータの全てを、即時割り当てメッセージ１３２内に含めなくてもよい。そうしたケースでは、ＢＳＳ１０２は、即時割り当てメッセージ１３２により宛て先指定された（ステップ３）ＭＳ１０４１及び１０４３へ、ＰＡＣＣＨ１４０上の補足メッセージ（supplemental  message）１３８において、動的無線パラメータの残りの部分１３６´を送信するであろう（ステップ５）。さらに、ＢＳＳ１０２は、望ましいのであれば、即時割り当てメッセージ１３２により宛て先指定された（ステップ３）ＭＳ１０４１及び１０４３へ、ＰＡＣＣＨ１４０上の補足メッセージ１３８において、動的無線パラメータの残りの部分１３６´と共に、追加的な静的無線パラメータ１３４´を送信し得る（ステップ５）。代替的に、ＢＳＳ１０２は、ＭＳ１０４１及び１０４３へ送信すべき残りの動的無線パラメータ１３６´が無い場合であっても、やはり、即時割り当てメッセージ１３２により宛て先指定された（ステップ３）ＭＳ１０４１及び１０４３へ、ＰＡＣＣＨ１４０上の補足メッセージ１３８において、追加的な静的無線パラメータ１３４´を送信し得る（ステップ５）。
【００４９】
その後、要求側のＭＳ１０４１及び１０４３は、それぞれのダウンリンクペイロード３０６１及び３０６３を受信する（ステップ６）ために、静的無線パラメータ１３４（及び、送信されたならば追加的な静的無線パラメータ１３４´）、（即時割り当てメッセージ１３２内に含まれる）動的無線パラメータ１３６の上記一部、並びに（補足メッセージ１３８において送信されたならば）動的無線パラメータの残りの部分１３６´を用いて、それぞれのダウンリンクＴＢＦ３０８１及び３０８３を確立するであろう。本文書において、新たなＳＩ１２０、即時割り当てメッセージ１３２、補足メッセージ１３８、静的無線パラメータ１３４及び１３４´、並びに動的無線パラメータ１３６及び１３６´に関するより詳細な議論を見出すことができる。さらに、ＢＳＳ１０２及びＭＳ１０４１、１０４２、１０４３、１０４４、…１０４ｎは、第１及び第２の実施形態に関連付けられる特徴をも実装しながら、第３の実施形態に関連付けられる特徴を実装することができることが理解されるべきである。
【００５０】
図３Ｂを参照すると、本発明の第３の実施形態に従って複数のＭＳ１０４１、１０４２、１０４３、１０４４、…１０４ｎとインタラクションし及びＡＧＣＨ１０６のキャパシティを改善するための手続を実行するように構成されるＢＳＳ１０２により実装される例示的な方法３００ｂのフローチャートがある。ＢＳＳ１０２は、プロセッサ１１０と、プロセッサにより実行可能な命令を記憶するメモリ１１２と、を含み、プロセッサ１１０は、メモリ１１２とインタフェースし、プロセッサにより実行可能な当該命令を実行して、次に議論するような方法３００ｂのステップ群を遂行する。ステップ３０２ｂにおいて、ＢＳＳ１０２は、ＭＳ１０４１、１０４２、１０４３、１０４４、…１０４ｎへ、代替ＩＤ３０２１、３０２２、３０２３、３０２４、…３０２ｎを割り当てる。ステップ３０４ｂにおいて、ＢＳＳ１０２は、代替ＩＤ３０２１、３０２２、３０２３、３０２４、…３０２ｎをＭＳ１０４１、１０４２、１０４３、１０４４、…１０４ｎへ送信する。ステップ３０６ｂ（オプション）において、ＢＳＳ１０２は、ＭＳ１０４１、１０４２、１０４３、１０４４、…１０４ｎへＢＣＣＨ１２２上で新たなＳＩ１２０をブロードキャストする。新たなＳＩ１２０は、ＭＳ１０４１、１０４２、１０４３、１０４４、…１０４ｎのうちの任意の１つ（例えば、ＭＳ１０４１及び１０４３）によりダウンリンクＴＢＦ（例えば、ダウンリンクＴＢＦ３０８１及び３０８３）の確立を経験する都度使用すべき、パケット無線リソースの予め決定されるセット１３４（即ち、静的無線パラメータ１３４）を含む。ステップ３０２ｂ、３０４ｂ及び（実行されるならば）３０６ｂの後、ＢＳＳ１０２は、アイドルモードにあり且つその対応する準備タイマ３０４１、３０４２、３０４３、３０４４、…３０４ｎ（例えば、準備タイマ３０４１及び３０４３）が依然として稼動していることから依然として有効な代替ＩＤ３０２１、３０２２、３０２３、３０２４、…３０２ｎ（例えば、代替ＩＤ３０２１及び３０２３）を伴うＭＳ１０４１、１０４２、１０４３、１０４４、…１０４ｎのうちの少なくとも１つ（例えば、ＭＳ１０４１及び１０４３）のためのダウンリンクペイロード３０６（例えば、ダウンリンクペイロード３０６１及び３０６３）を受信すると、ＭＳ１０４１、１０４２、１０４３、１０４４、…１０４ｎのうちの当該少なくとも１つ（例えば、ＭＳ１０４１及び１０４３）へＡＧＣＨ１０６上で即時割り当てメッセージ１３２を送信することにより、ステップ３０８ｂにおいてダウンリンクＴＢＦの確立を開始するであろう（注：ＢＳＳ１０２は、１つよりも多くのＭＳ１０４１、１０４２、１０４３、１０４４、…１０４ｎへ１つの即時割り当てメッセージ１３２を送信することができ、これはＡＧＣＨ１０６のキャパシティを改善させる。なぜなら、過去において、ＢＳＳは、１つの即時割り当てメッセージを１つのＭＳのみへ送信する必要があったためである）。即時割り当てメッセージ１３２は、（１）ＭＳ１０４１及び１０４３についての代替ＩＤ３０２１及び３０２３と、（２）ＭＳ１０４１及び１０４３によりそのそれぞれのダウンリンクＴＢＦ３０８１及び３０８３を確立する際に使用すべき動的無線パラメータの少なくとも一部１３６と、を少なくとも含む。代替的に、即時割り当てメッセージ１３２は、（１）ＭＳ１０４１及び１０４３についての代替ＩＤ３０２１及び３０２３と、（２）静的無線パラメータ１３４と、（３）ＭＳ１０４１及び１０４３によりそのそれぞれのダウンリンクＴＢＦ３０８１及び３０８３を確立する際に使用すべき動的無線パラメータの少なくとも一部１３６と、を少なくとも含む。ステップ３１０ｂ（オプション）において、ＢＳＳ１０２は、要求側のＭＳ１０４１及び１０４３へ、ＰＡＣＣＨ１４０上で補足メッセージ１３８を送信する。補足メッセージ１３８は、動的無線パラメータの残りの部分１３６´を少なくとも含む。あるいは、補足メッセージ１３８は、動的無線パラメータの残りの部分１３６´と、追加的な静的無線パラメータ１３４´とを少なくとも含む。代替的に、補足メッセージ１３８は、追加的な静的無線パラメータ１３４´を少なくとも含む。ステップ３１２ｂにおいて、ＢＳＳ１０２は、ＭＳ１０４１及び１０４３へダウンリンクペイロード３０６１及び３０６３を送信する。ステップ３１２ｂの前に、ＭＳ１０４１及び１０４３は、そのそれぞれのダウンリンクペイロード３０６１及び３０６３を受信する目的で、静的無線パラメータ１３４（及び、送信されたならば追加的な静的無線パラメータ１３４´）、（即時割り当てメッセージ１３２内に含まれる）動的無線パラメータの一部１３６、並びに（補足メッセージ１３８において送信されたならば）動的無線パラメータの残りの部分１３６´を用いて、そのそれぞれのダウンリンクＴＢＦＭＳ３０８１及び３０８３を確立したはずである。
【００５１】
図３Ｃを参照すると、本発明の第３の実施形態に従ってＢＳＳ１０２とインタラクションし及びＡＧＣＨ１０６のキャパシティを改善するように構成される（例えば）ＭＳ１０４１により実装される例示的な方法３００ｃのフローチャートがある。ＭＳ１０４１は、プロセッサ１１６と、プロセッサにより実行可能な命令を記憶するメモリ１１８と、を含み、プロセッサ１１６は、メモリ１１８とインタフェースし、プロセッサにより実行可能な当該命令を実行して、次に議論するような方法３００ｃのステップ群を遂行する。ステップ１０２ｅにおいて、ＭＳ１０４１は、ＢＳＳ１０２からＰＡＣＣＨ１４０上で自身の代替ＩＤ３０２１を受信する。ステップ３０４ｃ（オプション）において、ＭＳ１０４１は、アイドルモードにある間に、静的無線パラメータ１３４を含む新たなＳＩ１２０を、ＢＳＳ１０２からＢＣＣＨ１２２上で受信する。ステップ３０６ｃにおいて、アイドルモード中のＭＳ１０４１は、ＢＳＳ１０２からＡＧＣＨ１０６上で即時割り当てメッセージ１３２を受信する。即時割り当てメッセージ１３２は、（１）ＭＳ１０４１についての代替ＩＤ３０２１と、（２）ＭＳ１０４１によりダウンリンクＴＢＦ３０８１を確立する際に使用すべき動的無線パラメータの少なくとも一部１３６と、を少なくとも含む。代替的に、即時割り当てメッセージ１３２は、（１）ＭＳ１０４１についての代替ＩＤ３０２１と、（２）静的無線パラメータ１３４と、（３）ＭＳ１０４１によりそのダウンリンクＴＢＦ３０８１を確立する際に使用すべき動的無線パラメータの少なくとも一部１３６と、を少なくとも含む。ステップ３０８ｃ（オプション）において、ＭＳ１０４１は、ＢＳＳ１０２からＰＡＣＣＨ１４０上で補足メッセージ１３８を受信し得る。補足メッセージ１３８は、動的無線パラメータの残りの部分１３６´を少なくとも含む。あるいは、補足メッセージ１３８は、動的無線パラメータの残りの部分１３６´と、追加的な静的無線パラメータ１３４´とを少なくとも含む。代替的に、補足メッセージ１３８は、追加的な静的無線パラメータ１３４´を少なくとも含む。ステップ３１０ｃにおいて、ＭＳ１０４１は、静的無線パラメータ１３４（及び、送信されたならば追加的な静的無線パラメータ１３４´）、（即時割り当てメッセージ１３２内に含まれる）動的無線パラメータの一部１３６、並びに（補足メッセージ１３８において送信されたならば）動的無線パラメータの残りの部分１３６´を用いて、ダウンリンクＴＢＦ３０８１を確立するであろう。ステップ３１２ｃにおいて、ＭＳ１０４１は、ＢＳＳ１０２からダウンリンクＴＢＦ３０８１上でダウンリンクペイロード３０６１を受信する。
【００５２】
以下の詳細な議論は、本発明に関連付けられる多様な特徴及び利点を説明する。特に、以下の詳細な議論は、上述した２０１２年４月５日に提出された米国仮出願第６１／６２０，６９６号における開示に基づく。加えて、以下の下線を引いた部分は、米国仮出願第６１／６２０，６９６号の開示と、本発明者らにより準備された“Optimized  System  Access  Procedure”（3GPP  TSG-GERAN  #54，GP-120623，Sanya，China，May  14-18，2012にて提示）というタイトルの記事との間の差異を強調している。最後に、米国仮出願第６１／６２０，６９６号の開示に、参照番号が追加されている。
【００５３】
＜ＯＳＡＰ支援型のダウンリンクＴＢＦの確立＞
［概要］
Ｍ２Ｍトラフィック並びにスマートフォン１０４１、１０４２、１０４３、１０４４、…１０４ｎにより生成される頻繁な小パケット送信１３０ａ及び１３０ｂの結果として予想される増加したＣＣＣＨ輻輳の問題を踏まえ、最適化システムアクセス手続（ＯＳＡＰ）というＰＳドメイントリガ型のシステムアクセスのための拡張された手続がここで検討される。ＯＳＡＰの重要な目標は、ＡＧＣＨベースの割り当てメッセージ１３２内で搬送されるＭＳ固有の情報のサイズを最小化することにより、ＡＧＣＨ１０６のキャパシティを増加させることである。これは、ある無線パラメータ１３４の送信をシステム情報１２０へオフロードし、割り当てメッセージ１３２の内容１３６を、ＭＳ１０４１をパケットリソースへ導くために厳密に必要とされるものへと限定し、並びにアップリンクＴＢＦ１２８の確立のために要する残りの情報１３４´及び１３６´をパケットリソースのＰＡＣＣＨ１４０を用いてＭＳ１０４１へ割り当てる、ことにより達成され得る。ＯＳＡＰの詳細な評価は、レガシーの即時割り当てメッセージがパケットリソースを単一のＭＳに割り当てることを前提とするというレガシーのＡＧＣＨの動作と比較して、８倍までのゲインを提供し得ることを示している。
【００５４】
［１．諸言］
ＡＧＣＨ１０６のキャパシティを改善させる方法について、多数のＧＥＲＡＮ  ｍｅｅｔｉｎｇｓにおいて参照文献［１］及び［２］に記載されているような解決法について議論が進められてきた。本明細書で記載されているＯＳＡＰに関する特徴に対する動機づけを提供する、考慮すべき合理的な動作における例は以下の通りである。
・ダウンリンクＣＣＣＨの５１−マルチフレームフォーマットは、ある高システム負荷の期間において、（即ちＢＣＣＨ標準として用いられる無線ブロックに加えて）平均で４つのＰＣＨブロックと５つのＡＧＣＨブロックとを構成し得る。
・この５１−マルチフレームフォーマットの単一のインスタンスでは、５１個のＲＡＣＨバーストが発生し、結果的にＡＧＣＨブロックに対するＲＡＣＨバーストの比率が１に対して１０程度となり（スロット化ａｌｏｈａ動作に固有の衝突によりＲＡＣＨの性能が低下した場合、１に対して５程度に減少する）、ＡＧＣＨがボトルネックとなり得ることが強調して提言されている。
・この不均衡を軽減する手段としてＩＰＡを用いることにより、３に対して１０という比率を達成することができる（即ち、ＩＰＡが、３つのＭＳが単一割り当てメッセージによって宛て先指定されることを可能としているためである）が、この不均衡をさらに軽減することが可能であれば望ましい（注釈：ＩＰＡはＯＳＡＰの代替手段であり、文献［１］及び後記する内容において議論される）。
・あるＭＳがＲＥＡＤＹ  ＳＴＡＴＥの状態である場合にダウンリンクＴＢＦを確立させることに関しては、複数のダウンリンクＴＢＦが常にレガシーの即時割り当てメッセージを使って確立されるであろうことから、上記ＩＰＡの特徴は、全く性能向上をもたらさない。
【００５５】
本明細書で説明される上記ＯＳＡＰの特徴は、ＡＧＣＨブロック数に対するＲＡＣＨバースト数の比率を以下のようにさらに減少させることを可能とする。
・所与のセルにおいて周波数ホッピングが用いられる場合に使用すべき、セルアロケーションによって定義されるＡＲＦＣＮのサブセットを識別するための新たなシステム情報（ＳＩ）１２０としての、モバイルアロケーション情報１３４の包含を可能とすること。ＳＩ１２０として含まれるモバイルアロケーション情報１３４は「静的無線パラメータ」（ＳＲＰ）１３４とも称され、ＯＳＡＰを用いるＭＳ１０４１、１０４２、１０４３、１０４４、…１０４ｎに割り当てられたパケットリソースに適用される。
・ＡＧＣＨベース割り当てメッセージ１３２の内容を、ダウンリンクＰＡＣＣＨメッセージ１３８を待ち受けるパケットリソースへＭＳ１０４１を導くために厳密に必要である内容に制限すること。
・アップリンクＴＢＦ１２８又はダウンリンクＴＢＦのいずれかの確立を完了させるのに必要とされるすべての追加情報１３４´及び１３６´をＭＳ１０４１に提供するために、割り当てられたパケットリソースのダウンリンク上でＰＡＣＣＨメッセージ１３８を送信すること。
・拡張即時割り当て（ＥＩＡ）メッセージ１３２と称される新たなＡＧＣＨメッセージ１３２、及び追加ＴＢＦ情報（ＡＴＩ）メッセージ１３８と称される新たなＰＡＣＣＨメッセージ１３８を導入すること。
【００５６】
図４Ａは、５つのレガシー即時割り当てメッセージ４０２の内容が、（ａ）システム情報１２０、（ｂ）単一ＥＩＡメッセージ１３２及び（ｃ）ＡＴＩメッセージ１３８の単一のインスタンスの内部でどのように効果的に分散されているか、という本発明の第１の実施形態に関する例を示している（つまりここではＡＧＣＨブロックに対するＲＡＣＨバーストの比率が５に対して１０であることが実現される）。この討議文章の範囲内での追加分析によれば、ある単一のＥＩＡメッセージ１３２を８つまでの異なるＭＳ１０４１、１０４２、１０４３、１０４４、…１０４ｎを指定するために用いることが可能であり、それによりＯＳＡＰを用いて８に対して１０という比率が実現されることを可能とする。
【００５７】
［２．最適化システムアクセス手続  ―  概要］
（本発明の第１の実施形態によれば）ＳＲＰ情報１３４は（例えばＳＩ２１を用いる）ＳＩ１２０の中で伝送され得る。または、（本発明の第２の実施形態によれば）ＳＩ１２０は最低でも１つのインジケータ３０２を提供し得る。いずれのケースでも、記ＳＩ１２０は、サービングセルが最適化システムアクセス手続（ＯＳＡＰ）をサポートする場合を示し、このとき対応する通信ＢＳＳ１０２は新たなトレーニングシーケンスコード（ＴＳＣ）の使用を伴う新たなＲＡＣＨバースト１２４を受信可能である。上記新たなＴＳＣを使って送信される拡張パケットチャネル要求１２４（ＥＰＣＲ）として知られるアクセス要求メッセージ１２４の受信により、下記の表３で示すように、１１ビットのＥＰＣＲメッセージにおいて新たなＯＳＡＰ固有コードポイントを導入することが可能となる。
【００５８】
【表３】
2015512596.tif 000005
【００５９】
１フェーズアクセスが使用される、アップリンクＴＢＦ１２８の確立のためのＯＳＡＰベースシステムアクセスに関連付けられる基本的なシグナリングイベントが、図４Ｂに示されている。
【００６０】
［３．レガシー即時割り当てメッセージの内容の分析］
どの情報がＡＧＣＨ１０６上で送信されるＯＳＡＰ固有ＥＩＡメッセージ１３２の中にに依然として含まれるべきか、及びどの情報がＰＡＣＣＨ１４０上で送信される（つまりＯＳＡＰ固有の割り当てメッセージ１３２によって提供されるパケットリソース情報を補足する）１つ以上のＯＳＡＰ固有ＡＴＩメッセージ１３８のインスタンスを使用して後に送信され得るかを識別するために、レガシー即時割り当てメッセージの内容を以下で情報エレメントごとに調査する。
【００６１】
【表４】
2015512596.tif 000006
【００６２】
・ページモード（Page  Mode）：このレガシーＩＥのこの内容は、表６で示されるＥＩＡメッセージ１３２のページモードの範囲内に含まれる。このＩＥはＥＩＡメッセージ１３２により宛て先指定されないＭＳに、可能性のある拡張されたページング動作について報知することを可能とし、それゆえＡＴＩメッセージ１２４へは遅延可能ではない。
・専用モード又はＴＢＦ（Dedicated  mode  or  TBF）：本明細書で考慮されているシステムアクセスシナリオは常にＴＢＦの確立と関連付けられているため必須ではない。
・チャネル記述（Channel  Description）：ＴＣＨを識別することと関連付けられているため必須ではない。
・パケットチャネル記述（Packet  Channel  Description）：上記レガシーＩＥの拡張バージョンは、表６で示されるように、ＥＩＡメッセージ１３２のパケットチャネル記述ＩＥの範囲内に含まれている（つまり拡張バージョンはチャネル形式フィールドを伴うレガシーＩＥで構成されており、予備ビットは削除されている）。上記ＩＥは、割り当てパケットリソースを識別するために、ＭＳ１０４１により要する情報の基本量を提供し、それゆえＡＴＩメッセージ１３８へは遅延可能ではない。
・要求リファレンス（Request  Reference）：上記レガシーＩＥの拡張バージョンはＥＩＡメッセージ１３２内に含まれており、ＥＩＡメッセージ１３２では、表６で示されるように、ＭＳ固有ＥＩＡパラメータＩＥを使用することで類似の情報が伝送される。上記情報は競合解決の目的で使用されるので、それゆえＡＴＩメッセージ１３８へは遅延可能ではない。
・タイミングアドバンス（Timing  Advance）：ＰＡＣＣＨ１４０上で送信されるＡＴＩメッセージ１３８のインスタンスに含まれる。
・モバイルアロケーション（Mobile  Allocation）：ＢＣＣＨ１２２上で送信されるＳＲＰ情報１３４又はＥＩＡメッセージ１３２内に含まれ得る。周波数ホッピングが適用される場合、上記移動局１０４１はモバイルアロケーションを復号するためにＳＩ１上で受信した最後のセルアロケーションを使用する。
・開始時間（Starting  Time）：ＰＡＣＣＨ１４０上で送信されるＡＴＩメッセージ１３８のインスタンスに含まれる。
・ＩＡ残余オクテット（IA  Rest  Octets）：上記レガシーＩＥの拡張バージョンはＡＴＩメッセージ１３８のインスタンスに含まれ、ＡＴＩメッセージ１３８のインスタンスでは、表７で示すように、ＭＳ固有ＴＢＦパラメータＩＥを使用することで類似の情報が伝送される（つまり上記レガシーＩＥの拡張バージョンはリリースごとの情報を示すために用いられるＣＳＮ．１拡張メカニズムを削除する）。
【００６３】
［４．ＳＲＰ情報の内容］
（本発明の第１の実施形態によれば）ＳＲＰ情報１３４は（例えばＳＩ２１を用いて）ＳＩ１２０内で伝送され得る。または、（本発明の第２の実施形態によれば）ＳＩ１２０は最低でも１つのインジケータ３０２を提供し得る。いずれのケースでも、ＳＩ１２０は、サービングセルがＯＳＡＰベースシステムアクセス及びモバイルアロケーション情報（オプション）をサポートすることを示す。周波数ホッピングが使用される場合は、モバイルアロケーション情報は周波数ホッピングシーケンスにおいて使用されるセルアロケーションに属するＲＦチャネルのサブセットを示す。
・ＳＩメッセージ１２０の内部にＳＲＰ情報１３４を含むためには最大８のオクテットが必要とされる（つまりセルアロケーションは最大で６４のＡＲＦＣＮから構成され得る）。
・ＳＲＰ情報１３４又はインジケータ３０２がＳＩメッセージ１２０に含まれる場合、ＯＳＡＰモバイルアロケーション情報の単一のインスタンスは、ＯＳＡＰ手続を用いて割り当てられ得るパケット無線リソースにとって十分であると理解される。
・例えば、以下の構造が、ＳＩ２１メッセージ１２０について、Ｒｅｌ−１２拡張として追加され得る。
【００６４】
【表５】
2015512596.tif 000007
【００６５】
各ＯＳＡＰモバイルアロケーションオクテットの各ビットは、レガシーモバイルアロケーション情報エレメントについて現在記述されている通り、セルアロケーションの周波数リスト中の特定の周波数に対応している。
【００６６】
［５．拡張即時割り当て（ＥＩＡ）メッセージ１３２の内容］
このメッセージ１３２は以下の表５に示されているようにフォーマット化されており、パケットリソース情報１３４の最小量をＭＳ１０４１、１０４２、１０４３、１０４４、…１０４ｎに供給するために、ネットワークによって、ＡＧＣＨ１０６上で送信される（つまり、この情報を受信することにより、ＭＳ１０４１はＥＩＡメッセージ１３２によって割り当てられたパケットリソース上のＰＡＣＣＨメッセージ１３８を受け取ることのみ可能であり、それゆえ、ＭＳ１０４１はアップリンクＴＢＦ１２８がペイロードの転送のために使用され得るか、又はペイロードがダウンリンクＴＢＦ上で受信され得るより前に、ＰＡＣＣＨ１３８上の追加的なＴＢＦ関連情報１３４´及び１３６´を受信するまで待機しなくてはならない）。
【００６７】
【表６】
2015512596.tif 000008
【００６８】
ＥＩＡ残余オクテットＩＥより提供されるすべての情報及びＬ２疑似長さＩＥより提供される値の（オクテットでの）長さは、２２という最大値を有する（上記表５参照）。上記Ｌ２疑似長さはＥＩＡ残余オクテットＩＥ及び上記Ｌ２疑似長さＩＥ自体を除くＥＩＡメッセージ１３２に存在するすべての情報エレメントの長さの合計を示し、それ自体は２という値を持つ。これはＥＩＡ残余オクテットＩＥが使用可能な、最大２０オクテット（１６０ビット）の空白を残す。
【００６９】
ＥＩＡ残余オクテットの１つのインスタンスはＥＩＡメッセージ１３２ごとに含まれており、以下の通りに示すフィールドが使用されている表６に記載のフィールドで構成されている。
・ページモード（２ビット）：１つのインスタンスがＥＩＡメッセージ１３２ごとに含まれている。
・インプリシットリジェクトＣＳ（１ビット）：１つのインスタンスがＥＩＡメッセージ１３２ごとに含まれている。注意すべきは、上記インプリシットリジェクトＣＳはＬＡＰ用に構成されるＯＳＡＰ対応（OSAP  capable）ＭＳ１０４１、１０４２、１０４３、１０４４、…１０４ｎが、ＣＳドメインへｎｏｎ―ＯＳＡＰシステムアクセスを試みている間にＡＧＣＨ１０６上のＥＩＡメッセージ１３２を読んでいるときにＣＳドメイン用のインプリシットリジェクトを検知することが可能となるように含まれている。
・インプリシットリジェクトＰＳ（１ビット）：１つのインスタンスがＥＩＡメッセージ１３２ごとに含まれている。注意すべきは、これはＬＡＰ用に構成されるＯＳＡＰ対応ＭＳ１０４１、１０４２、１０４３、１０４４、…１０４ｎが、整合したＦＮ情報＋ランダムビットを提供しないＡＧＣＨ１０６上のＥＩＡメッセージ１３２を読んでいるときに、ＰＳドメイン用のインプリシットリジェクトを検知することが可能となるように含まれている。
・メッセージ参照ＩＤ（２ビット）：１つのインスタンスがＥＩＡメッセージ１３２ごとに含まれている。ＭＳ１０４１、１０４２、１０４３、１０４４、…１０４ｎが後続するＡＴＩメッセージ１３８インスタンスにおいて受信されるメッセージ参照ＩＤの値と、ＥＩＡメッセージ１３２において受信されたときの値とを比較し、それにより先に受信されたＥＩＡメッセージ１３２を補足するＡＴＩメッセージ１３８インスタンスを受信した際に検証できるようにするため、当該情報が含まれる。
・パケットチャネル記述（１８又は１９）：１つのインスタンスがＥＩＡメッセージ１３２ごとに含まれており（つまり含まれた際に、ＥＩＡメッセージ１３２によって宛て先指定されたすべてのＭＳ１０４１、１０４２、１０４３、１０４４、…１０４ｎに共通となる）、上記内容は、レガシーパケットチャネル記述ＩＥごとに同じである（下記の表６参照）。
・モバイルアロケーション（１、１１、１９、２７、３５）：１つのインスタンスがＥＩＡメッセージ１３２ごとに含まれ得るのであり（つまり含まれた際に、ＥＩＡメッセージ１３２によって宛て先指定されたすべてのＭＳ１０４１、１０４２、１０４３、１０４４、…１０４ｎに共通となる）、３２ビットのモバイルアロケーション情報の提供に制限される。３２ビットよりも多くのモバイルアロケーション情報が必要な場合、又は、モバイルアロケーション情報がＳＩ１２０（つまりＳＲＰ１３４）を使用して送信される場合には、この情報はＥＩＡ１３２には含まれない。
・ＦＮ情報長さ（２ビット）：１つのインスタンスがＥＩＡメッセージ１３２ごとに含まれており、また、４つの異なるＦＮ情報長さが示され得る。
・一時ＯＳＡＰ  ＩＤ長さ（２ビット）：１つのインスタンスがＥＩＡメッセージ１３２ごとに含まれており、また、４つの異なる一時ＯＳＡＰ  ＩＤ長さが示され得る。
・ＦＮ情報（Ｚビット  ＝  ｖａｌ（ＦＮ情報長さ）＋９）：１つのインスタンスがアップリンクＴＢＦ１２８確立のためにＥＩＡメッセージ１３２によって宛て先指定されたＭＳ１０４１、１０４２、１０４３、１０４４、…１０４ｎごとに含まれている。
・ＦＮが、ＢＳＳ１０２によってＲＡＣＨ１２６上において拡張パケットチャネル要求１２４が受信されたバーストのＴＤＭＡフレーム数と等しいときに、ＦＮ情報は”ＦＮ  ｍｏｄｕｌｏ  Ｘ”のバイナリ値である。
・Ｘは、ＴＤＭＡフレーム番号の衝突の許容確率を反映して設定される。例えば、Ｘ＝２５６（Ｚ＝８ビット）のとき、ＦＮ  ｍｏｄ  ２５６が同じ値を有するアップリンクバーストの間の時間は、１．１８秒である（つまり各ＴＤＭＡフレーム＝４．６１５ｍｓ、２５６×４．６１５＝１．１８ｓ）
・これは、ＥＩＡメッセージ１３２にて移動局１０４１、１０４２、１０４３、１０４４、…１０４ｎが受信した整合した‘ＦＮ情報’が、実際にＲＡＣＨ１２６上で上記移動局が送ったアクセス要求メッセージを送った特定のバーストを反映しているか否かに関して、移動局１０４１、１０４２、１０４３、１０４４、…１０４ｎに代わってある程度の不確実性が存在し得ることを意味する。
・ＥＩＡメッセージ１３２に含まれるＭＳ固有ＦＮ情報の長さ（Ｚビット）は、事業者によって満足されるレベルにまでＴＤＭＡのＦＮ衝突の確率を増加させる／減少させることを可能とするための変数である。
・ランダムビット（４ビット）：１つのインスタンスが、ＥＩＡメッセージ１３２によって宛て先指定されたＭＳ１０４１、１０４２、１０４３、１０４４、…１０４ｎごとに含まれており、ＦＮ情報フィールドのインスタンスに対応する（つまり、ＥＩＡメッセージ１３２内で送信される対応するＦＮ情報のインスタンス及びランダムビットは、以前のＥＰＣＲメッセージ１２４内でＢＳＳ１０２によって受信されたＴＤＭＡ  ＦＮ及びランダムビットの下位”Ｚ”ビットを反映している）。
・一時ＯＳＡＰ  ＩＤ（Ｙビット＝ｖａｌ（一時ＯＳＡＰ  ＩＤ長さ）＋９）：１つのインスタンスがダウンリンクＴＢＦの確立のためにＥＩＡメッセージ１３２によって宛て先指定されたＭＳ１０４１、１０４２、１０４３、１０４４、…１０４ｎごとに含まれる。それにより、ＥＩＡメッセージ１３２が各ＭＳ１０４１、１０４２、１０４３、１０４４、…１０４ｎの固有の一時ＯＳＡＰ  ＩＤに基づいて、各ＭＳ１０４１、１０４２、１０４３、１０４４、…１０４ｎを識別することを可能とする。ＭＳ１０４１、１０４２、１０４３、１０４４、…１０４ｎに一時ＯＳＡＰ  ＩＤが割り当てられていない場合は、ダウンリンクＴＢＦの確立にはレガシー手続が用いられる。
【００７０】
【表７】
2015512596.tif 000009
【００７１】
［ＥＩＡ  例１］
ＥＩＡメッセージ１３２は、アップリンクＴＢＦ１２８の確立の場合にのみ使用され、その場合、ＥＩＡメッセージによって宛て先指定される各ＭＳ１０４１、１０４２、１０４３、１０４４、…１０４ｎにそれぞれ提供されるＦＮ情報が９ビット長（つまり、Ｚ＝９、Ｘ＝５１２）である。この場合、ＴＤＭＡフレーム内でアクセス要求１２４を行うすべてのＭＳ１０４１、１０４２、１０４３、１０４４、…１０４ｎについて、ＴＤＭＡフレームの下位９ビットがＥＩＡメッセージ１３２内で送信されたＦＮ情報と整合しており、それらは、対応するランダムビットフィールドを確認して、アクセス要求１２４に整合する応答を受信したかどうかを判定する。注意すべきは、この場合、同じ下位９ビットを持つＴＤＭＡフレームは、２．３６秒の倍数だけ互いに離れるであろう（つまり、５１２×４．６１５ｍｓ＝２．３６ｓ）。
・ＥＩＡメッセージ１３２の内容は、各宛て先指定されたＭＳに特有であり、ＦＮ情報（９）＋ランダムビット（４）＋ＭＳＩＤ判別子（１）＝１４ビットである。
・（宛て先指定されたＭＳ１０４１、１０４２、１０４３、１０４４、…１０４ｎの数にかかわらず）単一のインスタンスを含み得るＥＩＡメッセージ１３２の内容＝ページモード（２）＋インプリシットリジェクトＣＳ（１）＋インプリシットリジェクトＰＳ（１）＋メッセージ参照ＩＤ（２）＋パケットチャネル記述（１９）＋モバイルアロケーション（１）＋ＦＮ情報長さ（２）＋一時ＯＳＡＰ  ＩＤ長さ（２）＝３０ビットである。
・ＥＩＡメッセージ１３２ごとに指定されるＭＳ１０４１、１０４２、１０４３、１０４４、…１０４ｎの最大数＝８（つまり８×１４＋３０＝１４２）。
・上記表６を参照すると、１０ビットのＣＳＮ．１のオーバーヘッドがＥＩＡメッセージ１３２のために必要とされる（モバイルアロケーションが含まれないことを示すのに１ビットが、メッセージ中でＭＳ特有のＥＩＡパラメータＩＥの８つのインスタンスを示すのにそれぞれ１ビットが、“ホッピングＲＦチャネル構成のダイレクトエンコーディング”を示すのに１ビットが使用される）。
・最終的なＥＩＡメッセージ１３２は全部で１５２ビット長である。
【００７２】
［ＥＩＡ  例２］
この例は上記の例１に基づくが、異なる点は、ＥＩＡメッセージ１３２によって宛て先指定される各ＭＳ１０４１、１０４２、１０４３、１０４４、…１０４ｎに対して１０ビットのＦＮ情報を与える（つまりＺ＝１０、Ｘ＝１０２４）ことである。この場合、ＴＤＭＡフレーム内でアクセス要求１２４を行うすべてのＭＳ１０４１、１０４２、１０４３、１０４４、…１０４ｎについて、ＴＤＭＡフレームの下位１０ビットがＥＩＡメッセージ１３２内で送信されたＦＮ情報と整合しており、それらは、対応するランダムビットフィールドを確認して、アクセス要求１２４に整合する応答を受信したかどうかを判定するであろう。注意すべきは、この場合、同じ下位１０ビットを持つＴＤＭＡフレームは、４．７２秒の倍数だけ互いに離れるであろう（つまり、１０２４×４．６１５ｍｓ＝４．７２ｓ）。
・ＥＩＡメッセージ１３２の内容は、各宛て先指定されたＭＳに特有であり、ＦＮ情報（１０）＋ランダムビット（４）＋ＭＳＩＤ判別子（１）＝１５ビットである。
・（宛て先指定されたＭＳ１０４１、１０４２、１０４３、１０４４、…１０４ｎの数にかかわらず）単一のインスタンスを含み得るＥＩＡメッセージ１３２の内容＝ページモード（２）＋インプリシットリジェクトＣＳ（１）＋インプリシットリジェクトＰＳ（１）＋メッセージ参照ＩＤ（２）＋パケットチャネル記述（１９）＋モバイルアロケーション（１）＋ＦＮ情報長さ（２）＋一時ＯＳＡＰ  ＩＤ長さ（２）＝３０ビットである。
・ＥＩＡメッセージ１３２ごとに宛て先指定されるＭＳ１０４１、１０４２、１０４３、１０４４、…１０４ｎの最大数＝８（つまり８×１５＋３０＝１５０）。
・上記表６を参照すると、１０ビットのＣＳＮ．１のオーバーヘッドがＥＩＡメッセージ１３２のために必要とされる（モバイルアロケーションが含まれないことを示すのに１ビットが、メッセージ中でＭＳ特有のＥＩＡパラメータＩＥの８つのインスタンスを示すのにそれぞれ１ビットが、“ホッピングＲＦチャネル構成のダイレクトエンコーディング”を示すのに１ビットが使用される）。
・最終的なＥＩＡメッセージ１３２は全部で１６０ビット長である。
【００７３】
［ＥＩＡ  例３］
この例は上記の例２に基づくが、異なる点は、ＥＩＡメッセージ１３２の内部において２４ビットのモバイルアロケーション情報を含み得ることである。
・ＥＩＡメッセージ１３２の内容は各宛て先指定されたＭＳに特有であり、ＦＮ情報（１０）＋ランダムビット（４）＋ＭＳＩＤ判別子（１）＝１５ビットである。
・（宛て先指定されたＭＳ１０４１、１０４２、１０４３、１０４４、…１０４ｎの数にかかわらず）単一のインスタンスを含み得るＥＩＡメッセージ１３２の内容＝ページモード（２）＋インプリシットリジェクトＣＳ（１）＋インプリシットリジェクトＰＳ（１）＋メッセージ参照ＩＤ（２）＋パケットチャネル記述（１９）＋モバイルアロケーション（２７）＋ＦＮ情報長さ（２）＋一時ＯＳＡＰ  ＩＤ長さ（２）＝５６ビットである。
・ＥＩＡメッセージ１３２ごとに宛て先指定されるＭＳ１０４１、１０４２、１０４３、１０４４、…１０４ｎの最大数＝６（つまり６×１５＋５６＝１４６）。
・上記表６を参照すると、８ビットのＣＳＮ．１のオーバーヘッドがＥＩＡメッセージ１３２のために必要とされる（モバイルアロケーションが含まれないことを示すのに１ビットが、メッセージ中でＭＳ特有のＥＩＡパラメータＩＥの６つのインスタンスを示すのにそれぞれ１ビットが、“ホッピングＲＦチャネル構成のダイレクトエンコーディング”を示すのに１ビットが使用される）。
・最終的なＥＩＡメッセージ１３２は全部で１５４ビット長である。
【００７４】
［６．追加ＴＢＦ情報（ＡＴＩ）メッセージ１３８の内容］
当該メッセージ１３８は、下記の表７のようにフォーマット化され、アップリンクＴＢＦ１２８又はダウンリンクＴＢＦの確立のために必要とされる追加情報１３４´及び１３６´をＭＳ１０４１、１０４２、１０４３、１０４４、…１０４ｎに提供するために、ネットワークによって、ＰＡＣＣＨ１４０上で送信される。ＡＴＩメッセージ１３８の１つ以上のインスタンスのセットをＢＳＳ１０２により送信することができ、当該セット内の各インスタンスは同じＥＩＡメッセージ１３２に対応し、単一のＰＡＣＣＨブロックに内包されて伝送される。これにより、所与のＥＩＡメッセージ１３２によって宛て先指定される任意の所与のＭＳがＥＩＡメッセージ１３２内で受信しなければならない情報の量が最小化されることになる。注意すべきは、ＭＳは、ＥＩＡメッセージ１３２内で先に受信される情報を補足する情報を含むＡＴＩメッセージ１３８のインスタンスを受信するまでは、ダウンリンクＰＡＣＣＨ１４０上においてＥＩＡメッセージ１３２によって割り当てられたパケットリソースしか受信することができない。このメッセージ１３８の内容は、以下のような事項で構成される。
・ＭＳ固有ＴＢＦパラメータ（Ｘビット）：１つのインスタンスが、ＡＴＩメッセージ１３８で宛て先指定された各ＭＳ１０４１、１０４２、１０４３、１０４４、…１０４ｎごとに含まれる。
・ページモード（２ビット）：１つのインスタンスが、ＡＴＩメッセージ１３８ごとに含まれる。
・メッセージ参照ＩＤ（２ビット）：１つのインスタンスが、ＡＴＩメッセージ１３８ごとに含まれる。当該情報が含まれることで、ＭＳ１０４１、１０４２、１０４３、１０４４、…１０４ｎが、当該メッセージ参照ＩＤと、先に受信したＥＩＡメッセージ１３２中の値とを比較し、それにより、ＥＩＡメッセージ１３２に対応するＡＴＩメッセージ１３８が受信された際に検証を行うことができ、その中で、整合するＦＮ情報及びランダムビットが検出される。
・ＭＳ割り当てビットマップ（８ビット）：１つのインスタンスが、ＡＴＩメッセージ１３８ごとに含まれる。当該ビットマップは、所与のＥＩＡメッセージ１３２によって宛て先指定されるＭＳのどのサブセットが、受信したＡＴＩメッセージ１３８によってリソースを割り当てられるのか、を示すものである。必要とされるＭＳ固有情報の量に依存して、同じＥＩＡメッセージ１３２に対応する複数のＡＴＩメッセージ１３８が送信され得る。全体的な結果として、ＥＩＡメッセージ１３２によって宛て先指定された“Ｎ番目の”ＭＳ１０４１、１０４２、１０４３、１０４４、…１０４ｎは、１つの対応するＡＴＩメッセージ１３８を正確に受信しさえすればよいであろう（つまりＡＴＩメッセージインスタンスは、ビット位置“Ｎ”が“１”であるＭＳ割り当てビットマップを有する）。例えば、５つのＭＳ１０４１、１０４２、１０４３、１０４４、１０４5が所与のＥＩＡメッセージ１３２によって宛て先指定されている場合において、２つの対応するＡＴＩメッセージ１３８が送信され得るが、この場合図４Ｃでそれぞれ示されるように、ＡＴＩメッセージインスタンス１は、ＭＳ１、ＭＳ２及びＭＳ３を宛て先指定しており、ＡＴＩメッセージインスタンス２は、ＭＳ４及びＭＳ５を宛て先指定している。したがって、高々８つのＭＳ１０４１、１０４２、１０４３、１０４４、…１０４ｎのどのような組合せをも、同じＥＩＡメッセージ１３２に対応するＡＴＩメッセージ１３８のインスタンスのセットにおいて宛て先指定することができる。
【００７５】
所与のＡＴＩメッセージ１３８のインスタンスに含まれるＭＳ固有ＴＢＦパラメータＩＥによって宛て先指定されるＭＳ１０４１、１０４２、１０４３、１０４４、…１０４ｎの数は、したがって、対応するＥＩＡメッセージ１３２内で搬送されるＥＩＡ残余オクテットＩＥ（表６参照）に含まれるＭＳ固有ＥＩＡパラメータＩＥによって宛て先指定される全数のＭＳ１０４１、１０４２、１０４３、１０４４、…１０４ｎのサブセットとなり得る。したがって、所与のＡＴＩメッセージ１３８のインスタンスに含まれるＭＳ固有ＴＢＦパラメータＩＥによって宛て先指定されるＭＳの順序が、ＭＳ割り当てビットマップＩＥによって判定されるであろう。
【００７６】
【表８】
2015512596.tif 000010
【００７７】
【表９】
2015512596.tif 000011
【００７８】
【表１０】
2015512596.tif 000012
【００７９】
［ＡＴＩ  例１］
この例では、１フェーズのアクセス割り当てが考慮されており、上記表７のパケットアップリンク割り当てＩＥを使用して、すべてのＭＳ１０４１、１０４２、１０４３、１０４４、…１０４ｎにアップリンクＴＢＦ１２８リソースが割り当てられる：
・ＭＳ固有ＴＢＦパラメータのビット数＝１＋パケットアップリンク割り当て（２）＋１フェーズのアクセス（１）＋ＴＦＩ＿ＡＳＳＩＧＮＭＥＮＴ（５）＋ＰＯＬＬＩＮＧ（１）＋ＵＳＦ（３）＋ＵＳＦ＿ＧＲＡＮＵＬＡＲＩＴＹ（１）＋｛１＋Ｐ０（４）＋ＰＲ＿ＭＯＤＥ（１）｝＋ＣＨＡＮＮＥＬ＿ＣＯＤＩＮＧ＿ＣＯＭＭＡＮＤ（２）＋ＴＬＬＩ＿ＢＬＯＣＫ＿ＣＨＡＮＮＥＬ＿ＣＯＤＩＮＧ（１）＋｛１＋ＡＬＰＨＡ（４）｝＋ＧＡＭＭＡ（５）＋｛１＋ＴＩＭＩＮＧ＿ＡＤＶＡＮＣＥ＿ＩＮＤＥＸ（４）｝＋｛１＋ＴＢＦ＿ＳＴＡＲＴＩＮＧ＿ＴＩＭＥ（０）｝＋｛１＋ＰＦＩ（７）｝＝４７ビット。
・ＡＴＩメッセージ１３８インスタンス１は図４Ｃで示すように３つのＭＳを宛て先指定している。ビット数＝ページモード（２）＋メッセージ参照ＩＤ（２）＋ＭＳ割り当てビットマップ（８）＋３×（ＭＳ固有ＴＢＦパラメータ）＝１２＋３×（４７）＝１５３ビット＝１ＰＡＣＣＨブロック。
・ＡＴＩメッセージ１３８インスタンス２は図４Ｃで示すように２つのＭＳを宛て先指定している。ビット数＝ページモード（２）＋メッセージ参照ＩＤ（２）＋ＭＳ割り当てビットマップ（８）＋２×（ＭＳ固有ＴＢＦパラメータ）＝１２＋２×（４７）＝１０６ビット＝１ＰＡＣＣＨブロック。
【００８０】
［ＡＴＩ  例２］
この例では、２フェーズのアクセス割り当てが考慮されており、上記表７のパケットアップリンク割り当てＩＥを使用して、すべてのＭＳ１０４１、１０４２、１０４３、１０４４、…１０４ｎにアップリンクＴＢＦ１２８リソースが割り当てられる：
・ＭＳ固有ＴＢＦパラメータのビット数＝１＋パケットアップリンク割り当て（２）＋２フェーズのアクセス（１）＋｛１＋ＡＬＰＨＡ（４）｝＋ＧＡＭＭＡ（５）＋ＴＢＦ＿ＳＴＡＲＴＩＮＧ＿ＴＩＭＥ（１６）＋｛１＋Ｐ０（４）＋ＰＲ＿ＭＯＤＥ（１）｝＋｛１＋ＰＦＩ（７）｝＝４４ビット。
・ＡＴＩメッセージ１３８インスタンス１は図４Ｃで示すように３つのＭＳを宛て先指定している。ビット数＝ページモード（２）＋メッセージ参照ＩＤ（２）＋ＭＳ割り当てビットマップ（８）＋３×（ＭＳ固有ＴＢＦパラメータ）＝１２＋３×（４４）＝１４４ビット＝１ＰＡＣＣＨブロック。
・ＡＴＩメッセージ１３８インスタンス２は図４Ｃで示すように２つのＭＳを宛て先指定している。ビット数＝ページモード（２）＋メッセージ参照ＩＤ（２）＋ＭＳ割り当てビットマップ（８）＋２×（ＭＳ固有ＴＢＦパラメータ）＝１２＋２×（４４）＝１００ビット＝１ＰＡＣＣＨブロック。
【００８１】
［ＡＴＩ  例３］
この例では、２フェーズのアクセス割り当てが考慮されており、上記表７のＥＧＰＲＳパケットアップリンク割り当てＩＥを使用して、すべてのＭＳ１０４１、１０４２、１０４３、１０４４、…１０４ｎにアップリンクＴＢＦ１２８リソースが割り当てられる：
・ＭＳ固有ＴＢＦパラメータのビット数＝１＋ＥＧＰＲＳパケットアップリンク割り当て（２）＋｛１＋アクセス技術要求（０）｝＋２フェーズのアクセス（１）＋｛１＋ＡＬＰＨＡ（４）｝＋ＧＡＭＭＡ（５）＋ＴＢＦ＿ＳＴＡＲＴＩＮＧ＿ＴＩＭＥ（１６）＋ＮＵＭＢＥＲ  ＯＦ  ＲＡＤＩＯ  ＢＬＯＣＫＳ  ＡＬＬＯＣＡＴＥＤ（２）＋｛１＋Ｐ０（４）＋ＰＲ＿ＭＯＤＥ（１）｝＋｛１＋ＰＦＩ（７）｝＝４７ビット。
・ＡＴＩメッセージ１３８インスタンス１は図４Ｃで示すように３つのＭＳを宛て先指定している。ビット数＝ページモード（２）＋メッセージ参照ＩＤ（２）＋ＭＳ割り当てビットマップ（８）＋３×（ＭＳ固有ＴＢＦパラメータ）＝１２＋３×（４７）＝１５３ビット＝１ＰＡＣＣＨブロック。
・ＡＴＩメッセージ１３８インスタンス２は図４Ｃで示すように２つのＭＳを宛て先指定している。ビット数＝ページモード（２）＋メッセージ参照ＩＤ（２）＋ＭＳ割り当てビットマップ（８）＋２×（ＭＳ固有ＴＢＦパラメータ）＝１２＋２×（４７）＝１０６ビット＝１ＰＡＣＣＨブロック。
【００８２】
［ＯＳＡＰメッセージを用いたダウンリンクＴＢＦの確立］
ここでは、アイドルモードにあるＭＳ１０４１、１０４２、１０４３、１０４４、…１０４ｎに、ページング手続を最初に実行しないで（つまり、レガシーのＲＥＡＤＹタイマが作動中であり、ネットワークがセルレベルでＭＳの位置を認識している状態で）ダウンリンクＴＢＦを割り当て得るケースを扱う。レガシー動作では、ダウンリンクＴＢＦの確立は即時割り当てメッセージを送ることにより実行され、即時割り当てメッセージは、（ＤＲＸモードの場合は）ページンググループ上における、又は（ＴＢＦの解放のすぐ後に続く非ＤＲＸモードの場合は）いずれかのＡＧＣＨの発生時におけるパケットダウンリンクＴＢＦの割り当てを含む。
【００８３】
ＯＳＡＰ対応ＭＳ１０４１、１０４２、１０４３、１０４４、…１０４ｎの場合、ネットワークは、以下に記載するように、ダウンリンクＴＢＦ用のＭＳパケットリソースを割り当てるためのＯＳＡＰのために定義されたＥＩＡ１３２及びＡＴＩ１３８メッセージを使用するオプションを有する。
・ネットワークはＯＳＡＰ対応ＭＳ１０４１、１０４２、１０４３、１０４４、…１０４ｎに、セル別の基準で、（一時ＯＳＡＰ  ＩＤと称する）代替ＩＤを割り振らなければならず、その代替ＩＤはＢＢＳ１０２において、対応する準備タイマ３０４１、３０４２、３０４３、３０４４、…３０４ｎが稼動中の間は有効のまま維持される。これは、ＢＢＳ１０２が準備タイマの長さの知識を有することを要し、（例えばＰＦＣのサポートを通じて）複数の方法で実現され得る。
・ＢＳＳ１０２は、ＴＢＦがＯＳＡＰ対応ＭＳについて進行中である間はいつでも、ＭＳ１０４１、１０４２、１０４３、１０４４、…１０４ｎに一時ＯＳＡＰ  ＩＤ（ＴＯＩ）を割り当てるためのＰＡＣＣＨ１４０のシグナリングを使用することが可能である。
・ＭＳ１０４１、１０４２、１０４３、１０４４、…１０４ｎにＴＯＩが一度割り当てられると、当該ＴＯＩが有効である限り、当該ＴＯＩは上記ＭＳ用のダウンリンクＴＢＦ関連情報を含むＥＩＡメッセージ１３２に含まれ得る（表６の一時ＯＳＡＰ  ＩＤフィールドを参照）。
・（アップリンクＴＢＦ１２８の確立のための）ＦＮ情報＋ランダムビット、又は（ダウンリンクＴＢＦ１２８の確立のための）一時ＯＳＡＰ  ＩＤは、ＥＩＡメッセージ１３２によって宛て先指定されるＭＳ１０４１、１０４２、１０４３、１０４４、…１０４ｎのインスタンスごとに示されるので、ＥＩＡメッセージ内の任意のインスタンスが、アップリンク又はダウンリンクのいずれかのＴＢＦの確立を必要とするＭＳ１０４１、１０４２、１０４３、１０４４、…１０４ｎのいずれの組合せについてもサポートすることができる（図３Ｄ参照、５個のＭＳが示されている）。
・一時ＯＳＡＰ  ＩＤは、最大で４０９６個のＩＤをセルごとに管理できるように、９から１２ビットの長さとすることができる。
・注意すべきは、ダウンリンクＴＢＦの確立のためのこの方法は全体のダウンリンクＣＣＣＨ負荷を減少させるので、したがってＯＳＡＰ非対応移動局に、追加的なＣＣＣＨキャパシティを提供する。
【００８４】
ＯＳＡＰメッセージがダウンリンクＴＢＦの確立も可能とすることの実質的な利点は、言うまでもなく、ＡＧＣＨ１０６上で送信される単一のＥＩＡメッセージによって、ダウンリンクＴＢＦの確立が必要な最大８つのＭＳ１０４１、１０４２、１０４３、１０４４、…１０４ｎを宛て先指定できることである。一時ＯＳＡＰ  ＩＤが割り振られるＯＳＡＰ対応ＭＳ１０４１、１０４２、１０４３、１０４４、…１０４ｎは、ＥＩＡメッセージ１３２において一時ＯＳＡＰ  ＩＤを用いて宛て先指定されることを除き（つまり、アイドルモードにおいて一時ＯＳＡＰ  ＩＤを有するＭＳ１０４１、１０４２、１０４３、１０４４、…１０４ｎのためにダウンリンクＴＢＦを確立する間は、ＲＡＣＨ１２６は使用されないため、ＦＮ情報＋ランダムビットを使用して宛て先指定することはできない）、アップリンクＴＢＦ１２８の確立で使用される同じステップに従って、ダウンリンクＴＢＦを確立するために、ＳＩ１２０からＳＲＰ情報１３４／インジケータ３０２を取得し、ＥＩＡメッセージ１３２及び補足ＡＴＩメッセージ１３８インスタンスを受信するであろう。
【００８５】
［８．結論］
ＡＧＣＨ１０６のキャパシティを拡張するための仕組みについて、最適化システムアクセス手続（ＯＳＡＰ）を導入することに基づいて説明を行った。それにより、新たなＢＣＣＨ情報と、補足的なＭＳ固有の情報を提供するためのＰＡＣＣＨ１４０シグナリングとを用いることで、ＡＧＣＨ１０６上で送信される割り当てメッセージ１３２に含まれるＭＳ固有の情報の量を最小化することができる。上のセクション５で説明した例によって示されるように、ＯＳＡＰを用いる場合にＡＧＣＨ１０６のキャパシティの有意な利得が可能である（例えば８つの移動局１０４１、１０４２、１０４３、１０４４、…１０４ｎがＡＧＣＨ１０６上で送信される単一の割り当てメッセージ１３２によって宛て先指定されることが可能となる）。アップリンクＴＢＦ１２８の確立に用いられるＯＳＡＰ関連シグナリングは、セルレベルで位置が把握されているＭＳ１０４１、１０４２、１０４３、１０４４、…１０４ｎのダウンリンクの確立のためにも使用され得る。したがって、同様のＡＧＣＨ１０６のキャパシティの増加が、アップリンク及びダウンリンクＴＢＦの確立のいかなる組合せにおいても達成され得る。もし遅延を許容するアプリケーションをサポートするデバイスによって加えられる負荷が、この先数年間で顕著に増加するとすれば、ＡＧＣＨ１０６のキャパシティについてはますます問題となると思われるので、ここで記載された新規ＧＥＲＡＮ  Ｒｅｌ−１２の特徴のようなＯＳＡＰの導入は、上記ＡＧＣＨ１０６がボトルネックとなる可能性を最小限にするという利益をもたらすと考えられる。
【００８６】
［参照文献］
［１］GP-111202  −  Continued  discussion  for  IPA  parameters  −  Huawei  Technologies  Co.,  Ltd.
［２］GP-111065  −  Usage  of  Higher  MCSs  on  CCCH  Downlink  −  Telefon  AB  LM  Ericsson,  ST-Ericsson  SA
［３］GP-111708  −  Improved  AGCH  Capacity  using  Static  Radio  Parameters  −  Telefon  AB  LM  Ericsson,  ST-Ericsson  SA
［４］GP-111709  −  Calculating  the  Probability  of  Access  Collision  −  Telefon  AB  LM  Ericsson,  ST-Ericsson  SA
［５］GP-111085  −  Analysis  on  Traffic  Characteristic  of  IM  Service  in  China  -  CMCC
参照文献はｗｗｗ．３ＧＰＰ．ｏｒｇにおいて確認できる。
【００８７】
以下の詳細な議論においては、本発明に関する様々な機能や利点について記述している。特に、以下の詳細な議論は本発明者が作成した記事である“Detailed  OSAP  Signalling  Procedure”（3GPP  TSG-GERAN  #54，GP-120624，Sanya，China，May  14-18，2012）に基づくものである。
【００８８】
［詳細なＯＳＡＰシグナリング手続］
［１．諸言］
討議論文（上記言及したＧＰ−１２０６２３）において記述されたＯＳＡＰの機能は、アップリンク及びダウンリンクＴＢＦの両方を確立させるのに、より効率的である新たなシグナリング手続の導入を伴うものである。アップリンクＴＢＦ及びダウンリンクＴＢＦを確立するために用いられるＯＳＡＰの特徴に関連付けられる詳細なシグナリング手続がここでより詳しく検討され、そのシグナリングが本質的に新たなシグナリングのレガシーシグナリングとの組合せからなることを、次の通り理解することができる：
・ＯＳＡＰの特徴がネットワークによってサポートされていることを示し、かつＯＳＡＰベースのシグナリングを用いて割り当て可能なパケットデータリソースに関する情報を提供する、新たなＢＣＣＨ情報１２０。
・アップリンクＴＢＦ１２８の確立のためにＭＳ１０４１、１０４２、１０４３、１０４４、…１０４ｎがＯＳＡＰベースのシグナリングを要求していることを一意にＢＳＳ１０２が判定することを可能とする、新たなＲＡＣＨメッセージ１２４。
・（例えばアップリンクデータ転送の場合においては１３０ａ及び１３０ｂに相当する）アップリンク及びダウンリンクのユーザデータの転送に用いられるアップリンクＴＢＦ及びダウンリンクＴＢＦの確立をサポートする、新たなＡＧＣＨシグナリング１３２、及び、新たなＰＡＣＣＨシグナリング１３８。
・アップリンクＴＢＦ１２８の確立のための、レガシーの１フェーズ及び２フェーズの競合解決手続。
・ＯＳＡＰベースシグナリングを用いて確立されるアップリンクＴＢＦ及びダウンリンクＴＢＦのための、レガシーＴＢＦ管理及び解放手続。
【００８９】
［２．ＯＳＡＰ−アップリンクＴＢＦ１２８の確立のための詳細な動作］
ＯＳＡＰベースシグナリングをサポートするサービングセルは、新たなトレーニングシーケンスコード（ＴＳＣ）の使用を伴うアクセスバーストで構成される、新たな１１ビットのＲＡＣＨメッセージ１２４を受信可能である、対応するＢＳＳ１０２によって管理される。すべてのＯＳＡＰ関連システム情報を読み込むことにより、ＯＳＡＰ対応ＭＳ１０４１、１０４２、１０４３、１０４４、…１０４ｎは、ＰＳドメインへ送信するためのアップリンクペイロードを有するときは、常に下記の図５Ａ（アップリンクＴＢＦの確立のためのＯＳＡＰシグナリング手続―その１）及び図５Ｂ（アップリンクＴＢＦの確立のためのＯＳＡＰシグナリング手続―その２）に示すようなシグナリング手続にしたがって、この新たなＴＳＣを用い得る。
・図５Ａ及び図５Ｂにおいて符号“Ａ”が付されたボックス内の構成は、新たな手続及びタイマの使用について示したものであり、残りの構成は、レガシー系の手続及びタイマの使用について示したものである。
・下記に記述されたＯＳＡＰベースシグナリングは、１フェーズ及び２フェーズの双方のシステムアクセス手続と、レガシー動作における通信競合解決とを可能とするものである。
・新たな１１ビットのＲＡＣＨメッセージ１２４によってサポートされるコードポイントは、レガシーＲＡＣＨメッセージを用いて要求され得るものと同じ基本的なタイプのアクセス要求を示すことを可能とする（つまり“１フェーズのアクセス”、“２フェーズのアクセス”、“シグナリング”及び“単一ブロックパケットアクセス”）。
・下記に記述されたＯＳＡＰベースシグナリングは、レガシー動作によってサポートされる柔軟性にしたがって、ＭＳ１０４１、１０４２、１０４３、１０４４、…１０４ｎを１フェーズ又は２フェーズのシステムアクセスのいずれかを用いるように導くことにより、新たなＲＡＣＨバースト１２４に応答することを可能とする。
１）ＯＳＡＰ対応ＭＳ１０４１、１０４２、１０４３、１０４４、…１０４ｎは、レガシーＳＩのリフレッシュレートにより、３０秒に１度ＯＳＡＰ固有システム情報を読み込み、その後アイドルモードに移行する。
２）ＯＳＡＰ対応ＭＳ１０４１、１０４２、１０４３、１０４４、…１０４ｎによってトリガされる全てのＰＳドメインアクセス試行は、ＯＳＡＰ手続を使用する対象であり、一方で、当該ＭＳ１０４１、１０４２、１０４３、１０４４、…１０４ｎによってトリガされるすべてのＣＳドメインアクセス試行は、レガシーＣＳドメイン関連手続を用いて管理され得る。したがって、ＰＳドメインアクセスを試行するＯＳＡＰ対応ＭＳ１０４１、１０４２、１０４３、１０４４、…１０４ｎが、拡張パケットチャネル要求（ＥＰＣＲ）メッセージ１２４と呼ばれる新たなＲＡＣＨバーストの送信をスケジューリングし及び開始し、ＥＰＣＲメッセージ１２４は、１１ビットのペイロード空間と、ＢＢＳ１０２が一意にＥＰＣＲメッセージ１２４の受信を検出することを可能とするトレーニングシーケンスコード（ＴＳＣ）とをサポートする。
ＥＰＣＲメッセージ１２４によりサポートされるコードポイントは、ＭＳ１０４１、１０４２、１０４３、１０４４、…１０４ｎがレガシーＥＧＰＲＳパケットチャネル要求メッセージによってサポートされるＰＳドメイン関連コードポイントの通り、“１フェーズのアクセス”、“２フェーズのアクセス”、“シグナリング”及び“単一ブロックパケットアクセス”を表示することを可能とする（表８参照）。
３）ＥＰＣＲメッセージ１２４を送信することによりアクセス手続を開始したのち、ＭＳ１０４１、１０４２、１０４３、１０４４、…１０４ｎは、“ＦＮ情報”及び“ランダムビット”が整合している拡張即時割り当て（ＥＩＡ）メッセージ１３２の探索を開始する。Ｔ３１４６（レガシー）は、最大数のＥＰＣＲメッセージ１２４の送信が完了したのちのみに開始される。
４）ＭＳ１０４１、１０４２、１０４３、１０４４、…１０４ｎは、（ＭＳ固有ＥＩＡパラメータＩＥ内で伝送される）“ＦＮ情報”及び“ランダムビット”が整合している拡張即時割り当て（ＥＩＡ）メッセージ１３２を受信すると、Ｔ３１４６を（稼動中の場合）停止し、Ｔ３２２６（新規）を開始し、示されたＰＤＣＨリソースに移動し、そして整合している追加ＴＢＦ情報（ＡＴＩ）メッセージ１３８に用いられるダウンリンクＰＡＣＣＨ１４０を監視する。注意すべきこととして、これはＢＢＳ１０２がＥＩＡメッセージ１３２を送信することによってＥＰＣＲメッセージ１２４に応答しなければならないということを意味しており、なぜならＯＳＡＰベースシステムアクセスを実行しているＭＳ１０４１、１０４２、１０４３、１０４４、…１０４ｎは、ＥＩＡメッセージ１３２を、潜在的に整合している応答を含んでいる際にのみ考慮するからである。
５）ＭＳ１０４１、１０４２、１０４３、１０４４、…１０４ｎは、ＡＴＩメッセージ１３８インスタンスを受信すると、当該ＡＴＩメッセージインスタンスによって宛て先指定されるかどうか判定するための、“ＭＳ割り当てビットマップ”を読み込む。言い換えれば、ＥＩＡメッセージ１３２のＭＳ固有ＥＩＡパラメータＩＥ内で伝送される情報のＮ番目のインスタンスが照合用の情報を含むことになっているとすると、ＭＳは、そのビットマップのＮ番目のビットが１に設定されているかどうかをチェックする。もしＮ番目のビットが１に設定されていれば、ＭＳ１０４１、１０４２、１０４３、１０４４、…１０４ｎは、受信したＡＴＩメッセージ１３８に含まれるＭＳ固有ＴＢＦパラメータＩＥの対応するインスタンスが、アップリンクＴＢＦ１２８の確立に必要なすべての残りの情報１３４´及び１３６´を当該ＭＳに提供するものと結論付け、それは当該ＭＳに１フェーズアクセス手続き又は２フェーズアクセス手続を使用する段階に進むべきか否かを含んでいる（図４Ｂ参照）。
小型のメッセージ参照ＩＤフィールド（２ビット長）は、あるＭＳ１０４１、１０４２、１０４３、１０４４、…１０４ｎが受信したＡＴＩメッセージ１３８インスタンスを同じメッセージＩＤ値を有する特定のＥＩＡメッセージ１３２と正確に関連付けられるようにするために、ＥＩＡメッセージ１３２及びＡＴＩメッセージ１３８の両方に存在する：
・注意すべきは、ＥＩＡメッセージ１３２はＴＦＩ情報を全く含まないかもしれず（そのかわりに当該ＴＦＩ情報はＡＴＩメッセージ１３８に含まれ得る）、その場合、ＭＳ１０４１、１０４２、１０４３、１０４４、…１０４ｎは、ＥＩＡメッセージ１３２に含まれるＭＳ固有情報のＮ番目のインスタンスにおける照合情報（match）を受信した場合に当該ＥＩＡメッセージ１３２に対応するＡＴＩメッセージ１３８に含まれるＭＳ固有情報のＮ番目のインスタンスを使用すべきであると想定する。
・ＡＴＩメッセージ１３８インスタンスは、潜在的にＭＳ１０４１、１０４２、１０４３、１０４４、…１０４ｎに受信され損ねることが起こり得るので（ＣＳ−１コーディングを使って送信されたとしても）、ＢＳＳ１０２は、当該メッセージについて制限されたプリエンプティブ再送を行うことを選択してもよい。
・システムアクセスの負荷が大きい間においては、ＢＳＳ１０２は、１つ以上のＡＴＩメッセージ１３８インスタンスからなる複数のセット（つまり各１つ以上のＡＴＩメッセージ１３８インスタンスは、当該インスタンスが対応するＥＩＡメッセージ１３２によって宛て先指定された移動局１０４１、１０４２、１０４３、１０４４、…１０４ｎの特定の集合を宛て先指定するという点において特有である）を、ある特定のパケットリソースにおけるＰＡＣＣＨ１４０上で比較的立て続けに送信することをしてもよいし、プリエンプティブＡＴＩメッセージ再送を行ってもよい。
・そのようにして、ＭＳ１０４１、１０４２、１０４３、１０４４、…１０４ｎが、誤ってＡＴＩメッセージ１３８インスタンスを、先に受信したＥＩＡメッセージ１３２と関連付けてしまう（及び誤った追加ＴＢＦ情報を適用させてしまう）可能性を回避するために、ＥＩＡメッセージ１３２及びＡＴＩメッセージ１３８に、２ビットのメッセージ参照ＩＤフィールドを導入することが十分であると考えられる。
６）整合した（matching）ＥＩＡメッセージ１３２を受信する前にＴ３１４６が失効した場合、若しくは整合したＡＴＩメッセージ１３８を受信する前にＴ３２２６が失効した場合、ＭＳ１０４１、１０４２、１０４３、１０４４、…１０４ｎはパケットアクセス試行を中止し、アイドルモードに戻る。
７）ＡＴＩメッセージ１３８が、１フェーズのアクセスが使用されることになっていることを示す場合、ＭＳ１０４１、１０４２、１０４３、１０４４、…１０４ｎはＴ３２２６を停止し、Ｔ３１６４を開始し、当該ＭＳに割り当てられたＵＳＦの第１のインスタンスを待機する。割り当てられたＵＳＦの第１のインスタンスの受信後、ＭＳ１０４１、１０４２、１０４３、１０４４、…１０４ｎはＴ３１６４を停止し、当該ＭＳの第１のＲＬＣデータブロックを送信し、レガシー手続にしたがって１フェーズのアクセスの競合解決を続行する。注意すべきは、ＭＳがＥＰＣＲメッセージ１２４において１フェーズを示しているとしても（表８参照）、ＢＳＳ１０２はＭＳ１０４１、１０４２、１０４３、１０４４、…１０４ｎに２フェーズのアクセスを実行するよう強制するＡＴＩメッセージ１３８を送信することが可能である（下記ステップ１０参照）。
８）競合解決が成功した場合、ＭＳ１０４１、１０４２、１０４３、１０４４、…１０４ｎはレガシー動作にしたがってユーザデータ（ＬＬＣ  ＰＤＵ）の転送を完了する。ユーザデータの転送完了後、アップリンクＴＢＦ１２８はレガシー手続にしたがって解放される。
９）ＭＳ１０４１、１０４２、１０４３、１０４４、…１０４ｎが当該ＭＳに割り当てられたＵＳＦの第１のインスタンスを受信する前にＴ３１４６が失効した場合、又は１フェーズ競合解決が成功しなかった場合、レガシー手続によりパケットアクセスを再試行してもよいし、アップリンクＴＢＦを中止してもよい。
１０）ＡＴＩメッセージ１３８が、２フェーズのアクセスが使用されることになっていることを示す場合、ＭＳ１０４１、１０４２、１０４３、１０４４、…１０４ｎはＴ３２２６を停止し、ＰＲＲを送信し、Ｔ３１６８を開始し、ＰＲＲに応答したＰＵＡを待機する。
注意すべき点は、レガシー動作と同様に、ＥＰＣＲメッセージ１２４における確立理由が１フェーズのパケットアクセス又はシグナリングの要求を示している場合、ネットワークは１フェーズのアクセス又は２フェーズのアクセスのいずれかを認めるＡＴＩメッセージ１３８を送信してもよい。マルチブロックアロケーションがＡＴＩメッセージ１３８によって許可されている場合、移動局１０４１、１０４２、１０４３、１０４４、…１０４ｎは２フェーズのアクセスを実行することを強制される。
１１）競合解決が成功した場合、ＭＳは１０４１、１０４２、１０４３、１０４４、…１０４ｎＴ３１６８を停止し、Ｔ３１６４を開始し、当該ＭＳに割り当てられたＵＳＦの第１のインスタンスを待機する。割り当てられたＵＳＦの第１のインスタンスを受信後、ＭＳ１０４１、１０４２、１０４３、１０４４、…１０４ｎはＴ３１６４を停止し、レガシー動作にしたがってユーザデータ（ＬＬＣ  ＰＤＵ）の転送を開始する。ユーザデータの転送完了後、ＴＢＦ１２８はレガシー手続にしたがって解放される。
１２）ＭＳ１０４１、１０４２、１０４３、１０４４、…１０４ｎがＰＲＲに応答したＰＵＡを受信する前にＴ３１６８が失効した場合、ＭＳが割り当てられたＵＳＦの第１のインスタンスを受信する前にＴ３１６４が失効した場合、又は２フェーズの競合解決が成功しなかった場合、レガシー手続によりパケットアクセスを再試行してもよいし、アップリンクＴＢＦを中止してもよい。
【００９０】
【表１１】
2015512596.tif 000013
【００９１】
［２．ＯＳＡＰ−ダウンリンクＴＢＦの確立のための詳細な動作］
ここで取り扱うシナリオは、ＯＳＡＰ対応ＭＳ１０４１、１０４２、１０４３、１０４４、…１０４ｎがアイドルモードであり、及び、対応するレガシー準備タイマが稼動中であり、それゆえネットワークがＭＳの位置をセルレベルで認知できるため、まずページング手続の実行をせずにダウンリンクＴＢＦを割り当て得る、ということを想定する。この場合、ダウンリンクＴＢＦの確立は、図４Ｃで示されるように実行される（ダウンリンクＴＢＦの確立のためのＯＳＡＰシグナリング手続）。
１）ＴＢＦが進行中である間、ＢＳＳ１０２はいつＰＡＣＣＨ１４０シグナリングを用いて一時ＯＳＡＰ  ＩＤ（ＴＯＩ）を、ＯＳＡＰ対応ＭＳ１０４１、１０４２、１０４３、１０４４、…１０４ｎに割り振ってもよい。割り振られたＴＯＩは、ＢＳＳ１０２において対応する準備タイマ３０４１、３０４２、３０４３、３０４４、…３０４ｎが稼動中である限り有効であり、当該ＴＯＩは、ＢＳＳ１０２が準備タイマの長さの知識を有することを要する（例えばＰＦＣ手続がネットワークによってサポートされる場合に実現し得る）。
２）ＢＳＳ１０２は、有効なＴＯＩを有する、アイドルモードであるＭＳ１０４１、１０４２、１０４３、１０４４、…１０４ｎのダウンリンクペイロード（例えばＬＬＣ  ＰＤＵｓ）を受信すると、当該ＭＳのＴＯＩ（あるいはＦＮ情報＋ランダムビット）を含むＥＩＡメッセージ１３２を送信することにより、ダウンリンクＴＢＦの確立を開始する。
・非ＤＲＸモードの特徴がサポートされない場合（つまり、ＴＢＦが解放される際にＭＳ１０４１、１０４２、１０４３、１０４４、…１０４ｎはＤＲＸモードに即時移行する）、ＢＳＳ１０２は、３ＧＰＰ  ＴＳ  ４５．００２（内容は参照文献に記載されている）において定義されているように、ＭＳのページンググループによって定義される無線ブロックのうちのいずれかを用いて、対応するサービングセルのＣＣＣＨ上において、ＥＩＡメッセージ１３２を送信する。
・非ＤＲＸモードの特徴がサポートされており（つまり、ＴＢＦが解放される際にＭＳ１０４１、１０４２、１０４３、１０４４、…１０４ｎは非ＤＲＸタイマによって決定される期間において非ＤＲＸモードに即時移行する）かつＭＳが非ＤＲＸモードにあるとＢＳＳ１０２が判定した場合、ＢＳＳ１０２は、非ＢＣＣＨブロックのいずれかを用いて対応するサービングセルのＣＣＣＨ上においてＥＩＡメッセージ１３２を送信し得る。そうでなければ、ＢＳＳ１０２は、ＭＳのページンググループによって定義される無線ブロックのいずれかを用いて、対応するサービングセルのＣＣＣＨ上において、ＥＩＡメッセージ１３２を送信する。
３）ＭＳ１０４１、１０４２、１０４３、１０４４、…１０４ｎは、（ＭＳ固有ＥＩＡパラメータＩＥに含まれて伝送された）整合しているＴＯＩを有する拡張即時割り当て（ＥＩＡ）メッセージ１３２を受信すると、非ＤＲＸタイマを（稼動中であれば）停止し、Ｔ３２２６（新規）を開始し、示されたＰＤＣＨリソースへ移動し、そして整合する追加ＴＢＦ情報（ＡＴＩ）メッセージ１３８に用いられるダウンリンクＰＡＣＣＨ１４０を監視する。
４）ＭＳ１０４１、１０４２、１０４３、１０４４、…１０４ｎは、ＡＴＩメッセージ１３８インスタンスを受信すると、当該ＡＴＩメッセージインスタンスによって宛て先指定されているかを判定するための“ＭＳ割り当てビットマップ”を読み込む。言い換えれば、ＥＩＡメッセージ１３２のＭＳ固有ＥＩＡパラメータＩＥ内で伝送される情報のＮ番目のインスタンスが照合用の情報を含むことになっているとすると、ＭＳは、そのビットマップのＮ番目のビットが１に設定されているかどうかをチェックする。もしＮ番目のビットが１に設定されていれば、ＭＳ１０４１、１０４２、１０４３、１０４４、…１０４ｎは、受信したＡＴＩメッセージ１３８に含まれるＭＳ固有ＴＢＦパラメータＩＥの対応するインスタンスが、ダウンリンクＴＢＦ１２８の確立に必要なすべての残りの情報を当該ＭＳに提供するものと結論付ける。
５）整合するＡＴＩメッセージ１３８の受信前にＴ３２２６が失効した場合、ＭＳ１０４１、１０４２、１０４３、１０４４、…１０４ｎはダウンリンクＴＢＦの確立の試行を中止し、アイドルモードに戻る。
【００９２】
［４．結論］
上記のようなＯＳＡＰ手続の詳細な動作は、（レガシー動作におけるＡＧＣＨのみの場合と比較して）ＴＢＦ１２８固有情報をＢＣＣＨ１２２、ＡＧＣＨ１０６及びＰＡＣＣＨ１４０に効果的に分散させることを伴う。当該手法により、ＡＧＣＨ１０６上にて送信される分散された情報のＭＳ固有の部分は、レガシー動作と比較してきわめて減少し、ＯＳＡＰ固有ＡＧＣＨ割り当てメッセージ１３２によって宛て先指定されるＭＳ１０４１、１０４２、１０４３、１０４４、…１０４ｎの数を、レガシーにおけるＡＧＣＨ割り当てメッセージと比較して有意に増加させることが可能であるという点において、ＡＧＣＨの利得が実現された。システムアクセス負荷が増加するにつれて（例えばインスタントメッセージタイプのアプリケーションの使用の増加はもちろん、ＭＴＣによるトラフィック負荷の増加など）ＡＧＣＨ１０６のキャパシティについてはますます問題となると思われるので、本明細書で記載された新規ＧＥＲＡＮ  Ｒｅｌ−１２の特徴のように、ＯＳＡＰを導入することによって、不可欠である上記ＡＧＣＨ１０６のキャパシティの改善が提供されるものと考えられる。
【００９３】
以下の議論においては、本発明のＯＳＡＰ手続がHuawei  Technologies  Co.,  Ltd.によって発表されたＩＰＡ手続よりも優れていることを示す様々な利点について説明する。第１の詳細な議論は本発明者が作成した記事である“IPA  Analysis  for  Uplink  Assignments”（3GPP  TSG-GERAN  #55,  GP-120979，  presented  in  Vienna,  Austria,  August  27-31,  2012）に基づくものであり、また、第２の詳細な議論は本発明者が作成した記事である“IPA  Analysis  for  Downlink  Assignments”（3GPP  TSG-GERAN  #55,  GP-120980，  presented  in  Vienna,  Austria,  August  27-31,  2012）に基づく。
【００９４】
［アップリンク割り当てのためのＩＰＡ分析（ＧＰ−１２０９７９参照）］  ［１．諸言］  ＩＰＡの特徴は、高いＣＣＣＨ負荷を経験する事業者ネットワークを踏まえてＲｅｌ−１１  ＧＥＲＡＮの仕様に包含され、そして当該負荷を取り扱う手段として、多重ＣＣＣＨ（ＭＣＣＨ）が典型的に活用されてきた。しかしながら、アップリンクＴＢＦの確立のケースについて高ＣＣＣＨ負荷を緩和するための手段としてのＩＰＡを考えた場合、高い負荷を伴うネットワークシナリオに対して追加的な検討がなされなければならず、１フェーズのシステムアクセスの使用が優先される。
【００９５】
本文書で示されることとして、ＩＰＡは２フェーズアクセスのケースについて提供されるよりも多くのＭＳ固有情報を提供しなければならないため、１フェーズアクセスのケースについてＩＰＡは高々２つのアップリンクＴＢＦの割り当てをサポートすることができるであろう。よって、参照文献［１］に示されているようなＩＰＡのケイパビリティについてさらに考慮され、以下のような発見を得た。
・１フェーズのアクセスの場合、ホッピングが用いられているかどうかにかかわらず、ＩＰＡメッセージにおいて最大２つのＭＳを宛て先指定できる（一方、参照文献［１］では非ホッピングの場合、最大で３つのＭＳを宛て先指定できる）。
・ダイレクトエンコーディングオプションが用いられる１フェーズ又は２フェーズのアクセスの場合、ＩＰＡメッセージにおいて１つのＭＳしか宛て先指定できないため、利得は無い（参照文献［１］では議論されていない）。
【００９６】
［２．ＩＰＡメッセージ空間の分析］
ＢＣＣＨキャリアが用いられていないアップリンクＴＢＦの割り当ての場合において、“ＩＰＡ残余オクテットＩＥ”の１９オクテットのペイロード空間の限界（下記Ａｎｎｅｘ  Ａ．１参照）を考慮し、及び当該ＩＥに提案された内容を分析すると、以下の事項に注意すべきである：
【００９７】
［２．１  １フェーズのアクセス］
・ＩＰＡメッセージ空間の活用のための最良ケースのシナリオは、周波数ホッピングを使用しない１フェーズのアクセスのケースであって（ＩＰＡアップリンク割り当て（IPA  Uplink  Assignment）構造体が使われる）、周波数パラメータ（Frequency  Parameters）構造体がＡＲＦＣＮに関する情報（下記Ａｎｎｅｘ  Ａ．２中のハイライトされたテキストを参照）を提供するケースである。当該最良ケースのシナリオにおいてアップリンクＴＢＦリソースが割り当てられると、以下のビット空間を利用できる。
・全ビット＝１＋｛Ｎ×（１＋４３）＋１｝＋３＋１＋（３＋２＋１０）＋１＋１であって、このときＮはＩＰＡメッセージによって宛て先指定されるＭＳの数である。よって、Ｎの最大値＝２（全ビット＝１＋［２×４４＋１］＋４＋１５＋２＝１１１ビット）。
・この結果は、最大１５２ビットであるので、４１ビットしかペイロード空間が残存しておらず、第３の移動局のためのアップリンクリソースの割り当てを十分にサポートできないことを意味する。
・ＩＰＡメッセージ空間の活用のための最悪ケースのシナリオは、周波数ホッピングを使用する１フェーズのアクセスのケースであって、周波数パラメータ構造体がダイレクトエンコーディング２の情報を用いて（下記Ａｎｎｅｘ  Ａ．２中のマゼンタでマークされたテキスト参照）提供されるケースである。当該最悪ケースのシナリオにおいてアップリンクＴＢＦリソースが割り当てられると、以下のビット空間を利用できる。
・全ビット＝１＋｛Ｎ×（１＋４３）＋１｝＋３＋１＋（３＋２＋６＋６＋４＋６４）＋１＋１であって、このときＮはＩＰＡメッセージによって宛て先指定されるＭＳの数である。よって、Ｎの最大値＝１（全ビット＝１＋［１×４４＋１］＋４＋８５＋２＝１３７ビット）。
・この結果は、最大１５２ビットであるので、１５ビットしかペイロード空間が残存しておらず、第２の移動局のためのアップリンクリソースの割り当てを十分にサポートできないことを意味する。
【００９８】
［２．２  ２フェーズのアクセス］
・２フェーズのアクセスのケースにおけるＩＰＡメッセージ空間の活用のための最良ケースのシナリオは（ＩＰＡ単一ブロックアップリンクの割り当て（IPA  Single  Block  Uplink  Assignment）構造体が使われる）、周波数パラメータ構造体がＡＲＦＣＮに関する情報（下記Ａｎｎｅｘ  Ａ．２中のハイライトされたテキストを参照）を提供するケースである。当該最良ケースのシナリオにおいてアップリンクＴＢＦが割り当てられると、以下のビット空間を利用できる。
・全ビット＝１＋１＋｛Ｎ×（１＋３６）＋１｝＋３＋１＋（３＋２＋１０）であって、このときＮはＩＰＡメッセージによって宛て先指定されるＭＳの数である。よって、Ｎの最大値＝３（全ビット＝２＋［３×３７＋１］＋４＋１５＝１３３ビット）。
・この結果は、最大１５２ビットであるので、１９ビットしかペイロード空間が残存しておらず、第４の移動局のためのアップリンクリソースの割り当てを十分にサポートできないことを意味する。
・２フェーズのアクセスのケースにおけるＩＰＡメッセージ空間の活用のための最悪ケースのシナリオは、周波数パラメータ構造体がダイレクトエンコーディング２の情報（下記付録Ａ．２中の強調されたテキストを参照）を提供するケースである。当該最悪ケースのシナリオにおいてアップリンクＴＢＦが割り当てられると、以下のビット空間を利用できる。
・全ビット＝１＋１＋｛Ｎ×（１＋３６）＋１｝＋３＋１＋（３＋２＋６＋６＋４＋６４）であって、このときＮはＩＰＡメッセージによって宛て先指定されるＭＳの数である。よって、Ｎの最大値＝１（全ビット＝２＋［１×３７＋１］＋４＋８５＝１２９ビット）。
・この結果は、最大１５２ビットであるので、２３ビットしかペイロード空間が残存しておらず、第２の移動局のためのアップリンクリソースの割り当てを十分にサポートできないことを意味する。
【００９９】
［２．３  ベースバンド周波数ホッピングを使用する場合］
・一般的な配備のシナリオでは、ベースバンド周波数ホッピングが使用され、ＢＣＣＨ周波数がホッピングセット内に含まれるシナリオであり、移動局はＭＡＩＯ及びＨＳＮのタイプ情報を必要とするため、周波数パラメータＩＥが含まれることを必要とする。このシナリオでは、周波数パラメータＩＥがダイレクトエンコーディング１又はダイレクトエンコーディング２のいずれかのオプションを用いて当該情報を提供する場合、上記２．１及び２．２で想定した最悪ケースのシナリオが当てはまるであろう。一方、周波数パラメータＩＥが非ダイレクトエンコーディングオプションを用いて当該情報を提供する場合、上記２．１及び２．２で想定した最良ケースのシナリオが当てはまるであろう。
【０１００】
［２．４  ベースバンド周波数ホッピングを使用しない場合］
・他の配備のシナリオでは、ベースバンド周波数ホッピングが使用されず、（例えば、ＢＣＣＨキャリア上でＭＣＣＣＨが使用される場合又はＳＤＣＣＨがＢＣＣＨキャリア上で割り当てられる場合の、不連続なＰＤＣＨに由来するＰＤＣＨリソース利用の効率性の減少に起因して）ＢＣＣＨキャリアがＰＳリソースの割り当てにおいて選択されないシナリオである。このとき、上記２．１及び２．２で想定した最良ケースのシナリオに対応する周波数パラメータＩＥによってＡＲＦＣＮ情報が提供されることを要する。
【０１０１】
［２．５  インプリシットリジェクト情報］
・現在のところ仕様化はされていないものの、ＩＰＡメッセージをＡＧＣＨ上で送信することが可能であり、従ってインプリシットリジェクト情報をＩＰＡ対応移動局に伝達可能であるべきなので、“ＩＰＡ残余オクテットＩＥ”は、“インプリシットリジェクトＣＳ”を示すためのビットと“インプリシットリジェクトＰＳ”を示すビットとを含むことを必要とする。これら２ビットを追加することは、ＩＰＡ残余オクテットのビットが不足する問題を、より一層悪化させるであろう。
【０１０２】
［３．結論］
ＩＰＡを、高ＣＣＣＨ負荷を緩和させる手段として用いるシステムオペレーションを想定したときに、たとえＩＰＡメッセージ空間の利用の最良ケースのシナリオを想定したとしても、１フェーズアクセスの使用を優先させた場合に最大でも２つの移動局に対してアップリンクＴＢＦの割り当てをサポートすることしかできないであろう。それゆえ、ＩＰＡの特徴を用いることは、アップリンクＴＢＦの割り当てに関して、ＡＧＣＨ信号のキャパシティに対しては実際には非常に限られた改善しかもたらさないのであり、長期のＡＧＣＨ負荷というシナリオに対しては十分とは言えないであろう。
【０１０３】
［参照文献］
［１］GP-110616,“Further  discussion  on  IPA  message”,  Huawei  Technologies  Co.  Ltd,  Qualcomm  Incorporated.  GERAN#50.
参照文献はｗｗｗ．３ＧＰＰ．ｏｒｇにおいて確認できる。
【０１０４】
＜Ａｎｎｅｘ  Ａ．１＞
［９．１．１８ａ  即時パケット割り当て］
このメッセージは、アイドルモードの複数の移動局へ、ネットワークにより、セル内でアップリンク又はダウンリンクのいずれかのパケットデータチャネルの構成を割り当てるためにＣＣＣＨ上で送信される。表９を参照する。
【０１０５】
このメッセージのＬ２疑似長さは、ＩＰＡ残余オクテット及びＬ２疑似長さ情報エレメントを除くメッセージに存在するすべての情報エレメントの長さの合計である。
注：ＩＭＭＥＤＩＡＴＥ  ＰＡＣＫＥＴ  ＡＳＳＩＧＮＭＥＮＴメッセージを理解するためのある移動局の制限を、ネットワークは考慮に入れるべきであり、なぜならそれら移動局はページモード情報エレメントを復号できないかも知れないからである。
メッセージタイプ：ＩＭＭＥＤＩＡＴＥ  ＰＡＣＫＥＴ  ＡＳＳＩＧＮＭＥＮＴ
重要度：ｄｕａｌ
方向：ネットワークから移動局
【０１０６】
【表１２】
2015512596.tif 000014
【０１０７】
＜Ａｎｎｅｘ  Ａ．２＞
［１０．５．２．７８  ＩＰＡ残余オクテット］
ＩＰＡ残余オクテット情報エレメントは、予備ビットと、望ましくは少なくとも１つのＩＰＡアップリンク割り当て構造体、ＩＰＡダウンリンク割り当て構造体、及びＩＰＡ単一ブロックアップリンク割り当て構造体を含む。
ＩＰＡ残余オクテット情報エレメントは、下記のような特定のシンタックスによって符号化され、表１０のように記述される。
ＩＰＡ残余オクテット情報エレメントは０〜１９のオクテット長さを伴うタイプ５の情報エレメントである。
【０１０８】
【表１３】
2015512596.tif 000015
【０１０９】
【表１４】
2015512596.tif 000016
【０１１０】
［ダウンリンク割り当てのためのＩＰＡ分析（ＧＰ−１２０９８０参照）］
［１．諸言］
ＩＰＡの特徴は、高ＣＣＣＨ負荷を経験する事業者ネットワークを踏まえてＲｅｌ−１１  ＧＥＲＡＮの仕様に含まれ、そして当該負荷を取り扱う手段として多重ＣＣＣＨ（ＭＣＣＨ）が典型的に活用されてきた。しかしながら、ダウンリンクＴＢＦの確立において高ＣＣＣＨ負荷を緩和するための手段としてのＩＰＡを考えた場合、“ＩＰＡダウンリンク割り当て構造体”を用いて高々２つの移動局に対してダウンリンクＴＢＦの割り当てをサポートすることはできるであろう。よって、参照文献［１］で示されているようなＩＰＡのケイパビリティについてさらに検討を行い、結果として以下のような発見を得た：
・ダイレクトエンコーディングオプションがＩＰＡについて用いられる場合、ＩＰＡメッセージ内で１つのＭＳしか宛て先指定できないため、利得は無い（参照文献［１］では議論されていない）。
【０１１１】
［２．ＩＰＡメッセージ空間の分析］
ＢＣＣＨキャリアが用いられていないダウンリンクＴＢＦの割り当ての場合において、“ＩＰＡ残余オクテットＩＥ”の１９オクテットのペイロード空間の限界（下記Ａｎｎｅｘ  Ａ．１参照）を考慮し、及び当該ＩＥに提案された内容を分析すると、以下の事項に注意すべきである：
・ＩＰＡメッセージ空間の活用のための最良ケースのシナリオは、周波数パラメータ構造体がＡＲＦＣＮに関する情報（下記Ａｎｎｅｘ  Ａ．２のハイライトされたテキストを参照）を提供するケースである。当該最良ケースのシナリオにおいてダウンリンクＴＢＦリソースが割り当てられると、以下のビット空間を利用できる。
・全ビット＝１＋｛Ｎ×（１＋４９）＋１｝＋１＋１＋３＋１＋（３＋２＋１０）＋１であって、このときＮはＩＰＡメッセージによって宛て先指定されるＭＳの数である。よって、Ｎの最大値＝２（全ビット＝１＋［２×５０＋１］＋６＋１５＋１＝１２４ビット）
・この結果は、最大１５２ビットであるので、２８ビットしかペイロード空間が残存しておらず、第３の移動局のためのアップリンクリソースの割り当てを十分にサポートできないことを意味する。
・ＩＰＡメッセージ空間の活用のための最悪ケースのシナリオは、周波数パラメータ構造体がダイレクトエンコーディング２の情報（下記付録Ａ．２中の強調したテキスト参照）を提供するケースである。当該最悪ケースのシナリオにおいてダウンリンクＴＢＦリソースが割り当てられると、以下のビット空間を利用できる。
・全ビット＝１＋｛Ｎ×（１＋４９）＋１｝＋１＋１＋３＋１＋（３＋２＋６＋６＋４＋６４）＋１であって、このときＮはＩＰＡメッセージによって宛て先指定されるＭＳの数である。よって、Ｎの最大値＝１（全ビット＝１＋［１×５０＋１］＋６＋８５＋１＝１４４ビット）。
・この結果は、最大１５２ビットであるので、８ビットしかペイロード空間が残存しておらず、第２の移動局のためのアップリンクリソースの割り当てを十分にサポートできないことを意味する。
・さらに注意すべき点として、ダイレクトエンコーディング２構造体はモバイルアロケーション情報が６４ビット以上となることを認めるため、その場合ＩＰＡメッセージは１つの移動局に対してもダウンリンクＴＢＦリソースを割り当てることさえできなくなるということである。
・一般的な配備のシナリオでは、ベースバンド周波数ホッピングが使用され、ＢＣＣＨ周波数がホッピングセット内に含まれ、移動局はＭＡＩＯ及びＨＳＮのタイプ情報を必要とするため、周波数パラメータＩＥが含まれることを必要とする。このシナリオでは、周波数パラメータＩＥがダイレクトエンコーディング１又はダイレクトエンコーディング２のいずれかのオプションを用いて当該情報を提供する場合、上記最悪ケースのシナリオが当てはまり得る。一方、周波数パラメータＩＥが非ダイレクトエンコーディングオプションを用いて当該情報を提供する場合、上記最良ケースのシナリオが当てはまり得る。
・他の配備のシナリオでは、ベースバンド周波数ホッピングが使用されず、（例えば、ＢＣＣＨキャリア上でＭＣＣＣＨが使用される場合又はＳＤＣＣＨがＢＣＣＨキャリア上で割り当てられる場合の、不連続なＰＤＣＨに由来するＰＤＣＨリソース利用の効率性の減少に起因して）ＢＣＣＨキャリアがＰＳリソースの割り当てにおいて選択されない。このとき、上記最良ケースのシナリオに対応する周波数パラメータＩＥによってＡＲＦＣＮ情報が提供されることを要する。
・現在のところ仕様化はされていないものの、ＩＰＡメッセージをＡＧＣＨ上で送信することが可能であり、従ってインプリシットリジェクト情報をＩＰＡ対応移動局に伝達可能であるべきなので、”ＩＰＡ残余オクテットＩＥ”は、“インプリシットリジェクトＣＳ”を示すためのビットと“インプリシットリジェクトＰＳ”を示すためのビットとを含むことを必要とする。これら２ビットを追加することは、ＩＰＡ残余オクテットのビットが不足する問題を、より一層悪化させるであろう。
【０１１２】
［３．結論］
ＩＰＡを、高ＣＣＣＨ負荷を緩和させる手段として用いるシステムオペレーションを想定したときに、たとえＩＰＡメッセージ空間の活用の最良ケースのシナリオを想定したとしても、最大でも２つの移動局に対してダウンリンクＴＢＦの割り当てをサポートすることしかできないであろう。それゆえ、ＩＰＡの特徴を用いることは、ダウンリンクＴＢＦの割り当てに関して、ＡＧＣＨ信号のキャパシティに対しては実際には非常に限られた改善しかもたらさないのであり、長期のＡＧＣＨ負荷というシナリオに対しては十分とは言えないであろう。
【０１１３】
［参照文献］
［１］GP-110616,  “Further  discussion  on  IPA  message”,  Huawei  Technologies  Co.  Ltd,  Qualcomm  Incorporated.  GERAN#50.
参照文献はｗｗｗ．３ＧＰＰ．ｏｒｇにおいて確認できる。
【０１１４】
＜Ａｎｎｅｘ  Ａ．１＞
［９．１．１８ａ  即時パケット割り当て］
このメッセージは、アイドルモードの複数の移動局へ、ネットワークにより、セル内でアップリンク又はダウンリンクのいずれかのパケットデータチャネルの構成を割り当てるためにＣＣＣＨ上で送信される。表１１を参照する。
【０１１５】
このメッセージのＬ２疑似長さは、ＩＰＡ残余オクテット及びＬ２疑似長さ情報エレメントを除くメッセージに存在するすべての情報エレメントの長さの合計である。
注：ＩＭＭＥＤＩＡＴＥ  ＰＡＣＫＥＴ  ＡＳＳＩＧＮＭＥＮＴメッセージを理解するためのある移動局の制限を、ネットワークは考慮に入れるべきであり、なぜならそれら移動局はページモード情報エレメントを復号できないかも知れないからである。
メッセージタイプ：ＩＭＭＥＤＩＡＴＥ  ＰＡＣＫＥＴ  ＡＳＳＩＧＮＭＥＮＴ
重要度：ｄｕａｌ
方向：ネットワークから移動局
【０１１６】
【表１５】
2015512596.tif 000017
【０１１７】
＜Ａｎｎｅｘ  Ａ．２＞
［１０．５．２．７８  ＩＰＡ残余オクテット］
ＩＰＡ残余オクテット情報エレメントは、予備ビットと、望ましくは少なくとも１つのＩＰＡアップリンク割り当て構造体、ＩＰＡダウンリンク割り当て構造体、及びＩＰＡ単一ブロックアップリンク割り当て構造体を含む。
ＩＰＡ残余オクテット情報エレメントは、下記のような特定のシンタックスによって符号化され、表１２のように記述される。
ＩＰＡ残余オクテット情報エレメントは０〜１９のオクテット長さを伴うタイプ５の情報エレメントである。
【０１１８】
【表１６】
2015512596.tif 000018
【０１１９】
本発明のいくつかの実施形態が添付図面及び前述の明細書により説明されたが、本発明は開示された実施形態には限定されず、以下の請求項において記述され及び定義された通りの本発明から逸脱することなく多数の再構成、修正及び代用が可能であることが理解されるべきである。
【図１Ａ】
2015512596.tif 000019
【図１Ｂ】
2015512596.tif 000020
【図１Ｃ】
2015512596.tif 000021
【図１Ｄ】
2015512596.tif 000022
【図１Ｅ】
2015512596.tif 000023
【図２Ａ】
2015512596.tif 000024
【図２Ｂ】
2015512596.tif 000025
【図２Ｃ】
2015512596.tif 000026
【図３Ａ】
2015512596.tif 000027
【図３Ｂ】
2015512596.tif 000028
【図３Ｃ】
2015512596.tif 000029
【図４Ａ】
2015512596.tif 000030
【図４Ｂ】
2015512596.tif 000031
【図４Ｃ】
2015512596.tif 000032
【図４Ｄ】
2015512596.tif 000033
【図５Ａ】
2015512596.tif 000034
【図５Ｂ】
2015512596.tif 000035
【図５Ｃ】
2015512596.tif 000036
【手続補正書】
【提出日】平成26年12月9日(2014.12.9)
【手続補正１】
【補正対象書類名】特許請求の範囲
【補正対象項目名】全文
【補正方法】変更
【補正の内容】
【特許請求の範囲】
【請求項１】
複数の移動局とインタラクションし及びアクセスグラントチャネル（ＡＧＣＨ）のキャパシティを改善するための手続を実行するように構成される基地局サブシステム（ＢＳＳ）（１０２）であって、
プロセッサと、
プロセッサにより実行可能な命令を記憶するメモリと、
を備え、
前記プロセッサは、前記メモリとインタフェースし、プロセッサにより実行可能な前記命令を実行して、
前記複数の移動局へ複数の代替ＩＤを割り当てる動作と、
前記代替ＩＤのうちの各々１つを、前記移動局のうちの対応する各々１つへ送信する動作と、
を可能とし、
前記代替ＩＤのうちの各々１つが前記移動局のうちの１つに割り当てられ、
各代替ＩＤは、セル別の基準で割り当てられ、セル内で一意であり、
各代替ＩＤについて、対応する準備タイマが開始され、各代替ＩＤは対応する前記準備タイマが稼動している間に有効性を維持され、
前記プロセッサは、
割り当てる前記動作及び送信する前記動作の後、ダウンリンク一時ブロックフロー（ＴＢＦ）の確立が必要とされる前記複数の移動局のうちの２つ以上がアイドルモードにあり、前記複数の移動局のうちの前記２つ以上に対応する前記準備タイマが依然として稼動中である場合に、前記複数の移動局のうちの前記２つ以上へ前記ＡＧＣＨ上で即時割り当てメッセージを送信する動作、
を可能とし、
前記即時割り当てメッセージは、（１）前記複数の移動局のうちの前記２つ以上についての２つ以上の前記代替ＩＤと、（２）前記複数の移動局のうちの前記２つ以上によりそのそれぞれのダウンリンクＴＢＦを確立する際にそれぞれ使用すべき動的無線パラメータの２つ以上の部分と、を含む、
ＢＳＳ。
【請求項２】
前記プロセッサは、さらに、プロセッサにより実行可能な前記命令を実行して、各移動局についてＴＢＦが継続中である間、パケット関連制御チャネル（ＰＡＣＣＨ）シグナリングを用いることにより、各移動局へ各代替ＩＤを送信する、請求項１のＢＳＳ。
【請求項３】
前記プロセッサは、さらに、プロセッサにより実行可能な前記命令を実行して、前記複数の移動局へ新たなシステム情報（ＳＩ）をブロードキャストし、前記新たなＳＩは、前記複数の移動局のうちの前記２つ以上によりそのそれぞれのダウンリンクＴＢＦを確立する際に使用すべき静的無線パラメータ、を含む、請求項１のＢＳＳ。
【請求項４】
前記即時割り当てメッセージは、前記複数の移動局のうちの前記２つ以上によりそのそれぞれのダウンリンクＴＢＦを確立する際に使用すべき静的無線パラメータ、をさらに含む、請求項１のＢＳＳ。
【請求項５】
前記プロセッサは、さらに、プロセッサにより実行可能な前記命令を実行して、前記即時割り当てメッセージを送信した後に、補足メッセージを送信し、前記補足メッセージは、前記複数の移動局のうちの前記２つ以上へパケット関連制御チャネル（ＰＡＣＣＨ）上で送信され、前記補足メッセージは、前記複数の移動局のうちの前記２つ以上によりそのそれぞれのダウンリンクＴＢＦを確立する際にそれぞれ使用すべき前記動的無線パラメータの２つ以上の残りの部分を含む、請求項１のＢＳＳ。
【請求項６】
前記プロセッサは、さらに、プロセッサにより実行可能な前記命令を実行して、前記即時割り当てメッセージを送信した後に、補足メッセージを送信し、前記補足メッセージは、前記複数の移動局のうちの前記２つ以上へパケット関連制御チャネル（ＰＡＣＣＨ）上で送信され、前記補足メッセージは、（１）追加的な静的無線パラメータと、（２）前記動的無線パラメータの２つ以上の残りの部分と、を含み、前記追加的な静的無線パラメータは、前記複数の移動局のうちの前記２つ以上によりそのそれぞれのダウンリンクＴＢＦを確立する際に使用され、前記動的無線パラメータの前記２つ以上の残りの部分は、前記複数の移動局のうちの前記２つ以上によりそのそれぞれのダウンリンクＴＢＦを確立する際にそれぞれ使用される、請求項１のＢＳＳ。
【請求項７】
前記プロセッサは、さらに、プロセッサにより実行可能な前記命令を実行して、前記即時割り当てメッセージを送信した後に、補足メッセージを送信し、前記補足メッセージは、前記複数の移動局のうちの前記２つ以上へパケット関連制御チャネル（ＰＡＣＣＨ）上で送信され、前記補足メッセージは、追加的な静的無線パラメータを含み、前記追加的な静的無線パラメータは、前記複数の移動局のうちの前記２つ以上によりそのそれぞれのダウンリンクＴＢＦを確立する際に使用される、請求項１のＢＳＳ。
【請求項８】
前記プロセッサは、さらに、プロセッサにより実行可能な前記命令を実行して、前記複数の移動局のうちの前記２つ以上へ、確立された前記ダウンリンクＴＢＦのうちの２つ以上の上でダウンリンクペイロードデータを送信する、請求項１のＢＳＳ。
【請求項９】
複数の移動局とインタラクションする基地局サブシステム（ＢＳＳ）における、アクセスグラントチャネル（ＡＧＣＨ）のキャパシティを改善する手続を実行するための方法であって、
前記複数の移動局へ複数の代替ＩＤを割り当てるステップと、
前記代替ＩＤのうちの各々１つが前記移動局のうちの１つに割り当てられることと、
各代替ＩＤは、セル別の基準で割り当てられ、セル内で一意であることと、
各代替ＩＤについて、対応する準備タイマが開始され、各代替ＩＤは対応する前記準備タイマが稼動している間に有効性を維持されることと、
前記代替ＩＤのうちの各々１つを、前記移動局のうちの対応する各々１つへ送信するステップと、
割り当てる前記ステップ及び送信する前記ステップの後、ダウンリンク一時ブロックフロー（ＴＢＦ）の確立が必要とされる前記複数の移動局のうちの２つ以上がアイドルモードにあり、前記複数の移動局のうちの前記２つ以上に対応する前記準備タイマが依然として稼動中である場合に、前記複数の移動局のうちの前記２つ以上へ前記ＡＧＣＨ上で即時割り当てメッセージを送信するステップと、
前記即時割り当てメッセージは、（１）前記複数の移動局のうちの前記２つ以上についての２つ以上の前記代替ＩＤと、（２）前記複数の移動局のうちの前記２つ以上によりそのそれぞれのダウンリンクＴＢＦを確立する際にそれぞれ使用すべき動的無線パラメータの２つ以上の部分と、を含むことと、
を含む方法。
【請求項１０】
送信する前記ステップは、さらに、各移動局についてＴＢＦが継続中である間、パケット関連制御チャネル（ＰＡＣＣＨ）シグナリングを用いて、各移動局へ各代替ＩＤを送信すること、を含む、請求項９の方法。
【請求項１１】
前記複数の移動局へ新たなシステム情報（ＳＩ）をブロードキャストするステップ、をさらに含み、前記新たなＳＩは、前記複数の移動局のうちの前記２つ以上によりそのそれぞれのダウンリンクＴＢＦを確立する際に使用すべき静的無線パラメータ、を含む、請求項９の方法。
【請求項１２】
前記即時割り当てメッセージは、前記複数の移動局のうちの前記２つ以上によりそのそれぞれのダウンリンクＴＢＦを確立する際に使用すべき静的無線パラメータ、をさらに含む、請求項９の方法。
【請求項１３】
前記即時割り当てメッセージを送信した後に、前記複数の移動局のうちの前記２つ以上へ、パケット関連制御チャネル（ＰＡＣＣＨ）上で補足メッセージを送信するステップ、をさらに含み、前記補足メッセージは、前記複数の移動局のうちの前記２つ以上によりそのそれぞれのダウンリンクＴＢＦを確立する際にそれぞれ使用すべき前記動的無線パラメータの２つ以上の残りの部分を含む、請求項９の方法。
【請求項１４】
前記即時割り当てメッセージを送信した後に、前記複数の移動局のうちの前記２つ以上へ、パケット関連制御チャネル（ＰＡＣＣＨ）上で補足メッセージを送信するステップ、をさらに含み、前記補足メッセージは、（１）追加的な静的無線パラメータと、（２）前記動的無線パラメータの２つ以上の残りの部分と、を含み、前記追加的な静的無線パラメータは、前記複数の移動局のうちの前記２つ以上によりそのそれぞれのダウンリンクＴＢＦを確立する際に使用され、前記動的無線パラメータの前記２つ以上の残りの部分は、前記複数の移動局のうちの前記２つ以上によりそのそれぞれのダウンリンクＴＢＦを確立する際にそれぞれ使用される、請求項９の方法。
【請求項１５】
前記即時割り当てメッセージを送信した後に、前記複数の移動局のうちの前記２つ以上へ、パケット関連制御チャネル（ＰＡＣＣＨ）上で補足メッセージを送信するステップ、をさらに含み、前記補足メッセージは、追加的な静的無線パラメータを含み、前記追加的な静的無線パラメータは、前記複数の移動局のうちの前記２つ以上によりそのそれぞれのダウンリンクＴＢＦを確立する際に使用される、請求項９の方法。
【請求項１６】
前記複数の移動局のうちの前記２つ以上へ、確立された前記ダウンリンクＴＢＦのうちの２つ以上の上でダウンリンクペイロードデータを送信するステップ、をさらに含む、請求項９の方法。
【請求項１７】
基地局サブシステム（ＢＳＳ）とインタラクションし及びアクセスグラントチャネル（ＡＧＣＨ）のキャパシティを改善するように構成される移動局であって、
プロセッサと、
プロセッサにより実行可能な命令を記憶するメモリと、
を備え、
前記プロセッサは、前記メモリとインタフェースし、プロセッサにより実行可能な前記命令を実行して、
パケット関連制御チャネル（ＰＡＣＣＨ）シグナリング上で、前記ＢＳＳから代替ＩＤを受信する動作と、
アイドルモードにある間に、ダウンリンクＴＢＦを確立する必要がある場合に、前記ＢＳＳから送信される、前記ＡＧＣＨ上の即時割り当てメッセージを受信する動作と、
を可能とし、
前記即時割り当てメッセージは、（１）前記移動局についての前記代替ＩＤを含む２つ以上の移動局についての２つ以上の代替ＩＤと、（２）前記ダウンリンクＴＢＦを確立する際に前記移動局により使用すべき動的無線パラメータの少なくとも一部を含む前記２つ以上の移動局についての動的無線パラメータの２つ以上の部分と、を含む、
移動局。
【請求項１８】
前記プロセッサは、さらに、プロセッサにより実行可能な前記命令を実行して、アイドルモードにある間に前記ＢＳＳから新たなシステム情報（ＳＩ）を受信し、前記新たなＳＩは、前記ダウンリンクＴＢＦを確立する際に使用すべき静的無線パラメータ、を含む、請求項１７の移動局。
【請求項１９】
前記即時割り当てメッセージは、前記ダウンリンクＴＢＦを確立する際に使用すべき静的無線パラメータ、をさらに含む、請求項１７の移動局。
【請求項２０】
前記プロセッサは、さらに、プロセッサにより実行可能な前記命令を実行して、前記即時割り当てメッセージを受信した後に、補足メッセージを受信し、前記補足メッセージは、前記ＢＳＳからパケット関連制御チャネル（ＰＡＣＣＨ）上で受信され、前記補足メッセージは、前記ダウンリンクＴＢＦを確立する際に前記移動局により使用すべき前記動的無線パラメータの残りの部分を含む前記２つ以上の移動局についての前記動的無線パラメータの２つ以上の残りの部分を含む、請求項１７の移動局。
【請求項２１】
前記プロセッサは、さらに、プロセッサにより実行可能な前記命令を実行して、前記即時割り当てメッセージを受信した後に、補足メッセージを受信し、前記補足メッセージは、前記ＢＳＳからパケット関連制御チャネル（ＰＡＣＣＨ）上で受信され、前記補足メッセージは、（１）前記ダウンリンクＴＢＦを確立する際に前記移動局により使用すべき追加的な静的無線パラメータと、（２）前記ダウンリンクＴＢＦを確立する際に前記移動局により使用すべき前記動的無線パラメータの残りの部分を含む前記２つ以上の移動局についての前記動的無線パラメータの２つ以上の残りの部分と、を含む、請求項１７の移動局。
【請求項２２】
前記プロセッサは、さらに、プロセッサにより実行可能な前記命令を実行して、前記即時割り当てメッセージを受信した後に、補足メッセージを受信し、前記補足メッセージは、前記ＢＳＳからパケット関連制御チャネル（ＰＡＣＣＨ）上で受信され、前記補足メッセージは、追加的な静的無線パラメータを含み、前記追加的な静的無線パラメータは、前記ダウンリンクＴＢＦを確立する際に使用される、請求項１７の移動局。
【請求項２３】
前記プロセッサは、さらに、プロセッサにより実行可能な前記命令を実行して、前記ダウンリンクＴＢＦを確立する、請求項１７の移動局。
【請求項２４】
前記プロセッサは、さらに、プロセッサにより実行可能な前記命令を実行して、確立された前記ダウンリンクＴＢＦ上でダウンリンクペイロードデータを受信する、請求項２３の移動局。
【請求項２５】
基地局サブシステムとインタラクションする移動局における、アクセスグラントチャネル（ＡＧＣＨ）のキャパシティを改善するための方法であって、
パケット関連制御チャネル（ＰＡＣＣＨ）シグナリング上で、前記ＢＳＳから代替ＩＤを受信するステップと
アイドルモードにある間に、ダウンリンクＴＢＦを確立する必要がある場合に、前記ＢＳＳから送信される、前記ＡＧＣＨ上の即時割り当てメッセージを受信するステップと、
を含み、
前記即時割り当てメッセージは、（１）前記移動局についての前記代替ＩＤを含む２つ以上の移動局についての２つ以上の代替ＩＤと、（２）前記ダウンリンクＴＢＦを確立する際に前記移動局により使用すべき動的無線パラメータの少なくとも一部を含む前記２つ以上の移動局についての動的無線パラメータの２つ以上の部分と、を含む、
方法。
【請求項２６】
アイドルモードにある間に前記ＢＳＳから新たなシステム情報（ＳＩ）を受信するステップ、をさらに含み、前記新たなＳＩは、前記ダウンリンクＴＢＦを確立する際に使用すべき静的無線パラメータ、を含む、請求項２５の方法。
【請求項２７】
前記即時割り当てメッセージは、前記ダウンリンクＴＢＦを確立する際に使用すべき静的無線パラメータ、をさらに含む、請求項２５の方法。
【請求項２８】
前記即時割り当てメッセージを受信した後に、前記ＢＳＳから補足メッセージを受信するステップ、をさらに含み、前記補足メッセージは、パケット関連制御チャネル（ＰＡＣＣＨ）上で受信され、前記補足メッセージは、前記ダウンリンクＴＢＦを確立する際に前記移動局により使用すべき前記動的無線パラメータの残りの部分を含む前記２つ以上の移動局についての前記動的無線パラメータの２つ以上の残りの部分を含む、請求項２５の方法。
【請求項２９】
前記即時割り当てメッセージを受信した後に、前記ＢＳＳから補足メッセージを受信するステップ、をさらに含み、前記補足メッセージは、パケット関連制御チャネル（ＰＡＣＣＨ）上で受信され、前記補足メッセージは、（１））前記ダウンリンクＴＢＦを確立する際に前記移動局により使用すべき追加的な静的無線パラメータと、（２）前記ダウンリンクＴＢＦを確立する際に前記移動局により使用すべき前記動的無線パラメータの残りの部分を含む前記２つ以上の移動局についての前記動的無線パラメータの２つ以上の残りの部分と、を含む、請求項２５の方法。
【請求項３０】
前記即時割り当てメッセージを受信した後に、前記ＢＳＳから補足メッセージを受信するステップ、をさらに含み、前記補足メッセージは、パケット関連制御チャネル（ＰＡＣＣＨ）上で受信され、前記補足メッセージは、追加的な静的無線パラメータを含み、前記追加的な静的無線パラメータは、前記ダウンリンクＴＢＦを確立する際に使用される、請求項２５の方法。
【請求項３１】
前記ダウンリンクＴＢＦを確立するステップ、をさらに含む、請求項２５の方法。
【請求項３２】
確立された前記ダウンリンクＴＢＦ上でダウンリンクペイロードデータを受信するステップ、をさらに含む、請求項３１の方法。
【手続補正２】
【補正対象書類名】明細書
【補正対象項目名】０００３
【補正方法】変更
【補正の内容】
【０００３】
無線通信分野において基地局から移動局（例えば、スマートフォン）へのダウンリンク送信の結果として、共通制御チャネル（ＣＣＣＨ）の輻輳がなお一層増加するであろうと予想される。ＣＣＣＨ輻輳の問題及び他の問題を解決するための多様なソリューションが、本発明の主題である。
Ｅｒｉｃｓｓｏｎらによる“Improved  AGCH  Capacity  Using  Static  Radio  Parameters”（３ＧＰＰドラフト，GP-111708,第３世代パートナーシッププロジェクト（３ＧＰＰ），２０１１年１１月１６日）は、基地局サブシステム（ＢＳＳ）が拡張された即時割り当て（ＥＩＡ）メッセージを複数のＭＳへ送信して、当該ＭＳがそれらのそれぞれのペイロードをＢＳＳへ送信できるようにそれらのアップリンク（一時ブロックフロー）ＴＢＦの確立を可能とすることで、アクセスグラントチャネル（ＡＧＣＨ）のキャパシティを改善すること、を開示している。
国際公開第２００９／０９７６０２Ａ１号は、アイドルの移動局（ＭＳ）が“キープアライブ”シグナリングをサービング無線アクセスネットワーク（ＲＡＮ）と共に実行して、ＲＡＮにおけるコンテキストを活動中（alive）に保ち、それによりＭＳがＲＡＮとの間で将来において必要な時にデータを送受信することができること、を開示している。
【手続補正３】
【補正対象書類名】明細書
【補正対象項目名】００１２
【補正方法】変更
【補正の内容】
【００１２】
【図１Ａ】本発明の第１の実施形態に従ってＡＧＣＨのキャパシティを改善するためにＢＳＳと複数のＭＳとの間で生じる無線シグナリングの説明を助けるために使用される図である。
【図１Ｂ】本発明の第１の実施形態に従ってＡＧＣＨのキャパシティを改善するためにＢＳＳと複数のＭＳとの間で生じる無線シグナリングの説明を助けるために使用される図である。
【図１Ｃ】本発明の第１の実施形態に従ってＡＧＣＨのキャパシティを改善するためにＢＳＳと複数のＭＳとの間で生じる無線シグナリングの説明を助けるために使用される図である。
【図１Ｄ】本発明の第１の実施形態に従ってＡＧＣＨのキャパシティを改善するためにＢＳＳと複数のＭＳとの間で生じる無線シグナリングの説明を助けるために使用される図である。
【図１Ｅ】本発明の第１の実施形態に従ってＡＧＣＨのキャパシティを改善するためにＢＳＳと複数のＭＳとの間で生じる無線シグナリングの説明を助けるために使用される図である。
【図２Ａ】本発明の第２の実施形態に従ってＡＧＣＨのキャパシティを改善するためにＢＳＳと複数のＭＳとの間で生じる無線シグナリングの説明を助けるために使用される図である。
【図２Ｂ】本発明の第２の実施形態に従ってＡＧＣＨのキャパシティを改善するためにＢＳＳと複数のＭＳとの間で生じる無線シグナリングの説明を助けるために使用される図である。
【図２Ｃ】本発明の第２の実施形態に従ってＡＧＣＨのキャパシティを改善するためにＢＳＳと複数のＭＳとの間で生じる無線シグナリングの説明を助けるために使用される図である。
【図３Ａ】本発明の第３の実施形態に従ってＡＧＣＨのキャパシティを改善するためにＢＳＳと複数のＭＳとの間で生じる無線シグナリングの説明を助けるために使用される図である。
【図３Ｂ】本発明の第３の実施形態に従ってＡＧＣＨのキャパシティを改善するためにＢＳＳと複数のＭＳとの間で生じる無線シグナリングの説明を助けるために使用される図である。
【図３Ｃ】本発明の第３の実施形態に従ってＡＧＣＨのキャパシティを改善するためにＢＳＳと複数のＭＳとの間で生じる無線シグナリングの説明を助けるために使用される図である。
【図４Ａ】本発明の多様な実施形態に従ってＡＧＣＨのキャパシティを改善するためにＢＳＳと複数のＭＳとの間で生じる無線シグナリングの説明を助けるために使用される、上述した米国仮出願第６１／６２０，６９６号における開示に関連付けられる図である。
【図４Ｂ】本発明の多様な実施形態に従ってＡＧＣＨのキャパシティを改善するためにＢＳＳと複数のＭＳとの間で生じる無線シグナリングの説明を助けるために使用される、上述した米国仮出願第６１／６２０，６９６号における開示に関連付けられる図である。
【図４Ｃ】本発明の多様な実施形態に従ってＡＧＣＨのキャパシティを改善するためにＢＳＳと複数のＭＳとの間で生じる無線シグナリングの説明を助けるために使用される、上述した米国仮出願第６１／６２０，６９６号における開示に関連付けられる図である。
【図４Ｄ】本発明の多様な実施形態に従ってＡＧＣＨのキャパシティを改善するためにＢＳＳと複数のＭＳとの間で生じる無線シグナリングの説明を助けるために使用される、上述した米国仮出願第６１／６２０，６９６号における開示に関連付けられる図である。
【図５Ａ】本発明の多様な実施形態に従ってＡＧＣＨのキャパシティを改善するためにＢＳＳと複数のＭＳとの間で生じる無線シグナリングの説明をさらに助けるために使用される、本発明者らにより提示された“Detailed  OSAP  Signalling  Procedure”（3GPP  TSG-GERAN  #54，GP-120624，Sanya，China，May  14-18，2012）というタイトルの記事に関連付けられる図である。
【図５Ｂ】本発明の多様な実施形態に従ってＡＧＣＨのキャパシティを改善するためにＢＳＳと複数のＭＳとの間で生じる無線シグナリングの説明をさらに助けるために使用される、本発明者らにより提示された“Detailed  OSAP  Signalling  Procedure”（3GPP  TSG-GERAN  #54，GP-120624，Sanya，China，May  14-18，2012）というタイトルの記事に関連付けられる図である。
【図５Ｃ】本発明の多様な実施形態に従ってＡＧＣＨのキャパシティを改善するためにＢＳＳと複数のＭＳとの間で生じる無線シグナリングの説明をさらに助けるために使用される、本発明者らにより提示された“Detailed  OSAP  Signalling  Procedure”（3GPP  TSG-GERAN  #54，GP-120624，Sanya，China，May  14-18，2012）というタイトルの記事に関連付けられる図である。
【手続補正４】
【補正対象書類名】明細書
【補正対象項目名】００８３
【補正方法】変更
【補正の内容】
【００８３】
ＯＳＡＰ対応ＭＳ１０４１、１０４２、１０４３、１０４４、…１０４ｎの場合、ネットワークは、以下に記載するように、ダウンリンクＴＢＦ用のＭＳパケットリソースを割り当てるためのＯＳＡＰのために定義されたＥＩＡ１３２及びＡＴＩ１３８メッセージを使用するオプションを有する。
・ネットワークはＯＳＡＰ対応ＭＳ１０４１、１０４２、１０４３、１０４４、…１０４ｎに、セル別の基準で、（一時ＯＳＡＰ  ＩＤと称する）代替ＩＤを割り振らなければならず、その代替ＩＤはＢＢＳ１０２において、対応する準備タイマ３０４１、３０４２、３０４３、３０４４、…３０４ｎが稼動中の間は有効のまま維持される。これは、ＢＢＳ１０２が準備タイマの長さの知識を有することを要し、（例えばＰＦＣのサポートを通じて）複数の方法で実現され得る。
・ＢＳＳ１０２は、ＴＢＦがＯＳＡＰ対応ＭＳについて進行中である間はいつでも、ＭＳ１０４１、１０４２、１０４３、１０４４、…１０４ｎに一時ＯＳＡＰ  ＩＤ（ＴＯＩ）を割り当てるためのＰＡＣＣＨ１４０のシグナリングを使用することが可能である。
・ＭＳ１０４１、１０４２、１０４３、１０４４、…１０４ｎにＴＯＩが一度割り当てられると、当該ＴＯＩが有効である限り、当該ＴＯＩは上記ＭＳ用のダウンリンクＴＢＦ関連情報を含むＥＩＡメッセージ１３２に含まれ得る（表６の一時ＯＳＡＰ  ＩＤフィールドを参照）。
・（アップリンクＴＢＦ１２８の確立のための）ＦＮ情報＋ランダムビット、又は（ダウンリンクＴＢＦ１２８の確立のための）一時ＯＳＡＰ  ＩＤは、ＥＩＡメッセージ１３２によって宛て先指定されるＭＳ１０４１、１０４２、１０４３、１０４４、…１０４ｎのインスタンスごとに示されるので、ＥＩＡメッセージ内の任意のインスタンスが、アップリンク又はダウンリンクのいずれかのＴＢＦの確立を必要とするＭＳ１０４１、１０４２、１０４３、１０４４、…１０４ｎのいずれの組合せについてもサポートすることができる（図４Ｄ参照、５個のＭＳが示されている）。
・一時ＯＳＡＰ  ＩＤは、最大で４０９６個のＩＤをセルごとに管理できるように、９から１２ビットの長さとすることができる。
・注意すべきは、ダウンリンクＴＢＦの確立のためのこの方法は全体のダウンリンクＣＣＣＨ負荷を減少させるので、したがってＯＳＡＰ非対応移動局に、追加的なＣＣＣＨキャパシティを提供する。
【手続補正５】
【補正対象書類名】図面
【補正対象項目名】図４Ｄ
【補正方法】変更
【補正の内容】
【図４Ｄ】
2015512596.tif 000037
【国際調査報告】
2015512596.tif 000038
2015512596.tif 000039
2015512596.tif 000040